(57)【特許請求の範囲】
【請求項１】
基地局装置と通信する端末装置であって、
無線リソース制御シグナリングに基づいて、ＥＰＤＣＣＨモニタリングのための複数のＥＰＤＣＣＨセットを設定する無線リソース制御部と、
ＰＵＣＣＨリソースオフセットが前記無線リソース制御シグナリングによって前記複数のＥＰＤＣＣＨセットに含まれるそれぞれのＥＰＤＣＣＨセットに対して設定され、前記ＰＵＣＣＨリソースオフセットが設定される前記複数のＥＰＤＣＣＨセットに基づいて、ＥＰＤＣＣＨ候補セットをモニタする受信部と、
ＥＰＤＣＣＨの検出によって指示されたＰＤＳＣＨ送信に対するＨＡＲＱ応答情報を、ＰＵＣＣＨリソースを使用して送信する送信部と、
を備え、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセットに対して設定される前記ＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは、前記複数のＥＰＤＣＣＨセットのそれぞれのＥＰＤＣＣＨセットに対して付けられた番号であり、
前記ＥＰＤＣＣＨセットは、異なる複数の物理リソースブロックペアから構成される
端末装置。
【請求項２】
前記ＰＵＣＣＨリソースオフセットは、セルにおいて設定されたＰＵＣＣＨリソースの最小インデックスと、前記ＥＰＤＣＣＨセットのＥＣＣＥインデックスとの対応付けが開始される前記ＰＵＣＣＨリソースのインデックスとの間の相対的な数の差である
請求項１に記載の端末装置。
【請求項３】
端末装置と通信する基地局装置であって、
無線リソース制御シグナリングに基づいて、ＥＰＤＣＣＨモニタリングのための複数のＥＰＤＣＣＨセットを設定する無線リソース制御部と、
ＰＵＣＣＨリソースオフセットが前記無線リソース制御シグナリングによって前記複数のＥＰＤＣＣＨセットに含まれるそれぞれのＥＰＤＣＣＨセットに対して設定され、前記ＰＵＣＣＨリソースオフセットが設定される前記複数のＥＰＤＣＣＨセットに基づいて、ＥＰＤＣＣＨを送信する送信部と、
ＥＰＤＣＣＨの検出によって指示されたＰＤＳＣＨ送信に対するＨＡＲＱ応答情報を、ＰＵＣＣＨリソースを使用して受信する受信部と、
を備え、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセット対して設定される前記ＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは、前記複数のＥＰＤＣＣＨセットのそれぞれのＥＰＤＣＣＨセットに対して付けられた番号であり、
前記ＥＰＤＣＣＨセットは、異なる複数の物理リソースブロックペアから構成される
基地局装置。
【請求項４】
前記ＰＵＣＣＨリソースオフセットは、セルにおいて設定されたＰＵＣＣＨリソースの最小インデックスと、前記ＥＰＤＣＣＨセットのＥＣＣＥインデックスとの対応付けが開始される前記ＰＵＣＣＨリソースのインデックスとの間の相対的な数の差である
請求項３に記載の基地局装置。
【請求項５】
基地局装置と通信する端末装置に用いられる通信方法であって、
無線リソース制御シグナリングに基づいて、ＥＰＤＣＣＨモニタリングのための複数のＥＰＤＣＣＨセットを設定するステップと、
ＰＵＣＣＨリソースオフセットが前記無線リソース制御シグナリングによって前記複数のＥＰＤＣＣＨセットに含まれるそれぞれのＥＰＤＣＣＨセットに対して設定され、前記ＰＵＣＣＨリソースオフセットが設定される前記複数のＥＰＤＣＣＨセットに基づいて、ＥＰＤＣＣＨ候補セットをモニタするステップと、
ＥＰＤＣＣＨの検出によって指示されたＰＤＳＣＨ送信に対するＨＡＲＱ応答情報を、ＰＵＣＣＨリソースを使用して送信するステップと、
を有し、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセットに対して設定される前記ＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは、前記複数のＥＰＤＣＣＨセットのそれぞれのＥＰＤＣＣＨセットに対して付けられた番号であり、
前記ＥＰＤＣＣＨセットは、異なる複数の物理リソースブロックペアから構成される
通信方法。
【請求項６】
端末装置と通信する基地局装置に用いられる通信方法であって、
無線リソース制御シグナリングに基づいて、ＥＰＤＣＣＨモニタリングのための複数のＥＰＤＣＣＨセットを設定するステップと、
ＰＵＣＣＨリソースオフセットが前記無線リソース制御シグナリングによって前記複数のＥＰＤＣＣＨセットに含まれるそれぞれのＥＰＤＣＣＨセットに対して設定され、前記ＰＵＣＣＨリソースオフセットが設定される前記複数のＥＰＤＣＣＨセットに基づいて、ＥＰＤＣＣＨを送信するステップと、
ＥＰＤＣＣＨの検出によって指示されたＰＤＳＣＨ送信に対するＨＡＲＱ応答情報を、ＰＵＣＣＨリソースを使用して受信するステップと、
を有し、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセットに対して設定される前記ＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは、前記複数のＥＰＤＣＣＨセットのそれぞれのＥＰＤＣＣＨセットに対して付けられた番号であり、
前記ＥＰＤＣＣＨセットは、異なる複数の物理リソースブロックペアから構成される
通信方法。
【請求項７】
基地局装置と通信する端末装置に搭載される集積回路であって、
無線リソース制御シグナリングに基づいて、ＥＰＤＣＣＨモニタリングのための複数のＥＰＤＣＣＨセットを設定する機能と、
前記複数のＥＰＤＣＣＨセットに基づいて、ＥＰＤＣＣＨ候補セットをモニタする機能と、
ＰＵＣＣＨリソースオフセットが前記無線リソース制御シグナリングによって前記複数のＥＰＤＣＣＨセットに含まれるそれぞれのＥＰＤＣＣＨセットに対して設定され、前記ＰＵＣＣＨリソースオフセットが設定されるＥＰＤＣＣＨの検出によって指示されたＰＤＳＣＨ送信に対するＨＡＲＱ応答情報を、ＰＵＣＣＨリソースを使用して送信する機能と、
を含む一連の機能を前記端末装置に実現させる集積回路であり、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセットに対して設定されるＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは、前記複数のＥＰＤＣＣＨセットのそれぞれのＥＰＤＣＣＨセットに対して付けられた番号であり、
前記ＥＰＤＣＣＨセットは、異なる複数の物理リソースブロックペアから構成される
集積回路。
【請求項８】
端末装置と通信する基地局装置に搭載される集積回路であって、
無線リソース制御シグナリングに基づいて、ＥＰＤＣＣＨモニタリングのための複数のＥＰＤＣＣＨセットを設定する機能と、
ＰＵＣＣＨリソースオフセットが前記無線リソース制御シグナリングによって前記複数のＥＰＤＣＣＨセットに含まれるそれぞれのＥＰＤＣＣＨセットに対して設定され、前記ＰＵＣＣＨリソースオフセットが設定される前記複数のＥＰＤＣＣＨセットに基づいて、ＥＰＤＣＣＨを送信する機能と、
ＥＰＤＣＣＨの検出によって指示されたＰＤＳＣＨ送信に対するＨＡＲＱ応答情報を、ＰＵＣＣＨリソースを使用して受信する機能と、
を含む一連の機能を前記基地局装置に実現させる集積回路であり、
前記複数のＥＰＤＣＣＨセットにおいて１つのＥＰＤＣＣＨセットに関連する前記ＰＵＣＣＨリソースは、少なくとも前記ＥＰＤＣＣＨを構成するために用いられる最小のＥＣＣＥインデックスと、前記１つのＥＰＤＣＣＨセットに対して設定される前記ＰＵＣＣＨリソースオフセットと、に基づいて決定され、
前記複数のＥＰＤＣＣＨセットのそれぞれは、ＥＣＣＥのセットを含み、
前記ＥＣＣＥのセットに対するＥＣＣＥインデックスは前記複数のＥＰＤＣＣＨセットのそれぞれのＥＰＤＣＣＨセットに対して付けられた番号であり、
前記ＥＰＤＣＣＨセットは、異なる複数の物理リソースブロックペアから構成される
集積回路。
【発明の詳細な説明】
【技術分野】
【０００１】
本発明は、複数の移動局装置と基地局装置から構成される通信システムにおいて、上りリンクの制御情報の送受信に用いられるリソースを効率的に制御し、移動局装置が基地局装置に対して効率的に上りリンクの制御情報を含む信号を送信することができ、基地局装置は移動局装置から効率的に上りリンクの制御情報を含む信号を受信することができる端末装置、基地局装置、通信方法および集積回路に関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において仕様化されている。ＬＴＥでは、基地局装置から移動局装置への無線通信（下りリンク; DLと呼称する。）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク; ULと呼称する。）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００３】
ＬＴＥを発展させ、新たな技術を適用するＬＴＥ−Ａ（LTE-Advanced）が仕様化されている。ＬＴＥ−ＡではＬＴＥと同一のチャネル構造が少なくともサポートされている。チャネルとは、信号の送信に用いられる媒体を意味する。物理層で用いられるチャネルは物理チャネル、媒体アクセス制御（Medium Access Control: MAC）層で用いられるチャネルは論理チャネルと呼称する。物理チャネルの種類としては、下りリンクのデータおよび制御情報の送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）、上りリンクのデータおよび制御情報の送受信に用いられる物理上りリンク共用チャネル（Physical Uplink Shared CHannel: PUSCH）、制御情報の送受信に用いられる物理上りリンク制御チャネル（Physical Uplink Control CHannel: PUCCH）、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等がある。移動局装置、または基地局装置は、制御情報、データなどから生成した信号を各物理チャネルに配置して、送信する。物理下りリンク共用チャネル、または物理上りリンク共用チャネルで送信されるデータは、トランスポートブロックと呼称する。
【０００４】
物理上りリンク制御チャネルに配置される制御情報は、上りリンク制御情報（Uplink Control Information: UCI）と呼称する。上りリンク制御情報は、受信された物理下りリンク共用チャネルに配置されたデータに対する肯定応答（Acknowledgement: ACK）または否定応答（Negative Acknowledgement: NACK）を示す制御情報（受信確認応答; ACK/NACK）、または上りリンクのリソースの割り当ての要求を示す制御情報（Scheduling Request: SR）、または下りリンクの受信品質（チャネル品質とも呼称する）を示す制御情報（Channel Quality Indicator: CQI）である。
【０００５】
＜協調通信＞
ＬＴＥおよびＬＴＥ−Ａに対して、セル端領域の移動局装置に対する干渉を軽減または抑圧するために、または受信信号電力を増大させるために、隣接セル間で互いに協調して通信を行なうセル間協調通信（Cooperative Multipoint: CoMP通信）を適用することが検討されている。なお、例えば、基地局装置が任意の１つの周波数帯域を用いて通信する形態のことを「セル（Cell）」と呼称する。例えば、セル間協調通信として、複数のセルで異なる重み付け信号処理（プリコーディング処理）が信号に適用され、複数の基地局装置がその信号を協調して同一の移動局装置に送信する方法（Joint Processing、Joint Transmissionとも称す）などが検討されている。この方法では、移動局装置の信号電力対干渉雑音電力比を向上することができ、移動局装置における受信特性を改善することができる。例えば、セル間協調通信として、複数のセルで協調して移動局装置に対してスケジューリングを行う方法（Coordinated Scheduling: CS）が検討されている。この方法では、移動局装置の信号電力対干渉雑音電力比を向上することができる。例えば、セル間協調通信として、複数のセルで協調してビームフォーミングを適用して移動局装置に信号を送信する方法（Coordinated beamforming:CB）が検討されている。この方法では、移動局装置の信号電力対干渉雑音電力比を向上することができる。例えば、セル間協調通信として、一方のセルでのみ所定のリソースを用いて信号を送信し、一方のセルでは所定のリソースで信号を送信しない方法（Blanking, Muting）が検討されている。この方法では、移動局装置の信号電力対干渉雑音電力比を向上することができる。
【０００６】
なお、協調通信に用いられる複数のセルに関して、異なるセルは異なる基地局装置により構成されてもよいし、異なるセルは同じ基地局装置に管理される異なるＲＲＨ（Remote Radio Head、基地局装置より小型の屋外型の無線部、Remote Radio Unit: RRUとも称す）により構成されてもよいし、異なるセルは基地局装置とその基地局装置に管理されるＲＲＨにより構成されてもよいし、異なるセルは基地局装置とその基地局装置とは異なる基地局装置に管理されるＲＲＨにより構成されてもよい。
【０００７】
カバレッジの広い基地局装置は、一般的にマクロ基地局装置と呼称する。カバレッジの狭い基地局装置は、一般的にピコ基地局装置、またはフェムト基地局装置と呼称する。ＲＲＨは、一般的に、マクロ基地局装置よりもカバレッジが狭いエリアでの運用が検討されている。マクロ基地局装置と、ＲＲＨにより構成され、マクロ基地局装置によりサポートされるカバレッジがＲＲＨによりサポートされるカバレッジの一部または全部を含んで構成される通信システムのような展開は、ヘテロジーニアスネットワーク展開と呼称する。そのようなヘテロジーニアスネットワーク展開の通信システムにおいて、マクロ基地局装置とＲＲＨが、お互いに重複したカバレッジ内に位置する移動局装置に対して、協調して信号を送信する方法が検討されている。ここで、ＲＲＨは、マクロ基地局装置により管理され、送受信が制御されている。なお、マクロ基地局装置とＲＲＨは、光ファイバ等の有線回線や、リレー技術を用いた無線回線により接続されている。このように、マクロ基地局装置とＲＲＨがそれぞれ一部または全部が同一の無線リソースを用いて協調通信を実行することで、マクロ基地局装置が構築するカバレッジのエリア内の総合的な周波数利用効率（伝送容量）が向上できる。
【０００８】
移動局装置は、マクロ基地局装置またはＲＲＨの付近に位置している場合、マクロ基地局装置またはＲＲＨとシングルセル通信することができる。つまり、ある移動局装置は、協調通信を用いずに、マクロ基地局装置またはＲＲＨと通信を行い、信号の送受信を行なう。例えば、マクロ基地局装置は、自装置に距離的に近い移動局装置からの上りリンクの信号を受信する。例えば、ＲＲＨは、自装置に距離的に近い移動局装置からの上りリンクの信号を受信する。さらに、移動局装置は、ＲＲＨが構築するカバレッジの端付近（セルエッジ）に位置する場合、マクロ基地局装置からの同一チャネル干渉に対する対策が必要になる。マクロ基地局装置とＲＲＨとのマルチセル通信（協調通信）として、隣接基地局装置間で互いに協調するＣｏＭＰ方式を用いることにより、セルエッジ領域の移動局装置に対する干渉を軽減または抑圧する方法が検討されている。
【０００９】
また、移動局装置は、下りリンクでは、協調通信を用いて、マクロ基地局装置とＲＲＨの双方から送信された信号を受信し、上りリンクでは、マクロ基地局装置、またはＲＲＨの何れかに対して適した形で信号を送信することが検討されている。例えば、移動局装置は、マクロ基地局装置で信号が受信されるのに適した送信電力で上りリンクの信号を送信する。例えば、移動局装置は、ＲＲＨで信号が受信されるのに適した送信電力で上りリンクの信号を送信する。これにより、上りリンクの不必要な干渉を低減し、周波数利用効率を向上できる。
【００１０】
移動局装置において、データ信号の受信処理に関して、データ信号に用いられる変調方式、符号化率、空間多重数、送信電力調整値、リソースの割り当てなどを示す制御情報を取得する必要がある。ＬＴＥおよびＬＴＥ−Ａに対して、データ信号に関する制御情報を送信する新しい制御チャネル（強化された物理下りリンク制御チャネル; enhanced Physical Downlink Control CHannel: ePDCCH）を導入することが検討されている（非特許文献１）。例えば、全体の制御チャネルのキャパシティを改善することが検討されている。例えば、強化された物理下りリンク制御チャネルに対して周波数領域での干渉コーディネーションをサポートすることが検討されている。例えば、強化された物理下りリンク制御チャネルに対して空間多重をサポートすることが検討されている。例えば、強化された物理下りリンク制御チャネルに対してビームフォーミングをサポートすることが検討されている。例えば、強化された物理下りリンク制御チャネルに対してダイバーシチをサポートすることが検討されている。例えば、強化された物理下りリンク制御チャネルを新しいタイプのキャリアで用いることが検討されている。例えば、新しいタイプのキャリアでは、セル内の全ての移動局装置に対して共通である参照信号の送信を行わないことが検討されている。例えば、新しいタイプのキャリアでは、セル内の全ての移動局装置に対して共通である参照信号の送信頻度を従来よりも減らすことが検討されている。例えば、新しいタイプのキャリアでは、移動局装置において固有の参照信号を用いて制御情報等の信号を復調することが検討されている。
【００１１】
例えば、ビームフォーミングの適用として、強化された物理下りリンク制御チャネルに対して協調通信、複数アンテナ送信を適用することが検討されている。具体的には、複数の基地局装置、複数のＲＲＨが、強化された物理下りリンク制御チャネルの信号に対してプリコーディング処理を適用し、その強化された物理下りリンク制御チャネルの信号を復調するための参照信号（Reference Signal: RS）に対しても同じプリコーディング処理を適用することが検討されている。具体的には、複数の基地局装置、複数のＲＲＨが、同じプリコーディング処理が適用される強化された物理下りリンク制御チャネルとＲＳを、ＰＤＳＣＨが配置されるリソースの領域に配置し、送信することが検討されている。移動局装置は、受信したＲＳであって、プリコーディング処理が行われたＲＳを用いて、同じプリコーディング処理が行われた強化された物理下りリンク制御チャネルの信号を復調し、制御情報を取得することが検討されている。この方法では、基地局装置と移動局装置間で強化された物理下りリンク制御チャネルの信号に適用されたプリコーディング処理に関する情報をやり取りする必要がなくなる。
【００１２】
例えば、ダイバーシチの適用として、周波数領域で離れたリソースを用いて強化された物理下りリンク制御チャネルの信号を構成して、周波数ダイバーシチの効果を得る方法が検討されている。一方、ビームフォーミングが強化された物理下りリンク制御チャネルに適用される場合は、周波数領域で離れていないリソースを用いて強化された物理下りリンク制御チャネルの信号を構成する方法が検討されている。
【００１３】
強化された物理下りリンク制御チャネルを構成するリソースのマッピング方法が検討されている。１つの強化された物理下りリンク制御チャネルを構成するリソースのマッピングの単位を、予め決められた個数の物理リソースブロックペアのセットとすることが検討されている（非特許文献２）。例えば、１つの強化された物理下りリンク制御チャネルを構成するリソースのマッピングの単位である、複数の物理リソースブロックペアのセットは、強化された物理下りリンク制御チャネルセット（enhanced Physical Downlink Control Channel Set: ePDCCH set）と呼称する。非特許文献２では、予め決められた個数の物理リソースブロックペアからなる複数の強化された物理下りリンク制御チャネルを移動局装置に対して構成することが検討されている。例えば、複数の強化された物理下りリンク制御チャネルセットが構成される複数の移動局装置において、一部の強化された物理下りリンク制御チャネルセットが共通した複数の物理リソースブロックペアから構成され、異なる一部の強化された物理下りリンク制御チャネルセットが異なる複数の物理リソースブロックペアから構成されることが検討されている。移動局装置は、構成された複数の強化された物理下りリンク制御チャネルセットのそれぞれにおいて、強化された物理下りリンク制御チャネルを検出するための復号処理を行なうことが検討されている。
【００１４】
一方、強化された物理下りリンク制御チャネルで送受信される下りリンク制御情報によりリソースが割り当てられる物理下りリンク共用チャネルに対するＡＣＫ／ＮＡＣＫの送受信に用いられる物理上りリンク制御チャネルのリソースの割り当て方法が検討されている（非特許文献３）。物理上りリンク制御チャネルのリソースを明示的に示すシグナリングを用いずに、強化された物理下りリンク制御チャネルに用いられる論理的なリソース（強化された制御チャネルエレメント; enhanced Control Channel Element: eCCE）の番号に基づき暗示的に物理上りリンク制御チャネルのリソースが判断される方法が検討されている。
【００１５】
非特許文献３では、既存の物理下りリンク制御チャネルで送受信される下りリンク制御情報によりリソースが割り当てられる物理下りリンク共用チャネルに対するＡＣＫ／ＮＡＣＫの送受信に用いられる物理上りリンク制御チャネルのリソースと、強化された物理下りリンク制御チャネルで送受信される下りリンク制御情報によりリソースが割り当てられる物理下りリンク共用チャネルに対するＡＣＫ／ＮＡＣＫの送受信に用いられる物理上りリンク制御チャネルのリソースとに関して、少なくとも一部のリソース共用できるようにする方法が検討されている。既存の物理下りリンク制御チャネルにおいて、物理上りリンク制御チャネルのリソースを明示的に示すシグナリングを用いずに、物理下りリンク制御チャネルに用いられる論理的なリソース（制御チャネルエレメント; Control Channel Element: CCE）の番号に基づき暗示的に物理上りリンク制御チャネルのリソースが判断される方法が用いられており、制御チャネルエレメントとの対応付けが開始される物理上りリンク制御チャネルのリソース、言い換えると、最小の番号の制御チャネルエレメントと対応付けが行われる物理上りリンク制御チャネルのリソースが制御され、制御チャネルエレメントとの対応付けが開始される物理上りリンク制御チャネルのリソースを示す情報が基地局装置から移動局装置に予め通知される。強化された物理下りリンク制御チャネルにおいて、強化された物理下りリンク制御チャネルの強化された制御チャネルエレメントとの対応付けが開始される物理上りリンク制御チャネルのリソースが、既存の物理下りリンク制御チャネルの制御チャネルエレメントとの対応付けが開始される物理上りリンク制御チャネルのリソースとは独立に制御され、強化された制御チャネルエレメントとの対応付けが開始される物理上りリンク制御チャネルのリソースを示す情報が制御チャネルエレメントとの対応付けが開始される物理上りリンク制御チャネルのリソースを示す情報とは独立して基地局装置から移動局装置に予め通知されることが検討されている。
【００１６】
前述の暗示的に物理上りリンク制御チャネルのリソースが判断される方法では、複数の物理上りリンク制御チャネルのリソースが予め上りリンクに予約される。予約された複数のリソースの中で、サブフレーム毎に実際に上りリンク制御情報の送受信に用いられるリソースは、サブフレーム毎に用いられる物理下りリンク制御チャネルの制御チャネルエレメントと強化された物理下りリンク制御チャネルの強化された制御チャネルエレメントに依存する。
【先行技術文献】
【非特許文献】
【００１７】
【非特許文献１】3GPP TSG RAN1 #66bis、Zhuhai、China、10-14、October、2011、R1-113589“Way Forward on downlink control channel enhancements by UE-specific RS”
【非特許文献２】3GPP TSG RAN1 #69、Prague、Czech Republic、21-25、May、2012、R1-121976“Design Principle for E-PDCCH Multiplexing”
【非特許文献３】3GPP TSG RAN1 #69、Prague、Czech Republic、21-25、May、2012、R1-123013“WF on PUCCH Format 1a/1b resource allocation for ePDCCH based HARQ-ACKs”
【発明の概要】
【発明が解決しようとする課題】
【００１８】
しかしながら、従来の検討では、強化された物理下りリンク制御チャネルで送受信される下りリンク制御情報によりリソースが割り当てられる物理下りリンク共用チャネルに対するＡＣＫ／ＮＡＣＫの送受信に用いられる物理上りリンク制御チャネルのリソースの割り当て方法に関して、複数の強化された物理下りリンク制御チャネルセットが複数の移動局装置において構成される場合が十分に考慮されていない。
【００１９】
異なる移動局装置が同じリソースで構成される物理上りリンク制御チャネルを用いた場合、信号の衝突が生じ、お互いの信号がもう一方の信号に干渉を及ぼし、信号の受信品質が劣化する。その一方、物理上りリンク制御チャネルのリソースの信号の衝突を回避するために、予約しておく物理上りリンク制御チャネルのリソースに関して、移動局装置毎に異なるリソースを予め用意することは、オーバヘッドの増大を招き、システムのキャパシティが劣化する。
【００２０】
本発明は上記の点に鑑みてなされたものであり、その目的は、複数の移動局装置と基地局装置から構成される通信システムにおいて、上りリンクの制御情報の送受信に用いられるリソースを効率的に制御し、移動局装置が基地局装置に対して効率的に上りリンクの制御情報を含む信号を送信することができ、基地局装置は移動局装置から効率的に上りリンクの制御情報を含む信号を受信することができる通信システム、移動局装置、基地局装置、通信方法および集積回路に関する。
【課題を解決するための手段】
【００２１】
（１）上記の目的を達成するために、本発明は、以下のような手段を講じた。すなわち、本発明の通信システムは、下りリンク制御チャネルが配置される可能性のある領域である下りリンク制御チャネル領域として複数の物理リソースブロックペアが構成され、１つの前記物理リソースブロックペアを複数個に分割したリソースから第一の要素が構成され、１つの前記物理リソースブロックペア内の複数の前記第一の要素の集合、または複数の前記物理リソースブロックペア内の複数の前記第一の要素の集合から第二の要素が構成され、下りリンク制御チャネルは１個以上の前記第二の要素の集合から構成され、上りリンク制御チャネルのリソースが前記第二の要素のそれぞれと対応し、複数の移動局装置および前記複数の移動局装置と前記下りリンク制御チャネルと前記上りリンク制御チャネルを用いて通信を行う基地局装置から構成される通信システムであって、前記基地局装置は、複数の下りリンク制御チャネル領域を設定し、下りリンク制御チャネル領域の第二の要素と対応付けが開始される上りリンク制御チャネルのリソースをそれぞれの前記下りリンク制御チャネル領域に対して設定する第二の無線リソース制御部と、前記第二の無線リソース制御部で設定された情報を前記移動局装置に対して送信する第二の送信処理部と、を有し、前記移動局装置は、前記基地局装置より受信した前記第二の無線リソース制御部で設定された情報に基づき、複数の下りリンク制御チャネル領域を設定する第一の無線リソース制御部と、前記基地局装置より受信した前記第二の無線リソース制御部で設定された情報に基づき、下りリンク制御チャネル領域の第二の要素と対応付けが開始される上りリンク制御チャネルのリソースを前記第一の無線リソース制御部で設定されたそれぞれの前記下りリンク制御チャネル領域に対して設定する第一の制御部と、を有することを特徴とする。
【００２２】
（２）また、本発明の通信システムにおいて、前記上りリンク制御チャネルは、受信確認応答の送受信に用いられ、前記受信確認応答は前記下りリンク制御チャネルによりリソース割り当ての情報が示された下りリンク共用チャネルのデータに対する受信確認応答であることを特徴とする。
【００２３】
（３）また、本発明の通信システムにおいて、前記第一の制御部は、前記下りリンク共用チャネルのリソース割り当ての情報を含む前記下りリンク制御チャネルを構成する１つ以上の前記第二の要素の識別番号と、前記下りリンク制御チャネルが検出された下りリンク制御チャネル領域の第二の要素と対応付けが開始される上りリンク制御チャネルのリソースとに基づき、前記受信確認応答の送信に用いる上りリンク制御チャネルのリソースの識別番号を判断することを特徴とする。
【００２４】
（４）また、本発明の移動局装置は、下りリンク制御チャネルが配置される可能性のある領域である下りリンク制御チャネル領域として複数の物理リソースブロックペアが構成され、１つの前記物理リソースブロックペアを複数個に分割したリソースから第一の要素が構成され、１つの前記物理リソースブロックペア内の複数の前記第一の要素の集合、または複数の前記物理リソースブロックペア内の複数の前記第一の要素の集合から第二の要素が構成され、下りリンク制御チャネルは１個以上の前記第二の要素の集合から構成され、上りリンク制御チャネルのリソースが前記第二の要素のそれぞれと対応し、基地局装置と前記下りリンク制御チャネルと前記上りリンク制御チャネルを用いて通信を行う移動局装置であって、複数の下りリンク制御チャネル領域を示す情報と、それぞれの前記下りリンク制御チャネル領域に対して下りリンク制御チャネル領域の第二の要素と対応付けが開始される上りリンク制御チャネルのリソースを示す情報と、を前記基地局装置より受信する第一の受信処理部と、前記第一の受信処理部で受信された情報に基づき、複数の下りリンク制御チャネル領域を設定する第一の無線リソース制御部と、前記第一の受信処理部で受信された情報に基づき、下りリンク制御チャネル領域の第二の要素と対応付けが開始される上りリンク制御チャネルのリソースを前記第一の無線リソース制御部で設定されたそれぞれの前記下りリンク制御チャネル領域に対して設定する第一の制御部と、を有することを特徴とする。
【００２５】
（５）また、本発明の移動局装置において、前記上りリンク制御チャネルは、受信確認応答の送受信に用いられ、前記受信確認応答は前記下りリンク制御チャネルによりリソース割り当ての情報が示された下りリンク共用チャネルのデータに対する受信確認応答であることを特徴とする。
【００２６】
（６）また、本発明の移動局装置において、前記第一の制御部は、前記下りリンク共用チャネルのリソース割り当ての情報を含む前記下りリンク制御チャネルを構成する１つ以上の前記第二の要素の識別番号と、前記下りリンク制御チャネルが検出された下りリンク制御チャネル領域の第二の要素と対応付けが開始される上りリンク制御チャネルのリソースとに基づき、前記受信確認応答の送信に用いる上りリンク制御チャネルのリソースの識別番号を判断することを特徴とする。
【００２７】
（７）また、本発明の基地局装置は、下りリンク制御チャネルが配置される可能性のある領域である下りリンク制御チャネル領域として複数の物理リソースブロックペアが構成され、１つの前記物理リソースブロックペアを複数個に分割したリソースから第一の要素が構成され、１つの前記物理リソースブロックペア内の複数の前記第一の要素の集合、または複数の前記物理リソースブロックペア内の複数の前記第一の要素の集合から第二の要素が構成され、下りリンク制御チャネルは１個以上の前記第二の要素の集合から構成され、上りリンク制御チャネルのリソースが前記第二の要素のそれぞれと対応し、複数の移動局装置と前記下りリンク制御チャネルと前記上りリンク制御チャネルを用いて通信を行う基地局装置であって、複数の下りリンク制御チャネル領域を設定し、下りリンク制御チャネル領域の第二の要素と対応付けが開始される上りリンク制御チャネルのリソースをそれぞれの前記下りリンク制御チャネル領域に対して設定する第二の無線リソース制御部と、前記第二の無線リソース制御部で設定された情報を前記移動局装置に対して送信する第二の送信処理部と、を有することを特徴とする。
【００２８】
（８）また、本発明の通信方法は、下りリンク制御チャネルが配置される可能性のある領域である下りリンク制御チャネル領域として複数の物理リソースブロックペアが構成され、１つの前記物理リソースブロックペアを複数個に分割したリソースから第一の要素が構成され、１つの前記物理リソースブロックペア内の複数の前記第一の要素の集合、または複数の前記物理リソースブロックペア内の複数の前記第一の要素の集合から第二の要素が構成され、下りリンク制御チャネルは１個以上の前記第二の要素の集合から構成され、上りリンク制御チャネルのリソースが前記第二の要素のそれぞれと対応し、基地局装置と前記下りリンク制御チャネルと前記上りリンク制御チャネルを用いて通信を行う移動局装置に用いられる通信方法であって、複数の下りリンク制御チャネル領域を示す情報と、それぞれの前記下りリンク制御チャネル領域に対して下りリンク制御チャネル領域の第二の要素と対応付けが開始される上りリンク制御チャネルのリソースを示す情報と、を前記基地局装置より受信するステップと、前記受信された情報に基づき、複数の下りリンク制御チャネル領域を設定するステップと、前記受信された情報に基づき、下りリンク制御チャネル領域の第二の要素と対応付けが開始される上りリンク制御チャネルのリソースを前記設定されたそれぞれの前記下りリンク制御チャネル領域に対して設定するステップと、を少なくとも含むことを特徴とする。
【００２９】
（９）また、本発明の通信方法において、前記上りリンク制御チャネルは、受信確認応答の送受信に用いられ、前記受信確認応答は前記下りリンク制御チャネルによりリソース割り当ての情報が示された下りリンク共用チャネルのデータに対する受信確認応答であることを特徴とする。
【００３０】
（１０）また、本発明の通信方法において、前記下りリンク共用チャネルのリソース割り当ての情報を含む前記下りリンク制御チャネルを構成する１つ以上の前記第二の要素の識別番号と、前記下りリンク制御チャネルが検出された下りリンク制御チャネル領域の第二の要素と対応付けが開始される上りリンク制御チャネルのリソースとに基づき、前記受信確認応答の送信に用いる上りリンク制御チャネルのリソースの識別番号を判断するステップを更に含むことを特徴とする。
【００３１】
（１１）また、本発明の通信方法は、下りリンク制御チャネルが配置される可能性のある領域である下りリンク制御チャネル領域として複数の物理リソースブロックペアが構成され、１つの前記物理リソースブロックペアを複数個に分割したリソースから第一の要素が構成され、１つの前記物理リソースブロックペア内の複数の前記第一の要素の集合、または複数の前記物理リソースブロックペア内の複数の前記第一の要素の集合から第二の要素が構成され、下りリンク制御チャネルは１個以上の前記第二の要素の集合から構成され、上りリンク制御チャネルのリソースが前記第二の要素のそれぞれと対応し、複数の移動局装置と前記下りリンク制御チャネルと前記上りリンク制御チャネルを用いて通信を行う基地局装置に用いられる通信方法であって、複数の下りリンク制御チャネル領域を設定し、下りリンク制御チャネル領域の第二の要素と対応付けが開始される上りリンク制御チャネルのリソースをそれぞれの前記下りリンク制御チャネル領域に対して設定するステップと、前記設定された情報を前記移動局装置に対して送信するステップと、を有することを特徴とする。
【００３２】
（１２）また、本発明の集積回路は、下りリンク制御チャネルが配置される可能性のある領域である下りリンク制御チャネル領域として複数の物理リソースブロックペアが構成され、１つの前記物理リソースブロックペアを複数個に分割したリソースから第一の要素が構成され、１つの前記物理リソースブロックペア内の複数の前記第一の要素の集合、または複数の前記物理リソースブロックペア内の複数の前記第一の要素の集合から第二の要素が構成され、下りリンク制御チャネルは１個以上の前記第二の要素の集合から構成され、上りリンク制御チャネルのリソースが前記第二の要素のそれぞれと対応し、基地局装置と前記下りリンク制御チャネルと前記上りリンク制御チャネルを用いて通信を行う移動局装置に実装される集積回路であって、複数の下りリンク制御チャネル領域を示す情報と、それぞれの前記下りリンク制御チャネル領域に対して下りリンク制御チャネル領域の第二の要素と対応付けが開始される上りリンク制御チャネルのリソースを示す情報と、を前記基地局装置より受信する第一の受信処理部と、前記第一の受信処理部で受信された情報に基づき、複数の下りリンク制御チャネル領域を設定する第一の無線リソース制御部と、前記第一の受信処理部で受信された情報に基づき、下りリンク制御チャネル領域の第二の要素と対応付けが開始される上りリンク制御チャネルのリソースを前記第一の無線リソース制御部で設定されたそれぞれの前記下りリンク制御チャネル領域に対して設定する第一の制御部と、を有することを特徴とする。
【００３３】
（１３）また、本発明の集積回路において、前記上りリンク制御チャネルは、受信確認応答の送受信に用いられ、前記受信確認応答は前記下りリンク制御チャネルによりリソース割り当ての情報が示された下りリンク共用チャネルのデータに対する受信確認応答であることを特徴とする。
【００３４】
（１４）また、本発明の集積回路において、前記第一の制御部は、前記下りリンク共用チャネルのリソース割り当ての情報を含む前記下りリンク制御チャネルを構成する１つ以上の前記第二の要素の識別番号と、前記下りリンク制御チャネルが検出された下りリンク制御チャネル領域の第二の要素と対応付けが開始される上りリンク制御チャネルのリソースとに基づき、前記受信確認応答の送信に用いる上りリンク制御チャネルのリソースの識別番号を判断することを特徴とする。
【００３５】
（１５）また、本発明の集積回路は、下りリンク制御チャネルが配置される可能性のある領域である下りリンク制御チャネル領域として複数の物理リソースブロックペアが構成され、１つの前記物理リソースブロックペアを複数個に分割したリソースから第一の要素が構成され、１つの前記物理リソースブロックペア内の複数の前記第一の要素の集合、または複数の前記物理リソースブロックペア内の複数の前記第一の要素の集合から第二の要素が構成され、下りリンク制御チャネルは１個以上の前記第二の要素の集合から構成され、上りリンク制御チャネルのリソースが前記第二の要素のそれぞれと対応し、複数の移動局装置と前記下りリンク制御チャネルと前記上りリンク制御チャネルを用いて通信を行う基地局装置に実装される集積回路であって、複数の下りリンク制御チャネル領域を設定し、下りリンク制御チャネル領域の第二の要素と対応付けが開始される上りリンク制御チャネルのリソースをそれぞれの前記下りリンク制御チャネル領域に対して設定する第二の無線リソース制御部と、前記第二の無線リソース制御部で設定された情報を前記移動局装置に対して送信する第二の送信処理部と、を有することを特徴とする。
【００３６】
本明細書では、移動局装置に対して制御チャネルが配置される可能性のある領域が基地局装置より設定される通信システム、移動局装置、基地局装置、通信方法および集積回路の改良という点において本発明を開示するが、本発明が適用可能な通信方式は、ＬＴＥまたはＬＴＥ−ＡのようにＬＴＥと上位互換性のある通信方式に限定されるものではない。例えば、本発明はＵＭＴＳ（Universal Mobile Telecommunications System）にも適用することができる。
【発明の効果】
【００３７】
この発明によれば、移動局装置が基地局装置に対して効率的に上りリンクの制御情報を含む信号を送信することができ、基地局装置は移動局装置から効率的に上りリンクの制御情報を含む信号を受信することができ、更に効率的な通信システムを実現することができる。
【図面の簡単な説明】
【００３８】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態に係る移動局装置５の第二のＰＤＣＣＨ領域毎のＰＵＣＣＨリソースオフセットの設定に関わる処理の一例を示すフローチャートである。
【図８】図８は、本発明の実施形態に係る基地局装置３の第二のＰＤＣＣＨ領域毎のＰＵＣＣＨリソースオフセットの設定に関わる処理の一例を示すフローチャートである。
【図９】本発明の実施形態に係る通信システムの全体像についての概略を説明する図である。
【図１０】本発明の実施形態に係る基地局装置３、またはＲＲＨ４から移動局装置５への下りリンクの時間フレームの概略構成を示す図である。
【図１１】本発明の実施形態に係る通信システム１の下りリンクサブフレーム内の下りリンク参照信号の配置の一例を示す図である。
【図１２】本発明の実施形態に係る通信システム１の下りリンクサブフレーム内の下りリンク参照信号の配置の一例を示す図である。
【図１３】８アンテナポート用のＣＳＩ−ＲＳ（伝送路状況測定用参照信号）がマッピングされたＤＬ  ＰＲＢ  ｐａｉｒを示す図である。
【図１４】本発明の実施形態に係る移動局装置５から基地局装置３、ＲＲＨ４への上りリンクの時間フレームの概略構成を示す図である。
【図１５】本発明の実施形態に係る通信システムのＡＣＫ／ＮＡＣＫ用のＰＵＣＣＨのリソースの構成と番号を示す図である。
【図１６】本発明の実施形態に係る通信システム１の第一のＰＤＣＣＨとＣＣＥの論理的な関係を説明する図である。
【図１７】本発明の実施形態に係る通信システム１の下りリンクサブフレームにおけるリソースエレメントグループの配置例を示す図である。
【図１８】本発明の実施形態に係る通信システム１において第二のＰＤＣＣＨ領域の概略構成の一例を示す図である。
【図１９】本発明の実施形態に係る通信システム１の第二のＰＤＣＣＨとＥ−ＣＣＥの論理的な関係を説明する図である。
【図２０】本発明の実施形態のＬｏｃａｌｉｚｅｄ  ｍａｐｐｉｎｇの一例を示す図である。
【図２１】本発明の実施形態のＤｉｓｔｒｉｂｕｔｅｄ  ｍａｐｐｉｎｇの一例を示す図である。
【図２２】本発明の実施形態のｅＲＥＧの構成の一例を示す図である。
【図２３】本発明の実施形態のｅＲＥＧの構成の一例を示す図である。
【図２４】本発明の実施形態に係る移動局装置５の第二のＰＤＣＣＨのモニタリングの一例を説明する図である。
【図２５】本発明の実施形態のＡＣＫ／ＮＡＣＫ  ＰＵＣＣＨのリソースと第二のＰＤＣＣＨ領域のｅＣＣＥとの対応付けを概念的に説明する図である。
【発明を実施するための形態】
【００３９】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、及びその他のシステム等の、種々の無線通信システムにおいて使用され得る。用語「システム」及び「ネットワーク」は、しばしば同義的に使用され得る。ＣＤＭＡシステムは、ユニバーサル地上波無線アクセス（ＵＴＲＡ）やｃｄｍａ２０００（登録商標）等のような無線技術（規格）を実装し得る。ＵＴＲＡは、広帯域ＣＤＭＡ（ＷＣＤＭＡ）及びＣＤＭＡのその他の改良型を含む。ｃｄｍａ２０００は、ＩＳ−２０００、ＩＳ−９５、及びＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））のような無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ‐ＯＦＤＭ（登録商標）などのような無線技術を実装し得る。３ＧＰＰ ＬＴＥ（Ｌｏｎｇ  Ｔｅｒｍ  Ｅｖｏｌｕｔｉｏｎ）は、ダウンリンク上でＯＦＤＭＡを、アップリンク上でＳＣ−ＦＤＭＡを採用するＥ−ＵＴＲＡである。ＬＴＥ−Ａは、ＬＴＥを改良したシステム、無線技術、規格である。ＵＴＲＡ、Ｅ−ＵＴＲＡ、ＬＴＥ、ＬＴＥ−Ａ及びＧＳＭは、第３世代パートナーシッププロジェクト（３ＧＰＰ）と名付けられた機関からのドキュメントで説明されている。ｃｄｍａ２０００及びＵＭＢは、第３世代パートナーシッププロジェクト２（３ＧＰＰ２）と名付けられた機関からのドキュメントで説明されている。明確さのために、本技術のある側面は、ＬＴＥ、ＬＴＥ−Ａにおけるデータ通信について以下では述べられ、ＬＴＥ用語、ＬＴＥ−Ａ用語は、以下の記述の多くで用いられる。
【００４０】
以下、図面を参照しながら本発明の実施形態について詳しく説明する。図９〜図２５を用いて、本実施形態に係る通信システムの全体像、および無線フレームの構成などについて説明する。図１〜図６を用いて、本実施形態に係る通信システムの構成について説明する。図７〜図８を用いて、本実施形態に係る通信システムの動作処理について説明する。
【００４１】
図９は、本発明の実施形態に係る通信システムの全体像についての概略を説明する図である。この図が示す通信システム１は、基地局装置（eNodeB、NodeB、BS: Base Station、AP: Access Point; アクセスポイント、マクロ基地局とも呼称する。）３と、複数のＲＲＨ（Remote Radio Head、基地局装置より小型の屋外型の無線部を有する装置、Remote Radio Unit: RRUとも称す）（リモートアンテナ、分散アンテナとも呼称する。）４Ａ、４Ｂ、４Ｃと、複数の移動局装置（UE: User Equipment、MS: Mobile Station、MT: Mobile Terminal、端末、端末装置、移動端末とも呼称する）５Ａ、５Ｂ、５Ｃとが通信を行なう。以下、本実施形態において、ＲＲＨ４Ａ、４Ｂ、４ＣをＲＲＨ４と呼び、移動局装置５Ａ、５Ｂ、５Ｃを移動局装置５と呼び、適宜説明を行なう。通信システム１では、基地局装置３とＲＲＨ４が協調して、移動局装置５と通信を行う。図９では、基地局装置３とＲＲＨ４Ａとが移動局装置５Ａと協調通信を行い、基地局装置３とＲＲＨ４Ｂとが移動局装置５Ｂと協調通信を行い、基地局装置３とＲＲＨ４Ｃとが移動局装置５Ｃと協調通信を行う。
【００４２】
なお、ＲＲＨは、基地局装置の特殊な形態とも言える。例えば、ＲＲＨは信号処理部のみを有し、他の基地局装置によってＲＲＨで用いられるパラメータの設定、スケジューリングの決定などが行われる基地局装置と言うことができる。よって、以降の説明では、基地局装置３という表現は、適宜ＲＲＨ４を含むことに注意すべきである。
【００４３】
＜協調通信＞
本発明の実施形態に係る通信システム１では、複数のセルを用いて協調して信号の送受信が行なわれる協調通信（Cooperative Multipoint: CoMP通信）が用いられうる。なお、例えば、基地局装置が任意の１つの周波数帯域を用いて通信する形態のことを「セル（Cell）」と呼称する。例えば、協調通信として、複数のセル（基地局装置３とＲＲＨ４）で異なる重み付け信号処理（プリコーディング処理）が信号に適用され、基地局装置３とＲＲＨ４がその信号を協調して同一の移動局装置５に送信する（Joint Processing、Joint Transmission）。例えば、協調通信として、複数のセル（基地局装置３とＲＲＨ４）で協調して移動局装置５に対してスケジューリングを行う（Coordinated Scheduling: CS）。例えば、協調通信として、複数のセル（基地局装置３とＲＲＨ４）で協調してビームフォーミングを適用して移動局装置５に信号を送信する（Coordinated Beamforming: CB）。例えば、協調通信として、一方のセル（基地局装置３、またはＲＲＨ４）でのみ所定のリソースを用いて信号を送信し、一方のセル（基地局装置３、またはＲＲＨ４）では所定のリソースで信号を送信しない（Blanking, Muting）。例えば、協調通信として、複数のセル（基地局装置３とＲＲＨ４）の中で、サブフレーム毎に送信に用いるセルが選択されて、移動局装置５に信号が送信される（Dynamic Point Switching: DPS）。
【００４４】
なお、本発明の実施形態では説明を省略するが、協調通信に用いられる複数のセルに関して、異なるセルは異なる基地局装置３により構成されてもよいし、異なるセルは同じ基地局装置３に管理される異なるＲＲＨ４により構成されてもよいし、異なるセルは基地局装置３とその基地局装置とは異なる基地局装置３に管理されるＲＲＨ４により構成されてもよい。
【００４５】
なお、複数のセルは物理的には異なるセルとして用いられるが、論理的には同一のセルとして用いられてもよい。具体的には、共通のセル識別子（物理セルＩＤ：Physical cell ID）が各セルに用いられる構成でもよい。例えば、物理的に異なるセルにおいて共通の物理セルＩＤが用いられるが、異なる仮想的セルＩＤ（Virtual cell ID）がそれぞれのセルにおいて用いられる。例えば、そのようなセルはＶｉｒｔｕａｌ  Ｃｅｌｌと呼称する。複数の送信装置（基地局装置３とＲＲＨ４）が同一の周波数帯域を用いて同一の受信装置に対して共通の信号を送信する構成を単一周波数ネットワーク（Single Frequency Network: SFN）と呼称する。
【００４６】
本発明の実施形態の通信システム１の展開は、ヘテロジーニアスネットワーク展開を想定する。通信システム１は、基地局装置３と、ＲＲＨ４により構成され、基地局装置３によりサポートされるカバレッジがＲＲＨ４によりサポートされるカバレッジの一部または全部を含んで構成される。ここで、カバレッジとは、要求を満たしつつ通信を実現することができるエリアのことを意味する。通信システム１では、基地局装置３とＲＲＨ４が、お互いに重複したカバレッジ内に位置する移動局装置５に対して、協調して信号を送信する。ここで、ＲＲＨ４は、基地局装置３により管理され、送受信が制御されている。なお、基地局装置３とＲＲＨ４は、光ファイバ等の有線回線や、リレー技術を用いた無線回線により接続されている。
【００４７】
移動局装置５は、基地局装置３またはＲＲＨ４の付近に位置している場合、基地局装置３またはＲＲＨ４とシングルセル通信を用いてもよい。つまり、ある移動局装置５は、協調通信を用いずに、基地局装置３またはＲＲＨ４と通信を行い、信号の送受信を行なってもよい。例えば、基地局装置３は、自装置に距離的に近い移動局装置５からの上りリンクの信号を受信してもよい。例えば、ＲＲＨ４は、自装置に距離的に近い移動局装置５からの上りリンクの信号を受信してもよい。また、例えば、基地局装置３とＲＲＨ４の両方が、ＲＲＨ４が構築するカバレッジの端付近（セルエッジ）に位置する移動局装置５からの上りリンクの信号を受信してもよい。
【００４８】
また、移動局装置５は、下りリンクでは、協調通信を用いて、基地局装置３とＲＲＨ４の双方から送信された信号を受信し、上りリンクでは、基地局装置３、またはＲＲＨ４の何れかに対して適した形で信号を送信してもよい。例えば、移動局装置５は、基地局装置３で信号が受信されるのに適した送信電力で上りリンクの信号を送信する。例えば、移動局装置５は、ＲＲＨ４で信号が受信されるのに適した送信電力で上りリンクの信号を送信する。
【００４９】
複数のＲＲＨ４は、下りリンクにおいて、同一の物理的なリソースを用いて、異なる信号を同時に送信してもよい。例えば、ＲＲＨ４ＡとＲＲＨ４ＢとＲＲＨ４Ｃは、それぞれ異なるスクランブリング系列を用いた参照信号を下りリンクで送信する。このように、同一の物理的なリソースを用いて空間的に離れた複数の移動局装置と通信を行なう形態を、Ｃｅｌｌ−ｓｐｌｉｔｔｉｎｇと呼称する。１つの基地局装置３のカバレッジエリア内に複数のＲＲＨ４が通信エリアを形成し、それぞれのＲＲＨ４によりＶｉｒｔｕａｌ  ｃｅｌｌが構成される。このようなセル展開では、移動局装置５はＶｉｒｔｕａｌ  ｃｅｌｌの存在を陽に認識せず、そのため、異なるＶｉｒｔｕａｌ  ｃｅｌｌに移動局装置５が移動した場合であっても、ハンドオーバー手順は実行されない。
【００５０】
基地局装置３とＲＲＨ４は、下りリンクにおいて、同一の物理的なリソースを用いて、異なる信号を同時に送信してもよい。例えば、基地局装置３とＲＲＨ４は、それぞれ異なるスクランブリング系列を用いた参照信号を下りリンクで送信する。基地局装置３とＲＲＨ４は、それぞれ異なるプリコーディング処理を送信する信号に実行し、それぞれのエリア内の移動局装置５に対する信号に対してビームを制御することにより、周波数領域および時間領域で同一のリソースを用いた場合であっても、移動局装置５間の信号に対して比較的高い直交性を実現し、同一チャネル干渉の低減を行う。このような技術は、ＭＵ（Multi-User）−ＭＩＭＯと呼称する。空間的に移動局装置５間の信号を多重分離することから、ＳＤＭＡ（Space Division Multiple Access）とも呼称する。異なるスクランブリング系列を用いた参照信号を用いたＭＵ−ＭＩＭＯは、ＭＵ−ＭＩＭＯ  ｗｉｔｈ  ｑｕａｓｉ−ｏｒｔｈｏｇｏｎａｌ  ＲＳと呼称する。
【００５１】
図９において、ＲＲＨ４Ａの近くのエリアをエリアＡ、ＲＲＨ４Ｂの近くのエリアをエリアＢ、ＲＲＨ４Ｃの近くのエリアをエリアＣとする。基地局装置３のエリア内で、エリアＡに位置する移動局装置５とエリアＢに位置する移動局装置５とエリアＣに位置する移動局装置５のそれぞれに用いられる、後述する第二のＰＤＣＣＨとＵＥ−ｓｐｅｃｉｆｉｃ  ＲＳに対して異なるプリコーディング処理が行われうる。第二のＰＤＣＣＨが配置される可能性のある領域に関して、エリアＡに位置する移動局装置５とエリアＢに位置する移動局装置５とエリアＣに位置する移動局装置５とに対してその領域が独立に設定され、独立にプリコーディング処理が適用されうる。
【００５２】
通信システム１では、基地局装置３、またはＲＲＨ４から移動局装置５への通信方向である下りリンク（DL: Downlinkとも呼称する。）が、下りリンクパイロットチャネル、物理下りリンク制御チャネル（PDCCH: Physical Downlink Control CHannelとも呼称する。）、および物理下りリンク共用チャネル（PDSCH: Physical Downlink Shared CHannelとも呼称する。）を含んで構成される。ＰＤＳＣＨは、協調通信が適用されたり、適用されなかったりする。ＰＤＣＣＨは、第一のＰＤＣＣＨと、第二のＰＤＣＣＨ（強化された物理下りリンク制御チャネル）（ｅＰＤＣＣＨ：ｅｎｈａｎｃｅｄ  ＰＤＣＣＨ）とにより構成される。下りリンクパイロットチャネルは、ＰＤＳＣＨ、第一のＰＤＣＣＨの復調に用いられる第一のタイプの参照信号（後述するＣＲＳ）と、ＰＤＳＣＨ、第二のＰＤＣＣＨの復調に用いられる第二のタイプの参照信号（後述するＵＥ−ｓｐｅｃｉｆｉｃ  ＲＳ）と、第三のタイプの参照信号（後述するＣＳＩ‐ＲＳ）とにより構成される。
【００５３】
なお、１つの観点から見ると、第一のＰＤＣＣＨは、第一のタイプの参照信号と同じ送信ポート（アンテナポート、送信アンテナ）が用いられる物理チャネルである。また、第二のＰＤＣＣＨは、第二のタイプの参照信号と同じ送信ポートが用いられる物理チャネルである。移動局装置５は、第一のＰＤＣＣＨにマッピングされる信号に対して、第一のタイプの参照信号を用いて復調し、第二のＰＤＣＣＨにマッピングされる信号に対して、第二のタイプの参照信号を用いて復調する。第一のタイプの参照信号は、セル内の全移動局装置５に共通の参照信号であって、ほぼすべてのリソースブロックに挿入されており、いずれの移動局装置５も使用可能な参照信号である。このため、第一のＰＤＣＣＨは、いずれの移動局装置５も復調可能である。一方、第二のタイプの参照信号は、割り当てられたリソースブロックのみに基本的に挿入されうる参照信号である。第二のタイプの参照信号には、データと同じように適応的にプリコーディング処理が適用されうる。
【００５４】
なお、１つの観点から見ると、第一のＰＤＣＣＨは、ＰＤＳＣＨが配置されないＯＦＤＭシンボルに配置される制御チャネルである。また、第二のＰＤＣＣＨは、ＰＤＳＣＨが配置されるＯＦＤＭシンボルに配置される制御チャネルである。なお、１つの観点から見ると、第一のＰＤＣＣＨは、基本的に下りリンクシステム帯域の全てのＰＲＢ（１番目のスロットのＰＲＢ）に亘って信号が配置される制御チャネルであり、第二のＰＤＣＣＨは、下りリンクシステム帯域内の基地局装置３より構成されたＰＲＢ  ｐａｉｒ（ＰＲＢ）に亘って信号が配置される制御チャネルである。なお、詳細は後述するが、１つの観点から見ると、第一のＰＤＣＣＨと第二のＰＤＣＣＨは異なる信号構成が用いられる。第一のＰＤＣＣＨは後述するＣＣＥ構造が信号構成に用いられ、第二のＰＤＣＣＨは後述するｅＣＣＥ（ｅｎｈａｎｃｅｄ  ＣＣＥ）（第二の要素）構造が信号構成に用いられる。言い換えると、第一のＰＤＣＣＨと第二のＰＤＣＣＨとで、１つの制御チャネルの構成に用いられるリソースの最小単位（要素）が異なり、各制御チャネルはそれぞれの最小単位を１つ以上含んで構成される。
【００５５】
また、通信システム１では、移動局装置５から基地局装置３、またはＲＲＨ４への通信方向である上りリンク（UL: Uplinkとも呼称する）が、物理上りリンク共用チャネル（PUSCH: PhysicalUplink Shared CHannelとも呼称する。）、上りリンクパイロットチャネル（上りリンク参照信号; UL RS: Uplink Reference Signal、SRS: Sounding Reference Signal、DM RS: Demodulation Reference Signal）、および物理上りリンク制御チャネル（PUCCH: Physical Uplink Control CHannelとも呼称する。）を含んで構成される。チャネルとは、信号の送信に用いられる媒体を意味する。物理層で用いられるチャネルは物理チャネル、媒体アクセス制御（Medium Access Control: MAC）層で用いられるチャネルは論理チャネルと呼称する。
【００５６】
また、本発明は、例えば下りリンクに協調通信が適用される場合、例えば下りリンクに複数アンテナ送信が適用される場合の通信システムに適用可能であり、説明の簡略化のため、上りリンクにおいては協調通信が適用されない場合、上りリンクにおいては複数アンテナ送信が適用されない場合について説明するが、そのような場合に本発明は限定されない。
【００５７】
ＰＤＳＣＨは、下りリンクのデータおよび制御情報（ＰＤＣＣＨで送信される制御情報とは異なる）の送受信に用いられる物理チャネルである。ＰＤＣＣＨは、下りリンクの制御情報（ＰＤＳＣＨで送信される制御情報とは異なる）の送受信に用いられる物理チャネルである。ＰＵＳＣＨは、上りリンクのデータおよび制御情報（下りリンクで送信される制御情報とは異なる）の送受信に用いられる物理チャネルである。ＰＵＣＣＨは、上りリンクの制御情報（上りリンク制御情報; Uplink Control Information: UCI）の送受信に用いられる物理チャネルである。ＵＣＩの種類としては、ＰＤＳＣＨの下りリンクのデータに対する肯定応答（Acknowledgement: ACK）、または否定応答（Negative Acknowledgement: NACK）を示す受信確認応答（ACK/NACK）と、リソースの割り当てを要求するか否かを示すスケジューリング要求（Scheduling request: SR）等が用いられる。その他の物理チャネルの種類としては、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報（SIB: System Information Blockとも呼称する。）の送信に用いられる物理報知チャネル（Physical Broadcast CHannel: PBCH）等が用いられる。また、ＰＤＳＣＨは下りリンクのシステム情報の送信にも用いられる。
【００５８】
移動局装置５、基地局装置３、またはＲＲＨ４は、制御情報、データなどから生成した信号を各物理チャネルに配置して、送信する。移動局装置５、基地局装置３、またはＲＲＨ４は、制御情報、データなどから生成した信号が配置されて送信された各物理チャネルを受信する。ＰＤＳＣＨ、またはＰＵＳＣＨで送信されるデータは、トランスポートブロックと呼称する。また、基地局装置３、またはＲＲＨ４が管轄するエリアのことをセルと呼ぶ。
【００５９】
＜下りリンクの時間フレームの構成＞
図１０は、本発明の実施形態に係る基地局装置３、またはＲＲＨ４から移動局装置５への下りリンクの時間フレームの概略構成を示す図である。この図において、横軸は時間領域、縦軸は周波数領域を表している。下りリンクの時間フレームは、リソースの割り当てなどの単位であり、下りリンクの予め決められた幅の周波数帯および時間帯からなるリソースブロック（RB）（物理リソースブロック; PRB: Physical Resource Blockとも呼称する。）のペア（物理リソースブロックペア; PRB pairと呼称する。）から構成される。１個の下りリンクのＰＲＢ  ｐａｉｒ（下りリンク物理リソースブロックペア; DL PRB pairと呼称する。）は下りリンクの時間領域で連続する２個のＰＲＢ（下りリンク物理リソースブロック; DL PRBと呼称する。）から構成される。
【００６０】
また、この図において、１個のＤＬ  ＰＲＢは、下りリンクの周波数領域において１２個のサブキャリア（下りリンクサブキャリアと呼称する。）から構成され、時間領域において７個のＯＦＤＭ（直交周波数分割多重; Orthogonal Frequency Division Multiplexing）シンボルから構成される。下りリンクのシステム帯域（下りリンクシステム帯域と呼称する。）は、基地局装置３、またはＲＲＨ４の下りリンクの通信帯域である。例えば、下りリンクのシステム帯域幅（下りリンクシステム帯域幅と呼称する。）は、２０ＭＨｚの周波数帯域幅から構成される。
【００６１】
なお、下りリンクシステム帯域では下りリンクシステム帯域幅に応じて複数のＤＬ  ＰＲＢ（ＤＬ  ＰＲＢ  ｐａｉｒ）が配置される。例えば、２０ＭＨｚの周波数帯域幅の下りリンクシステム帯域は、１１０個のＤＬ  ＰＲＢ（ＤＬ  ＰＲＢ  ｐａｉｒ）から構成される。
【００６２】
また、この図が示す時間領域においては、７個のＯＦＤＭシンボルから構成されるスロット（下りリンクスロットと呼称する。）、２個の下りリンクスロットから構成されるサブフレーム（下りリンクサブフレームと呼称する。）がある。なお、１個の下りリンクサブキャリアと１個のＯＦＤＭシンボルから構成されるユニットをリソースエレメント（Resource Element: RE）（下りリンクリソースエレメント）と呼称する。各下りリンクサブフレームには少なくとも、情報データ（トランスポートブロック; Transport Blockとも呼称する。）の送信に用いられるＰＤＳＣＨ、ＰＤＳＣＨに対する制御情報の送信に用いられる第一のＰＤＣＣＨ、第二のＰＤＣＣＨが配置される。この図においては、第一のＰＤＣＣＨは下りリンクサブフレームの１番目から３番目までのＯＦＤＭシンボルから構成され、ＰＤＳＣＨ、第二のＰＤＣＣＨは下りリンクサブフレームの４番目から１４番目までのＯＦＤＭシンボルから構成される。なお、ＰＤＳＣＨと第二のＰＤＣＣＨは異なるＤＬ  ＰＲＢ  ｐａｉｒに配置される。なお、第一のＰＤＣＣＨを構成するＯＦＤＭシンボルの数と、ＰＤＳＣＨ、第二のＰＤＣＣＨを構成するＯＦＤＭシンボルの数は、下りリンクサブフレーム毎に変更されてもよい。なお、第二のＰＤＣＣＨを構成するＯＦＤＭシンボルの数は、固定としてもよい。例えば、第一のＰＤＣＣＨを構成するＯＦＤＭシンボルの数や、ＰＤＳＣＨを構成するＯＦＤＭシンボルの数に関わらず、第二のＰＤＣＣＨが下りリンクサブフレームの４番目から１４番目までのＯＦＤＭシンボルから構成されてもよい。
【００６３】
なお、図１０において、第一のＰＤＣＣＨと図示されたリソースに１つ以上の第一のＰＤＣＣＨが配置される。なお、図１０において、第二のＰＤＣＣＨと図示されたリソースに１つ以上の第二のＰＤＣＣＨが配置される。なお、図１０において、ＰＤＳＣＨと図示されたリソースに１つ以上のＰＤＳＣＨが配置される。
【００６４】
この図において図示は省略するが、下りリンクの参照信号（Reference signal: RS）（下りリンク参照信号と呼称する。）の送信に用いられる下りリンクパイロットチャネルが複数の下りリンクリソースエレメントに分散して配置される。ここで、下りリンク参照信号は、少なくとも異なるタイプの第一のタイプの参照信号と第二のタイプの参照信号と第三のタイプの参照信号とから構成される。例えば、下りリンク参照信号は、ＰＤＳＣＨおよびＰＤＣＣＨ（第一のＰＤＣＣＨ、第二のＰＤＣＣＨ）の伝搬路変動の推定に用いられる。第一のタイプの参照信号は、ＰＤＳＣＨ、第一のＰＤＣＣＨの復調に用いられ、Ｃｅｌｌ  ｓｐｅｃｉｆｉｃ  ＲＳ：ＣＲＳとも呼称する。第二のタイプの参照信号は、ＰＤＳＣＨ、第二のＰＤＣＣＨの復調に用いられ、ＵＥ‐ｓｐｅｃｉｆｉｃ  ＲＳとも呼称する。例えば、第三のタイプの参照信号は、伝搬路変動の推定のみに用いられ、Ｃｈａｎｎｅｌ  Ｓｔａｔｅ  Ｉｎｆｏｒｍａｔｉｏｎ  ＲＳ：ＣＳＩ−ＲＳとも呼称する。下りリンク参照信号は、通信システム１において既知の信号である。なお、下りリンク参照信号を構成する下りリンクリソースエレメントの数は、基地局装置３、ＲＲＨ４において移動局装置５への通信に用いられる送信アンテナ（アンテナポート）の数に依存してもよい。以降の説明では、第一のタイプの参照信号としてＣＲＳ、第二のタイプの参照信号としてＵＥ‐ｓｐｅｃｉｆｉｃ  ＲＳ、第三のタイプの参照信号としてＣＳＩ−ＲＳが用いられる場合について説明する。なお、ＵＥ‐ｓｐｅｃｉｆｉｃ  ＲＳは、協調通信が適用されるＰＤＳＣＨ、協調通信が適用されないＰＤＳＣＨの復調にも用いられうる。なお、ＵＥ‐ｓｐｅｃｉｆｉｃ  ＲＳは、協調通信（プリコーディング処理）が適用される第二のＰＤＣＣＨ、協調通信が適用されない第二のＰＤＣＣＨの復調にも用いられうる。
【００６５】
ＰＤＣＣＨ（第一のＰＤＣＣＨ、または第二のＰＤＣＣＨ）は、ＰＤＳＣＨに対するＤＬ  ＰＲＢ  ｐａｉｒの割り当てを示す情報、ＰＵＳＣＨに対するＵＬ  ＰＲＢ  ｐａｉｒの割り当てを示す情報、移動局識別子（Radio Network Temporary Identifier: RNTIと呼称する。）、変調方式、符号化率、再送パラメータ、空間多重数、プリコーディング行列、送信電力制御コマンド（TPC command）を示す情報などの制御情報から生成された信号が配置される。ＰＤＣＣＨに含まれる制御情報を下りリンク制御情報（Downlink Control Information: DCI）と呼称する。ＰＤＳＣＨに対するＤＬ  ＰＲＢ  ｐａｉｒの割り当てを示す情報を含むＤＣＩは下りリンクアサインメント（Downlink assignment: DL assignment、またDownlink grantとも呼称する。）と呼称し、ＰＵＳＣＨに対するＵＬ  ＰＲＢ  ｐａｉｒの割り当てを示す情報を含むＤＣＩは上りリンクグラント（Uplink grant: UL grantと呼称する。）と呼称する。なお、下りリンクアサインメントは、ＰＵＣＣＨに対する送信電力制御コマンドを含む。なお、上りリンクアサインメントは、ＰＵＳＣＨに対する送信電力制御コマンドを含む。なお、１個のＰＤＣＣＨは、１個のＰＤＳＣＨのリソースの割り当てを示す情報、または１個のＰＵＳＣＨのリソースの割り当てを示す情報しか含まず、複数のＰＤＳＣＨのリソースの割り当てを示す情報、または複数のＰＵＳＣＨのリソースの割り当てを示す情報を含まない。
【００６６】
更に、ＰＤＣＣＨで送信される情報として、巡回冗長検査ＣＲＣ（Ｃｙｃｌｉｃ  Ｒｅｄｕｎｄａｎｃｙ  Ｃｈｅｃｋ）符号がある。ＰＤＣＣＨで送信される、ＤＣＩ、ＲＮＴＩ、ＣＲＣの関係について詳細に説明する。予め決められた生成多項式を用いてＤＣＩからＣＲＣ符号が生成される。生成されたＣＲＣ符号に対してＲＮＴＩを用いて排他的論理和（スクランブリングとも呼称する）の処理が行われる。ＤＣＩを示すビットと、ＣＲＣ符号に対してＲＮＴＩを用いて排他的論理和の処理が行われて生成されたビット（ＣＲＣ  ｍａｓｋｅｄ  ｂｙ  ＵＥ  ＩＤと呼称する）を変調した信号が、ＰＤＣＣＨで実際に送信される。
【００６７】
ＰＤＳＣＨのリソースは、時間領域において、そのＰＤＳＣＨのリソースの割り当てに用いられた下りリンクアサインメントを含むＰＤＣＣＨのリソースが配置された下りリンクサブフレームと同一の下りリンクサブフレームに配置される。
【００６８】
下りリンク参照信号の配置について説明する。図１１は、本発明の実施形態に係る通信システム１の下りリンクサブフレーム内の下りリンク参照信号の配置の一例を示す図である。説明の簡略化のため、図１１では、ある１個のＤＬ  ＰＲＢ  ｐａｉｒ内の下りリンク参照信号の配置について説明するが、下りリンクシステム帯域内の複数のＤＬ  ＰＲＢ  ｐａｉｒにおいて共通した配置方法が用いられる。
【００６９】
網掛けした下りリンクリソースエレメントのうち、Ｒ０〜Ｒ１は、それぞれアンテナポート０〜１のＣＲＳを示す。ここで、アンテナポートとは、信号処理で用いる論理的なアンテナを意味し、１個のアンテナポートは複数の物理的なアンテナから構成されてもよい。ＣＲＳの送信に用いられるアンテナポートについては、同一のアンテナポートを構成する複数の物理的なアンテナは、同一の信号を送信する。ＣＲＳの送信に用いられるアンテナポートについては、同一のアンテナポート内で、複数の物理的なアンテナを用いて、遅延ダイバーシチ、またはＣＤＤ（Cyclic Delay Diversity）を適用することはできるが、その他の信号処理を用いることはできない。ここで、図１１においては、ＣＲＳが２つのアンテナポートに対応する場合について示すが、本実施形態の通信システムは異なる数のアンテナポートに対応してもよく、例えば、１つのアンテナポートや４つのアンテナポートに対するＣＲＳが下りリンクのリソースにマッピングされてもよい。ＣＲＳは、下りリンクシステム帯域内の全てのＤＬ  ＰＲＢ  ｐａｉｒ内に配置されうる。
【００７０】
網掛けした下りリンクリソースエレメントのうち、Ｄ１はＵＥ‐ｓｐｅｃｉｆｉｃ  ＲＳが配置される下りリンクリソースエレメントを示す。ここで、アンテナポートとは、信号処理で用いる論理的なアンテナを意味し、１個のアンテナポートは複数の物理的なアンテナから構成されてもよい。ＵＥ‐ｓｐｅｃｉｆｉｃ  ＲＳの送信に用いられるアンテナポートについては、同一のアンテナポートを構成する複数の物理的なアンテナは、異なる信号処理（例えば、異なる位相回転処理）が行われた信号を送信する。ＵＥ‐ｓｐｅｃｉｆｉｃ  ＲＳの送信に用いられるアンテナポートについては、同一のアンテナポート内で、複数の物理的なアンテナを用いて、ビームフォーミングを実現する。複数のアンテナポートを用いてＵＥ‐ｓｐｅｃｉｆｉｃ  ＲＳが送信される場合、各アンテナポートで異なる符号が用いられる。例えば、その符号には、Ｗａｌｓｈ符号が用いられる。つまり、各アンテナポートに対するＵＥ‐ｓｐｅｃｉｆｉｃ  ＲＳにＣＤＭ（Code Division Multiplexing）が適用される。ここで、ＵＥ‐ｓｐｅｃｉｆｉｃ  ＲＳは、そのＤＬ  ＰＲＢ  ｐａｉｒにマッピングされる制御信号やデータ信号に用いられる信号処理のタイプ（アンテナポートの数）に応じて、ＣＤＭに用いられる符号の長さやマッピングされる下りリンクリソースエレメントの数が変えられてもよい。
【００７１】
図１１は、ＵＥ‐ｓｐｅｃｉｆｉｃ  ＲＳの送信に用いられるアンテナポートの数が１本（アンテナポート７）、または２本（アンテナポート７とアンテナポート８）の場合のＵＥ‐ｓｐｅｃｉｆｉｃ  ＲＳの配置の一例を示している。例えば、基地局装置３、ＲＲＨ４において、ＵＥ‐ｓｐｅｃｉｆｉｃ  ＲＳの送信に用いられるアンテナポートの数が２本の場合、符号の長さが２である符号を用いて、同じ周波数領域（サブキャリア）で連続する時間領域（ＯＦＤＭシンボル）の２個の下りリンクリソースエレメントを一単位（ＣＤＭの単位）としてＵＥ‐ｓｐｅｃｉｆｉｃ  ＲＳが多重されて、配置される。言い換えると、この場合、ＵＥ‐ｓｐｅｃｉｆｉｃ  ＲＳの多重にＣＤＭが適用される。図１１において、Ｄ１にアンテナポート７とアンテナポート８のＵＥ‐ｓｐｅｃｉｆｉｃ  ＲＳがＣＤＭで多重される。
【００７２】
図１２は、本発明の実施形態に係る通信システム１の下りリンクサブフレーム内の下りリンク参照信号の配置の一例を示す図である。網掛けした下りリンクリソースエレメントのうち、Ｄ１とＤ２はＵＥ‐ｓｐｅｃｉｆｉｃ  ＲＳを示す。図１２は、ＵＥ‐ｓｐｅｃｉｆｉｃ  ＲＳの送信に用いられるアンテナポートの数が３本（アンテナポート７とアンテナポート８とアンテナポート９）、または４本（アンテナポート７とアンテナポート８とアンテナポート９とアンテナポート１０）の場合のＵＥ‐ｓｐｅｃｉｆｉｃ  ＲＳの配置の一例を示している。例えば、基地局装置３、ＲＲＨ４においてＵＥ‐ｓｐｅｃｉｆｉｃ  ＲＳの送信に用いられるアンテナポートの数が４本の場合、ＵＥ‐ｓｐｅｃｉｆｉｃ  ＲＳがマッピングされる下りリンクリソースエレメントの数が２倍に変えられ、２本のアンテナポート毎に異なる下りリンクリソースエレメントにＵＥ‐ｓｐｅｃｉｆｉｃ  ＲＳが多重されて、配置される。言い換えると、この場合、ＵＥ‐ｓｐｅｃｉｆｉｃ  ＲＳの多重にＣＤＭとＦＤＭ（Frequency Division Multiplexing）が適用される。図１２において、Ｄ１にアンテナポート７とアンテナポート８のＵＥ‐ｓｐｅｃｉｆｉｃ  ＲＳがＣＤＭで多重され、Ｄ２にアンテナポート９とアンテナポート１０のＵＥ‐ｓｐｅｃｉｆｉｃ  ＲＳがＣＤＭで多重される。
【００７３】
例えば、基地局装置３、ＲＲＨ４においてＵＥ‐ｓｐｅｃｉｆｉｃ  ＲＳの送信に用いられるアンテナポートの数が８本の場合、ＵＥ‐ｓｐｅｃｉｆｉｃ  ＲＳがマッピングされる下りリンクリソースエレメントの数が２倍に変えられ、符号の長さが４である符号を用いて、４個の下りリンクリソースエレメントを一単位としてＵＥ‐ｓｐｅｃｉｆｉｃ  ＲＳが多重されて、配置される。言い換えると、この場合、ＵＥ‐ｓｐｅｃｉｆｉｃ  ＲＳの多重に異なる符号長のＣＤＭが適用される。
【００７４】
また、ＵＥ‐ｓｐｅｃｉｆｉｃ  ＲＳにおいて、各アンテナポートの符号に対してスクランブル符号がさらに重畳される。例えば、このスクランブル符号は、基地局装置３、ＲＲＨ４から通知されるセルＩＤ（物理セルＩＤ; Ｐｈｙｓｉｃａｌ  Ｃｅｌｌ  ＩＤ）およびスクランブルＩＤに基づいて生成される。例えば、スクランブル符号は、基地局装置３、ＲＲＨ４から通知されるセルＩＤおよびスクランブルＩＤに基づいて生成される擬似ランダム系列から生成される。例えば、スクランブルＩＤは、０または１を示す値である。また、ＵＥ‐ｓｐｅｃｉｆｉｃ  ＲＳに用いられるスクランブル符号の生成に、移動局装置５毎に個別に通知されるパラメータが用いられてもよい。例えば、移動局装置５毎に仮想セルＩＤ（Ｖｉｒｔｕａｌ  ｃｅｌｌ  ＩＤ）がパラメータとして基地局装置３から通知される。ＵＥ‐ｓｐｅｃｉｆｉｃ  ＲＳは、ＵＥ‐ｓｐｅｃｉｆｉｃ  ＲＳを用いることが設定された移動局装置５に割り当てられたＰＤＳＣＨ、第二のＰＤＣＣＨのＤＬ  ＰＲＢ  ｐａｉｒ内に配置される。ＰＤＳＣＨに割り当てられたＤＬ  ＰＲＢ  ｐａｉｒ内に配置されるＵＥ‐ｓｐｅｃｉｆｉｃ  ＲＳと、第二のＰＤＣＣＨに割り当てられたＤＬ  ＰＲＢ  ｐａｉｒ内に配置されるＵＥ‐ｓｐｅｃｉｆｉｃ  ＲＳとで、異なるスクランブリング方法が用いられてもよい。例えば、ＰＤＳＣＨに割り当てられたＤＬ  ＰＲＢ  ｐａｉｒ内に配置されるＵＥ‐ｓｐｅｃｉｆｉｃ  ＲＳに対しては、２つの仮想セルＩＤが基地局装置３から移動局装置５に構成され、下りリンク制御情報で、何れの仮想セルＩＤが用いられるかが示される。例えば、第二のＰＤＣＣＨに割り当てられたＤＬ  ＰＲＢ  ｐａｉｒ内に配置されるＵＥ‐ｓｐｅｃｉｆｉｃ  ＲＳに対しては、１つの仮想セルＩＤが基地局装置３から移動局装置５に構成され、固定値のスクランブリングＩＤ、例えば０が用いられる。
【００７５】
また、基地局装置３およびＲＲＨ４はそれぞれ、異なる下りリンクリソースエレメントにＣＲＳの信号を割り当ててもよいし、同じ下りリンクリソースエレメントにＣＲＳの信号を割り当ててもよい。例えば、基地局装置３およびＲＲＨ４から通知されるセルＩＤが異なる場合には、異なる下りリンクリソースエレメントにＣＲＳの信号が割り当てられてもよい。別の例では、基地局装置３のみが一部の下りリンクリソースエレメントにＣＲＳの信号を割り当て、ＲＲＨ４は何れの下りリンクリソースエレメントにもＣＲＳの信号を割り当てなくてもよい。例えば、基地局装置３からのみセルＩＤが通知される場合には、前述のように、基地局装置３のみが一部の下りリンクリソースエレメントにＣＲＳの信号を割り当て、ＲＲＨ４は何れの下りリンクリソースエレメントにもＣＲＳの信号を割り当てなくてもよい。別の例では、基地局装置３およびＲＲＨ４が同じ下りリンクリソースエレメントにＣＲＳの信号を割り当て、同じ系列を基地局装置３およびＲＲＨ４から送信してもよい。例えば、基地局装置３およびＲＲＨ４から通知されるセルＩＤが同じ場合には、前述のようにＣＲＳの信号が割り当ててもよい。
【００７６】
図１３は、８アンテナポート用のＣＳＩ−ＲＳ（伝送路状況測定用参照信号）がマッピングされたＤＬ  ＰＲＢ  ｐａｉｒを示す図である。図１３は、基地局装置３およびＲＲＨ４において用いられるアンテナポート数（ＣＳＩポート数）が８の場合のＣＳＩ−ＲＳがマッピングされる場合を示している。なお、図１３において、ＣＲＳ、ＵＥ‐ｓｐｅｃｉｆｉｃ  ＲＳ、ＰＤＣＣＨ、ＰＤＳＣＨ等の記載は、説明の簡略化のため、省略している。
【００７７】
ＣＳＩ−ＲＳは、それぞれのＣＤＭグループにおいて、２チップの直交符号（Ｗａｌｓｈ符号）が用いられ、それぞれの直交符号にＣＳＩポート（ＣＳＩ−ＲＳのポート（アンテナポート、リソースグリッド））が割り当てられ、２ＣＳＩポート毎に符号分割多重される。さらに、それぞれのＣＤＭグループが周波数分割多重される。４つのＣＤＭグループを用いて、ＣＳＩポート１〜８（アンテナポート１５〜２２）の８アンテナポートのＣＳＩ−ＲＳがマッピングされる。例えば、ＣＳＩ−ＲＳのＣＤＭグループＣ１では、ＣＳＩポート１および２（アンテナポート１５および１６）のＣＳＩ−ＲＳが符号分割多重され、マッピングされる。ＣＳＩ−ＲＳのＣＤＭグループＣ２では、ＣＳＩポート３および４（アンテナポート１７および１８）のＣＳＩ−ＲＳが符号分割多重され、マッピングされる。ＣＳＩ−ＲＳのＣＤＭグループＣ３では、ＣＳＩポート５および６（アンテナポート１９および２０）のＣＳＩ−ＲＳが符号分割多重され、マッピングされる。ＣＳＩ−ＲＳのＣＤＭグループＣ４では、ＣＳＩポート７および８（アンテナポート２１および２２）のＣＳＩ−ＲＳが符号分割多重され、マッピングされる。
【００７８】
基地局装置３およびＲＲＨ４のＣＳＩ−ＲＳのアンテナポートの数が８の場合、基地局装置３およびＲＲＨ４はＰＤＳＣＨに適用するレイヤー数（ランク数、空間多重数）を最大８とすることができる。また、基地局装置３およびＲＲＨ４は、ＣＳＩ−ＲＳのアンテナポートの数が１、２または４の場合のＣＳＩ−ＲＳを送信することができる。基地局装置３およびＲＲＨ４は、１アンテナポート用または２アンテナポート用のＣＳＩ−ＲＳを、図１３で示すＣＳＩ−ＲＳのＣＤＭグループＣ１を用いて、送信することができる。基地局装置３およびＲＲＨ４は、４アンテナポート用のＣＳＩ−ＲＳを、図１３で示すＣＳＩ−ＲＳのＣＤＭグループＣ１、Ｃ２を用いて、送信することができる。
【００７９】
また、基地局装置３およびＲＲＨ４はそれぞれ、異なる下りリンクリソースエレメントにＣＳＩ−ＲＳの信号を割り当てる場合もあるし、同じ下りリンクリソースエレメントにＣＳＩ−ＲＳの信号を割り当てる場合もある。例えば、基地局装置３およびＲＲＨ４はそれぞれ、異なる下りリンクリソースエレメントおよび、または異なる信号系列をＣＳＩ−ＲＳに割り当てる場合がある。移動局装置５においては、基地局装置３から送信されるＣＳＩ−ＲＳ、ＲＲＨ４から送信されるＣＳＩ−ＲＳは、それぞれ異なるアンテナポートに対応するＣＳＩ−ＲＳと認識される。基地局装置３から送信されるＣＳＩ−ＲＳの構成（アンテナポート数、リソース位置、送信されるサブフレーム）と、ＲＲＨ４から送信されるＣＳＩ−ＲＳの構成が独立に移動局装置５に設定される。また、複数のＲＲＨ４から送信されるＣＳＩ−ＲＳの構成がそれぞれ独立に移動局装置５に設定されうる。
【００８０】
ＣＳＩ−ＲＳの構成（ＣＳＩ−ＲＳ−Ｃｏｎｆｉｇ−ｒ１０）は、基地局装置３、ＲＲＨ４から移動局装置５に通知される。例えば、ＣＳＩ−ＲＳの構成としては、ＣＳＩ−ＲＳに設定されるアンテナポートの数を示す情報（ａｎｔｅｎｎａＰｏｒｔｓＣｏｕｎｔ−ｒ１０）、ＣＳＩ−ＲＳが配置される下りリンクサブフレームを示す情報（ｓｕｂｆｒａｍｅＣｏｎｆｉｇ−ｒ１０）、ＣＳＩ−ＲＳが配置される周波数領域を示す情報（ＲｅｓｏｕｒｃｅＣｏｎｆｉｇ−ｒ１０）が含まれる。ＣＳＩ−ＲＳのアンテナポートの数は、例えば、１，２，４，８の値の何れかが用いられる。ＣＳＩ−ＲＳが配置される周波数領域を示す情報として、アンテナポート１５（ＣＳＩポート１）に対応するＣＳＩ−ＲＳが配置されるリソースエレメントの中で、先頭のリソースエレメントの位置を示すインデックスが用いられる。アンテナポート１５に対応するＣＳＩ−ＲＳの位置が決まれば、他のアンテナポートに対応するＣＳＩ−ＲＳは予め決められたルールに基づき一意に決まる。ＣＳＩ−ＲＳが配置される下りリンクサブフレームを示す情報として、ＣＳＩ−ＲＳが配置される下りリンクサブフレームの位置と周期がインデックスにより示される。例えば、ｓｕｂｆｒａｍｅＣｏｎｆｉｇ−ｒ１０のインデックスが５であれば、１０サブフレーム毎にＣＳＩ−ＲＳが配置されることを示し、１０サブフレームを単位とする無線フレーム中ではサブフレーム０（無線フレーム内のサブフレームの番号）にＣＳＩ−ＲＳが配置されることを示す。また、別の例では、例えばｓｕｂｆｒａｍｅＣｏｎｆｉｇ−ｒ１０のインデックスが１であれば、５サブフレーム毎にＣＳＩ−ＲＳが配置されることを示し、１０サブフレームを単位とする無線フレーム中ではサブフレーム１と６にＣＳＩ−ＲＳが配置されることを示す。
【００８１】
＜上りリンクの時間フレームの構成＞
図１４は、本発明の実施形態に係る移動局装置５から基地局装置３、ＲＲＨ４への上りリンクの時間フレームの概略構成を示す図である。この図において、横軸は時間領域、縦軸は周波数領域を表している。上りリンクの時間フレームは、リソースの割り当てなどの単位であり、上りリンクの予め決められた幅の周波数帯および時間帯からなる物理リソースブロックのペア（上りリンク物理リソースブロックペア; UL PRB pairと呼称する。）から構成される。１個のＵＬ  ＰＲＢ  ｐａｉｒは、上りリンクの時間領域で連続する２個の上りリンクのＰＲＢ（上りリンク物理リソースブロック; UL PRBと呼称する。）から構成される。
【００８２】
また、この図において、１個のＵＬ  ＰＲＢは、上りリンクの周波数領域において１２個のサブキャリア（上りリンクサブキャリアと呼称する。）から構成され、時間領域において７個のＳＣ−ＦＤＭＡ（Single-Carrier Frequency Division Multiple Access）シンボルから構成される。上りリンクのシステム帯域（上りリンクシステム帯域と呼称する。）は、基地局装置３、ＲＲＨ４の上りリンクの通信帯域である。上りリンクのシステム帯域幅（上りリンクシステム帯域幅と呼称する。）は、例えば、２０ＭＨｚの周波数帯域幅から構成される。
【００８３】
なお、上りリンクシステム帯域では上りリンクシステム帯域幅に応じて複数のＵＬ  ＰＲＢ  ｐａｉｒが配置される。例えば、２０ＭＨｚの周波数帯域幅の上りリンクシステム帯域は、１１０個のＵＬ  ＰＲＢ  ｐａｉｒから構成される。また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）がある。なお、１個の上りリンクサブキャリアと１個のＳＣ−ＦＤＭＡシンボルから構成されるユニットをリソースエレメント（上りリンクリソースエレメントと呼称する。）と呼称する。
【００８４】
各上りリンクサブフレームには、少なくとも情報データの送信に用いられるＰＵＳＣＨ、上りリンク制御情報（UCI: Uplink Control Information）の送信に用いられるＰＵＣＣＨ、ＰＵＳＣＨとＰＵＣＣＨの復調（伝搬路変動の推定）のためのＵＬ  ＲＳ（ＤＭ  ＲＳ）が配置される。また、図示は省略するが、何れかの上りリンクサブフレームには、上りリンクの同期確立のために用いられるＰＲＡＣＨが配置される。また、図示は省略するが、何れかの上りリンクサブフレームには、チャネル品質、同期ずれの測定等に用いられるＵＬ  ＲＳ（ＳＲＳ）が配置される。ＰＵＣＣＨは、ＰＤＳＣＨを用いて受信されたデータに対する肯定応答（ACK: Acknowledgement）または否定応答（NACK: Negative Acknowledgement）を示すＵＣＩ（ACK/NACK）、上りリンクのリソースの割り当てを要求するか否かを少なくとも示すＵＣＩ（SR: Scheduling Request; スケジューリング要求）、下りリンクの受信品質（チャネル品質とも呼称する。）を示すＵＣＩ（CQI: Channel Quality Indicator; チャネル品質指標）を送信するために用いられる。
【００８５】
なお、移動局装置５が上りリンクのリソースの割り当てを要求することを基地局装置３に示す場合に、移動局装置５はＳＲの送信用のＰＵＣＣＨで信号を送信する。基地局装置３は、ＳＲの送信用のＰＵＣＣＨのリソースで信号を検出したという結果から移動局装置５が上りリンクのリソースの割り当てを要求していることを認識する。移動局装置５が上りリンクのリソースの割り当てを要求しないことを基地局装置３に示す場合に、移動局装置５は予め割り当てられたＳＲの送信用のＰＵＣＣＨのリソースで何も信号を送信しない。基地局装置３は、ＳＲの送信用のＰＵＣＣＨのリソースで信号を検出しなかったという結果から移動局装置５が上りリンクのリソースの割り当てを要求していないことを認識する。
【００８６】
また、ＰＵＣＣＨは、ＡＣＫ／ＮＡＣＫからなるＵＣＩが送信される場合と、ＳＲからなるＵＣＩが送信される場合と、ＣＱＩからなるＵＣＩが送信される場合とで異なる種類の信号構成が用いられる。ＡＣＫ／ＮＡＣＫの送信に用いられるＰＵＣＣＨをＰＵＣＣＨ  ｆｏｒｍａｔ  １ａ、またはＰＵＣＣＨ  ｆｏｒｍａｔ  １ｂと呼称する。ＰＵＣＣＨ  ｆｏｒｍａｔ  １ａでは、ＡＣＫ／ＮＡＣＫに関する情報を変調する変調方式としてＢＰＳＫ（二位相偏移変調; Binary Phase Shift Keying）が用いられる。ＰＵＣＣＨ  ｆｏｒｍａｔ  １ａでは、1ビットの情報が変調信号から示される。ＰＵＣＣＨ  ｆｏｒｍａｔ  １ｂでは、ＡＣＫ／ＮＡＣＫに関する情報を変調する変調方式としてＱＰＳＫ（四位相偏移変調; Quadrature Phase Shift Keying）が用いられる。ＰＵＣＣＨ  ｆｏｒｍａｔ  １ｂでは、２ビットの情報が変調信号から示される。ＳＲの送信に用いられるＰＵＣＣＨをＰＵＣＣＨ  ｆｏｒｍａｔ  １と呼称する。ＣＱＩの送信に用いられるＰＵＣＣＨをＰＵＣＣＨ  ｆｏｒｍａｔ  ２と呼称する。ＣＱＩとＡＣＫ／ＮＡＣＫの同時送信に用いられるＰＵＣＣＨをＰＵＣＣＨ  ｆｏｒｍａｔ  ２ａ、またはＰＵＣＣＨ  ｆｏｒｍａｔ  ２ｂと呼称する。ＰＵＣＣＨ  ｆｏｒｍａｔ  ２ａ、ＰＵＣＣＨ  ｆｏｒｍａｔ  ２ｂでは、上りリンクパイロットチャネルの参照信号（ＤＭ  ＲＳ）にＡＣＫ／ＮＡＣＫの情報から生成された変調信号が乗算される。ＰＵＣＣＨ  ｆｏｒｍａｔ  ２ａでは、ＡＣＫ／ＮＡＣＫに関する１ビットの情報とＣＱＩの情報が送信される。ＰＵＣＣＨ  ｆｏｒｍａｔ  ２ｂでは、ＡＣＫ／ＮＡＣＫに関する２ビットの情報とＣＱＩの情報が送信される。
【００８７】
なお、１個のＰＵＳＣＨは１個以上のＵＬ  ＰＲＢ  ｐａｉｒから構成され、１個のＰＵＣＣＨは上りリンクシステム帯域内において周波数領域に対称関係にあり、異なる上りリンクスロットに位置する２個のＵＬ  ＰＲＢから構成され、１個のＰＲＡＣＨは６個のＵＬ  ＰＲＢ  ｐａｉｒから構成される。例えば、図１４において、上りリンクサブフレーム内において、１番目の上りリンクスロットの最も周波数が低いＵＬ  ＰＲＢと、２番目の上りリンクスロットの最も周波数が高いＵＬ  ＰＲＢと、により、ＰＵＣＣＨに用いられるＵＬ  ＰＲＢ  ｐａｉｒの１個が構成される。なお、移動局装置５は、ＰＵＳＣＨとＰＵＣＣＨの同時送信を行なわないように設定されている場合、同一上りリンクサブフレームでＰＵＣＣＨのリソースとＰＵＳＣＨのリソースが割り当てられた場合は、ＰＵＳＣＨのリソースのみを用いて信号を送信する。なお、移動局装置５は、ＰＵＳＣＨとＰＵＣＣＨの同時送信を行なうように設定されている場合、同一上りリンクサブフレームでＰＵＣＣＨのリソースとＰＵＳＣＨのリソースが割り当てられた場合は、基本的にＰＵＣＣＨのリソースとＰＵＳＣＨのリソースの両方を用いて信号を送信することができる。
【００８８】
ＵＬ  ＲＳは、上りリンクパイロットチャネルに用いられる信号である。ＵＬ  ＲＳは、ＰＵＳＣＨおよびＰＵＣＣＨの伝搬路変動の推定に用いられる復調参照信号（DM RS: Demodulation Reference Signal）と、基地局装置３、ＲＲＨ４のＰＵＳＣＨの周波数スケジューリングおよび適応変調のためのチャネル品質の測定、基地局装置３、ＲＲＨ４と移動局装置５間の同期ずれの測定に用いられるサウンディング参照信号（SRS: Sounding Reference Signal）とから構成される。なお、説明の簡略化のため、図１４において、ＳＲＳは図示されていない。ＤＭ  ＲＳは、ＰＵＳＣＨと同じＵＬ  ＰＲＢ内に配置される場合と、ＰＵＣＣＨと同じＵＬ  ＰＲＢ内に配置される場合とで、異なるＳＣ−ＦＤＭＡシンボルに配置される。ＤＭ  ＲＳは、ＰＵＳＣＨおよびＰＵＣＣＨの伝搬路変動の推定に用いられる、通信システム１において既知の信号である。
【００８９】
ＤＭ  ＲＳは、ＰＵＳＣＨと同じＵＬ  ＰＲＢ内に配置される場合、上りリンクスロット内の４番目のＳＣ−ＦＤＭＡシンボルに配置される。ＤＭ  ＲＳは、ＡＣＫ／ＮＡＣＫを含むＰＵＣＣＨと同じＵＬ  ＰＲＢ内に配置される場合、上りリンクスロット内の３番目と４番目と５番目のＳＣ−ＦＤＭＡシンボルに配置される。ＤＭ  ＲＳは、ＳＲを含むＰＵＣＣＨと同じＵＬ  ＰＲＢ内に配置される場合、上りリンクスロット内の３番目と４番目と５番目のＳＣ−ＦＤＭＡシンボルに配置される。ＤＭ  ＲＳは、ＣＱＩを含むＰＵＣＣＨと同じＵＬ  ＰＲＢ内に配置される場合、上りリンクスロット内の２番目と６番目のＳＣ−ＦＤＭＡシンボルに配置される。
【００９０】
ＳＲＳは、基地局装置３が決定したＵＬ  ＰＲＢ内に配置され、上りリンクサブフレーム内の１４番目のＳＣ−ＦＤＭＡシンボル（上りリンクサブフレームの２番目の上りリンクスロットの７番目のＳＣ−ＦＤＭＡシンボル）に配置される。ＳＲＳは、セル内において基地局装置３が決定した周期の上りリンクサブフレーム（調査参照信号サブフレーム; SRS subframeと呼称する。）のみに配置され得る。ＳＲＳ  ｓｕｂｆｒａｍｅに対して、基地局装置３は移動局装置５毎にＳＲＳを送信する周期、ＳＲＳに割り当てるＵＬ  ＰＲＢを割り当てる。
【００９１】
図１４では、ＰＵＣＣＨが上りリンクシステム帯域の周波数領域で最も端のＵＬ  ＰＲＢに配置された場合を示しているが、上りリンクシステム帯域の端から２番目、３番目などのＵＬ  ＰＲＢがＰＵＣＣＨに用いられてもよい。
【００９２】
なお、ＰＵＣＣＨにおいて周波数領域での符号多重、時間領域での符号多重が用いられる。周波数領域での符号多重は、サブキャリア単位で符号系列の各符号が上りリンク制御情報から変調された変調信号に乗算されることにより処理される。時間領域での符号多重は、ＳＣ−ＦＤＭＡシンボル単位で符号系列の各符号が上りリンク制御情報から変調された変調信号に乗算されることにより処理される。複数のＰＵＣＣＨが同一のＵＬ  ＰＲＢに配置され、各ＰＵＣＣＨは異なる符号が割り当てられ、割り当てられた符号により周波数領域、または時間領域において符号多重が実現される。ＡＣＫ／ＮＡＣＫを送信するために用いられるＰＵＣＣＨ（ＰＵＣＣＨ  ｆｏｒｍａｔ  １ａ、またはＰＵＣＣＨ  ｆｏｒｍａｔ  １ｂと呼称する。）においては、周波数領域及び時間領域での符号多重が用いられる。ＳＲを送信するために用いられるＰＵＣＣＨ（ＰＵＣＣＨ  ｆｏｒｍａｔ  １と呼称する。）においては、周波数領域及び時間領域での符号多重が用いられる。ＣＱＩを送信するために用いられるＰＵＣＣＨ（ＰＵＣＣＨ  ｆｏｒｍａｔ  ２、またはＰＵＣＣＨ  ｆｏｒｍａｔ  ２ａ、またはＰＵＣＣＨ  ｆｏｒｍａｔ  ２ｂと呼称する。）においては、周波数領域での符号多重が用いられる。
【００９３】
図１５は、本発明の実施形態に係る通信システムのＡＣＫ／ＮＡＣＫ用のＰＵＣＣＨのリソースの構成と番号を示す図である。ここでは、ＰＵＣＣＨ  ｆｏｒｍａｔ  １ａ、またはＰＵＣＣＨ  ｆｏｒｍａｔ  １ｂが用いられるＰＵＣＣＨのリソースの一例を示す。図１５では、各上りリンクサブフレームに２４個のＡＣＫ／ＮＡＣＫ用のＰＵＣＣＨのリソースが構成される場合について示す。また、図１５では、ＡＣＫ／ＮＡＣＫ用のＰＵＣＣＨのリソースに２個のＵＬ  ＰＲＢ  ｐａｉｒ（ＵＬ  ＰＲＢ  ｐａｉｒ  ５、ＵＬ  ＰＲＢ  ｐａｉｒ  ６）、４個の周波数領域の符号系列（周波数領域のＣｏｄｅ）（周波数領域のＣｏｄｅ  １、周波数領域のＣｏｄｅ  ２、周波数領域のＣｏｄｅ  ３、周波数領域のＣｏｄｅ  ４）、３個の時間領域の符号系列（時間領域のＣｏｄｅ）（時間領域のＣｏｄｅ  １、時間領域のＣｏｄｅ  ２、時間領域のＣｏｄｅ  ３）が用いられる場合について示す。なお、図１５に示す数とは異なる個数のＵＬ  ＰＲＢ  ｐａｉｒ、周波数領域の符号系列、時間領域の符号系列が用いられてもよく、図１５に示す数とは異なる個数のＰＵＣＣＨのリソースが構成されてもよい。図１５に示す各ＰＵＣＣＨのリソースは、ＵＬ  ＰＲＢ  ｐａｉｒ、周波数領域の符号系列、時間領域の符号系列の異なる組み合わせから構成され、周波数領域、または周波数領域での符号領域、または時間領域での符号領域で直交関係にある。ＵＬ  ＰＲＢ  ｐａｉｒ、周波数領域の符号系列、時間領域の符号系列の異なる組み合わせから構成されるＰＵＣＣＨのリソースに異なる番号付け（ＰＵＣＣＨ  ｒｅｓｏｕｒｃｅ  ｉｎｄｅｘ）が付される。
【００９４】
なお、図１５では、説明の簡略化のため、ＰＵＣＣＨに適用されるスロット間の周波数ホッピングについては説明をしていない。例えば、図１５では、上りリンクサブフレームの１番目の上りリンクスロットのリソースの構成について示しており、上りリンクサブフレームの２番目の上りリンクスロットでは、上りリンクシステム帯域内で周波数領域の対象にあるＵＬ  ＰＲＢのリソースが構成される。例えば、１１０個のＵＬ  ＰＲＢ  ｐａｉｒから構成される上りリンクシステム帯域において、ＰＵＣＣＨ１は、上りリンクサブフレームの２番目の上りリンクスロットではＵＬ  ＰＲＢ  ｐａｉｒ  １０５のＵＬ  ＰＲＢ、周波数領域のＣｏｄｅ  １、時間領域のＣｏｄｅ  １から構成される。また、上りリンクサブフレームの１番目の上りリンクスロットで構成される周波数領域の符号系列と、上りリンクサブフレームの２番目の上りリンクスロットで構成される周波数領域の符号系列とに対して、系列ホッピングが適用されてもよい。また、上りリンクサブフレームの１番目の上りリンクスロットで構成される時間領域の符号系列と、上りリンクサブフレームの２番目の上りリンクスロットで構成される時間領域の符号系列とに対して、系列ホッピングが適用されてもよい。
【００９５】
ＰＵＳＣＨのリソースは、時間領域において、そのＰＵＳＣＨのリソースの割り当てに用いられた上りリンクグラントを含むＰＤＣＣＨのリソースが配置された下りリンクサブフレームから所定の数（例えば、４）後の上りリンクサブフレームに配置される。
【００９６】
ＰＤＳＣＨのリソースは、時間領域において、そのＰＤＳＣＨのリソースの割り当てに用いられた下りリンクアサインメントを含むＰＤＣＣＨのリソースが配置された下りリンクサブフレームと同一の下りリンクサブフレームに配置される。
【００９７】
＜第一のＰＤＣＣＨの構成＞
第一のＰＤＣＣＨは、複数の制御チャネルエレメント（CCE: Control Channel Element）により構成される。各下りリンクシステム帯域で用いられるＣＣＥの数は、下りリンクシステム帯域幅と、第一のＰＤＣＣＨを構成するＯＦＤＭシンボルの数と、通信に用いられる基地局装置３（または、ＲＲＨ４）の送信アンテナの数に応じた下りリンクパイロットチャネル（ＣＲＳ）の下りリンク参照信号の数に依存する。ＣＣＥは、後述するように、複数の下りリンクリソースエレメントにより構成される。
【００９８】
図１６は、本発明の実施形態に係る通信システム１の第一のＰＤＣＣＨとＣＣＥの論理的な関係を説明する図である。基地局装置３（または、ＲＲＨ４）と移動局装置５間で用いられるＣＣＥには、ＣＣＥを識別するための番号が付与されている。ＣＣＥの番号付けは、予め決められた規則に基づいて行なわれる。ここで、ＣＣＥ  ｔは、ＣＣＥ番号ｔのＣＣＥを示す。第一のＰＤＣＣＨは、複数のＣＣＥからなる集合（CCE Aggregation）により構成される。この集合を構成するＣＣＥの数を、以下、「ＣＣＥ集合数」（CCE aggregation number）（CCE aggregation level）と称す。第一のＰＤＣＣＨを構成するＣＣＥ  ａｇｇｒｅｇａｔｉｏｎ  ｎｕｍｂｅｒは、第一のＰＤＣＣＨに設定される符号化率、第一のＰＤＣＣＨに含められるＤＣＩのビット数に応じて基地局装置３において設定される。また、ｎ個のＣＣＥからなる集合を、以下、「ＣＣＥ  ａｇｇｒｅｇａｔｉｏｎ  ｎ」という。
【００９９】
例えば、基地局装置３は、１個のＣＣＥにより第一のＰＤＣＣＨを構成したり（ＣＣＥ  ａｇｇｒｅｇａｔｉｏｎ  １）、２個のＣＣＥにより第一のＰＤＣＣＨを構成したり（ＣＣＥ  ａｇｇｒｅｇａｔｉｏｎ  ２）、４個のＣＣＥにより第一のＰＤＣＣＨを構成したり（ＣＣＥ  ａｇｇｒｅｇａｔｉｏｎ  ４）、８個のＣＣＥにより第一のＰＤＣＣＨを構成したりする（ＣＣＥ  ａｇｇｒｅｇａｔｉｏｎ  ８）。例えば、基地局装置３はチャネル品質の良い移動局装置３に対しては第一のＰＤＣＣＨを構成するＣＣＥの数が少ないＣＣＥ  ａｇｇｒｅｇａｔｉｏｎ  ｎｕｍｂｅｒを用い、チャネル品質の悪い移動局装置３に対しては第一のＰＤＣＣＨを構成するＣＣＥの数が多いＣＣＥ  ａｇｇｒｅｇａｔｉｏｎ  ｎｕｍｂｅｒを用いる。また、例えば、基地局装置３はビット数の少ないＤＣＩを送信する場合、第一のＰＤＣＣＨを構成するＣＣＥの数が少ないＣＣＥ  ａｇｇｒｅｇａｔｉｏｎ  ｎｕｍｂｅｒを用い、ビット数の多いＤＣＩを送信する場合、第一のＰＤＣＣＨを構成するＣＣＥの数が多いＣＣＥ  ａｇｇｒｅｇａｔｉｏｎ  ｎｕｍｂｅｒを用いる。
【０１００】
図１６において、斜線で示されるものは、第一のＰＤＣＣＨ候補を意味する。第一のＰＤＣＣＨ候補（ＰＤＣＣＨ  ｃａｎｄｉｄａｔｅ）とは、移動局装置５が第一のＰＤＣＣＨの復号検出を行う対象であり、ＣＣＥ  ａｇｇｒｅｇａｔｉｏｎ  ｎｕｍｂｅｒ毎に独立に第一のＰＤＣＣＨ候補が構成される。ＣＣＥ  ａｇｇｒｅｇａｔｉｏｎ  ｎｕｍｂｅｒ毎に構成される第一のＰＤＣＣＨ候補は、それぞれ異なる１つ以上のＣＣＥから構成される。ＣＣＥ  ａｇｇｒｅｇａｔｉｏｎ  ｎｕｍｂｅｒ毎に、独立に第一のＰＤＣＣＨ候補の数が設定される。ＣＣＥ  ａｇｇｒｅｇａｔｉｏｎ  ｎｕｍｂｅｒ毎に構成される第一のＰＤＣＣＨ候補は、番号の連続するＣＣＥから構成される。移動局装置５は、ＣＣＥ  ａｇｇｒｅｇａｔｉｏｎ  ｎｕｍｂｅｒ毎に設定された数の第一のＰＤＣＣＨ候補に対して第一のＰＤＣＣＨの復号検出を行う。なお、移動局装置５は、自装置宛ての第一のＰＤＣＣＨを検出したと判断した場合、設定された第一のＰＤＣＣＨ候補の一部に対して第一のＰＤＣＣＨの復号検出を行わなくてもよい（停止してもよい）。
【０１０１】
ＣＣＥを構成する複数の下りリンクリソースエレメントは、複数のリソースエレメントグループ（REG、mini-CCEとも称す）により構成される。リソースエレメントグループは複数の下りリンクリソースエレメントから構成される。例えば、１個のリソースエレメントグループは４個の下りリンクリソースエレメントから構成される。図１７は、本発明の実施形態に係る通信システム１の下りリンクサブフレームにおけるリソースエレメントグループの配置例を示す図である。ここでは、第一のＰＤＣＣＨに用いられるリソースエレメントグループについて示し、関連しない部分（ＰＤＳＣＨ、第二のＰＤＣＣＨ、ＵＥ‐ｓｐｅｃｉｆｉｃ  ＲＳ、ＣＳＩ−ＲＳ）についての図示および説明は省略する。ここでは、第一のＰＤＣＣＨが１番目から３番目までのＯＦＤＭシンボルにより構成され、２本の送信アンテナ（アンテナポート０、アンテナポート１）のＣＲＳに対応する下りリンク参照信号（Ｒ０、Ｒ１）が配置される場合について示す。この図において、縦軸は周波数領域、横軸は時間領域を表わしている。
【０１０２】
図１７の配置例では、１個のリソースエレメントグループは周波数領域の隣接する４個の下りリンクリソースエレメントにより構成される。図１７において、第一のＰＤＣＣＨの同一の符号が付された下りリンクリソースエレメントは、同一のリソースエレメントグループに属することを示す。なお、下りリンク参照信号が配置されたリソースエレメントＲ０（アンテナポート０の下りリンク参照信号）、Ｒ１（アンテナポート１の下りリンク参照信号）は飛ばされて、リソースエレメントグループが構成される。図１７では、周波数が最も低く、１番目のＯＦＤＭシンボルのリソースエレメントグループから番号付け（符号「１」）が行なわれ、次に周波数が最も低く、２番目のＯＦＤＭシンボルのリソースエレメントグループに番号付け（符号「２」）が行なわれ、次に周波数が最も低く、３番目のＯＦＤＭシンボルのリソースエレメントグループに番号付け（符号「３」）が行なわれることを示す。また、図１７では、次に下りリンク参照信号が配置されない２番目のＯＦＤＭシンボルの番号付け（符号「２」）が行なわれたリソースエレメントグループの周波数の隣接するリソースエレメントグループに番号付け（符号「４」）が行なわれ、次に下りリンク参照信号が配置されない３番目のＯＦＤＭシンボルの番号付け（符号「３」）が行なわれたリソースエレメントグループの周波数の隣接するリソースエレメントグループに番号付け（符号「５」）が行なわれることを示す。さらに、図１７では、次に１番目のＯＦＤＭシンボルの番号付け（符号「１」）が行なわれたリソースエレメントグループの周波数の隣接するリソースエレメントグループに番号付け（符号「６」）が行なわれ、次に２番目のＯＦＤＭシンボルの番号付け（符号「４」）が行なわれたリソースエレメントグループの周波数の隣接するリソースエレメントグループに番号付け（符号「７」）が行なわれ、次に３番目のＯＦＤＭシンボルの番号付け（符号「５」）が行なわれたリソースエレメントグループの周波数の隣接するリソースエレメントグループに番号付け（符号「８」）が行なわれることを示す。以降のリソースエレメントグループに対しても同様の番号付けが行なわれる。
【０１０３】
ＣＣＥは、図１７に示す、複数のリソースエレメントグループにより構成される。例えば、１個のＣＣＥは、周波数領域及び時間領域に分散した９個の異なるリソースエレメントグループにより構成される。具体的には、第一のＰＤＣＣＨに用いられるＣＣＥにおいては、下りリンクシステム帯域全体に対して、図１７に示すように番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【０１０４】
＜第二のＰＤＣＣＨの構成＞
移動局装置５には、第二のＰＤＣＣＨが配置される可能性のある領域（説明の簡略化のため、以降、第二のＰＤＣＣＨ領域と称す。）（ｅＰＤＣＣＨ  ｒｅｇｉｏｎ）が構成（設定）される。１つの第二のＰＤＣＣＨを構成するリソースのマッピングの単位は、予め決められた個数のＤＬ  ＰＲＢ  ｐａｉｒのセットであり、１つの第二のＰＤＣＣＨ領域である。１つ以上の第二のＰＤＣＣＨ領域が移動局装置５に対して構成されうる。例えば、複数の第二のＰＤＣＣＨ領域が構成される複数の移動局装置５において、一部の第二のＰＤＣＣＨ領域が共通した複数のＤＬ  ＰＲＢ  ｐａｉｒから構成され、異なる一部の第二のＰＤＣＣＨ領域が異なる複数のＤＬ  ＰＲＢ  ｐａｉｒから構成されることができる。移動局装置５は、構成された複数の第二のＰＤＣＣＨ領域のそれぞれにおいて、第二のＰＤＣＣＨを検出するための復号処理を行なう。なお、第二のＰＤＣＣＨ領域は、強化された物理下りリンク制御チャネルセット（enhanced Physical Downlink Control Channel Set: ePDCCH set）と呼称されてもよい。
【０１０５】
図１８は、本発明の実施形態に係る通信システム１において第二のＰＤＣＣＨ領域の概略構成の一例を示す図である。基地局装置３は、下りリンクシステム帯域内に複数の第二のＰＤＣＣＨ領域（第二のＰＤＣＣＨ領域１、第二のＰＤＣＣＨ領域２、第二のＰＤＣＣＨ領域３）を構成（設定、配置）することができる。１個の第二のＰＤＣＣＨ領域は、複数のＤＬ  ＰＲＢ  ｐａｉｒから構成される。例えば、１個の第二のＰＤＣＣＨ領域は、４個のＤＬ  ＰＲＢ  ｐａｉｒから構成される。例えば、１個の第二のＰＤＣＣＨ領域を構成する複数のＤＬ  ＰＲＢ  ｐａｉｒは、図１８に示すように周波数領域で分散するＤＬ  ＰＲＢ  ｐａｉｒにより構成されてもよいし、周波数領域で連続するＤＬ  ＰＲＢ  ｐａｉｒにより構成されてもよい。例えば、基地局装置３は、複数の移動局装置５毎に第二のＰＤＣＣＨ領域を構成することができる。図１８において、第二のＰＤＣＣＨ領域１、第二のＰＤＣＣＨ領域２、第二のＰＤＣＣＨ領域３のそれぞれは、異なるＤＬ  ＰＲＢ  ｐａｉｒから構成される。
【０１０６】
移動局装置５に構成される第二のＰＤＣＣＨ領域のそれぞれに対して、配置される信号に異なる送信方法が設定されうる。例えば、移動局装置５に構成されたある第二のＰＤＣＣＨ領域に対して、その移動局装置５に対して適したビームフォーミング処理が適用される。例えば、移動局装置５に構成されたある第二のＰＤＣＣＨ領域に対して、ランダムなビームフォーミング処理が適用される。ここで、移動局装置５に対して適したビームフォーミング処理とは、移動局装置５から基地局装置３に通知されるチャネル状態情報（プリコーディング行列指示子; Precoding Matrix Indicator: PMI）に基づき最適なプリコーディング処理が行なわれることを意味する。ここで、ランダムなビームフォーミング処理とは、１つの第二のＰＤＣＣＨを構成する、それぞれのＤＬ  ＰＲＢ  ｐａｉｒのリソースに対して、それぞれランダムに選択されたプリコーディング処理（ランダムにプリコーディング行例が選択されて、信号に乗算される処理）が行なわれることを意味する。例えば、移動局装置５に対して適したビームフォーミング処理は、低速移動の移動局装置５であり、適切にチャネル状態情報が基地局装置３にフィードバックされた移動局装置５に適用される。例えば、ランダムなビームフォーミング処理は、高速移動の移動局装置５、適切にチャネル状態情報が基地局装置３にフィードバックされなかった移動局装置５に適用される。移動局装置５に対して適したビームフォーミング処理が実行される第二のＰＤＣＣＨでは、その第二のＰＤＣＣＨで送信される全ての信号に同じプリコーディング処理が実行される。ランダムなビームフォーミング処理が実行される第二のＰＤＣＣＨでは、その第二のＰＤＣＣＨで送信される全ての信号に同じプリコーディング処理が実行されるのではなく、異なる信号に異なるプリコーディング処理が実行される。例えば、ランダムなビームフォーミング処理が実行される第二のＰＤＣＣＨでは、異なるＤＬ  ＰＲＢ  ｐａｉｒに配置される信号に対して異なるプリコーディング処理が実行される。好ましくは、ランダムなビームフォーミング処理が実行される第二のＰＤＣＣＨでは、異なるＤＬ  ＰＲＢ  ｐａｉｒに配置される信号に対して、それぞれが直交関係にあるプリコーディング行列が用いられる。
【０１０７】
ＤＬ  ＰＲＢ  ｐａｉｒ内において、同じ移動局装置５に送信される第二のＰＤＣＣＨの信号と、ＵＥ−ｓｐｅｃｉｆｉｃ  ＲＳとに対しては、同一のプリコーディング処理が適用される。移動局装置５に対して適したビームフォーミング処理が行なわれる第二のＰＤＣＣＨの信号が配置されるＤＬ  ＰＲＢ  ｐａｉｒにおいては、異なる移動局装置５に対する異なる第二のＰＤＣＣＨの信号に対して異なるプリコーディング処理が実行されてもよい。ランダムなビームフォーミング処理が行なわれる第二のＰＤＣＣＨの信号が配置されるＤＬ  ＰＲＢ  ｐａｉｒにおいては、異なる移動局装置５に対する異なる第二のＰＤＣＣＨの信号に対して同じプリコーディング処理が実行されてもよい。
【０１０８】
１つの第二のＰＤＣＣＨは、１つ以上のｅＣＣＥ（第二の要素）から構成される。図１９は、本発明の実施形態に係る通信システム１の第二のＰＤＣＣＨとｅＣＣＥの論理的な関係を説明する図である。基地局装置３（または、ＲＲＨ４）と移動局装置５間で用いられるｅＣＣＥには、Ｅ−ＣＣＥを識別するための番号が付与されている。ｅＣＣＥの番号付けは、予め決められた規則に基づいて行なわれる。ここで、ｅＣＣＥ  ｔは、ｅＣＣＥ番号ｔのｅＣＣＥを示す。第二のＰＤＣＣＨは、複数のｅＣＣＥからなる集合（eCCE Aggregation）により構成される。この集合を構成するｅＣＣＥの数を、以下、「ｅＣＣＥ集合数」（eCCE aggregation number）（eCCE aggregation level）と称す。例えば、第二のＰＤＣＣＨを構成するｅＣＣＥ  ａｇｇｒｅｇａｔｉｏｎ  ｎｕｍｂｅｒは、第二のＰＤＣＣＨに設定される符号化率、第二のＰＤＣＣＨに含められるＤＣＩのビット数に応じて基地局装置３において設定される。また、ｎ個のｅＣＣＥからなる集合を、以下、「ｅＣＣＥ  ａｇｇｒｅｇａｔｉｏｎ  ｎ」という。
【０１０９】
例えば、基地局装置３は、１個のｅＣＣＥにより第二のＰＤＣＣＨを構成したり（ｅＣＣＥ  ａｇｇｒｅｇａｔｉｏｎ  １）、２個のｅＣＣＥにより第二のＰＤＣＣＨを構成したり（ｅＣＣＥ  ａｇｇｒｅｇａｔｉｏｎ  ２）、４個のｅＣＣＥにより第二のＰＤＣＣＨを構成したり（ｅＣＣＥ  ａｇｇｒｅｇａｔｉｏｎ  ４）、８個のｅＣＣＥにより第二のＰＤＣＣＨを構成したりする（ｅＣＣＥ  ａｇｇｒｅｇａｔｉｏｎ  ８）。例えば、基地局装置３はチャネル品質の良い移動局装置３に対しては第二のＰＤＣＣＨを構成するｅＣＣＥの数が少ないｅＣＣＥ  ａｇｇｒｅｇａｔｉｏｎ  ｎｕｍｂｅｒを用い、チャネル品質の悪い移動局装置３に対しては第二のＰＤＣＣＨを構成するｅＣＣＥの数が多いｅＣＣＥ  ａｇｇｒｅｇａｔｉｏｎ  ｎｕｍｂｅｒを用いる。また、例えば、基地局装置３はビット数の少ないＤＣＩを送信する場合、第二のＰＤＣＣＨを構成するｅＣＣＥの数が少ないｅＣＣＥ  ａｇｇｒｅｇａｔｉｏｎ  ｎｕｍｂｅｒを用い、ビット数の多いＤＣＩを送信する場合、第二のＰＤＣＣＨを構成するｅＣＣＥの数が多いｅＣＣＥ  ａｇｇｒｅｇａｔｉｏｎ  ｎｕｍｂｅｒを用いる。
【０１１０】
図１９において、斜線で示されるものは、第二のＰＤＣＣＨ候補を意味する。第二のＰＤＣＣＨ候補（ｅＰＤＣＣＨ  ｃａｎｄｉｄａｔｅ）とは、移動局装置５が第二のＰＤＣＣＨの復号検出を行う対象であり、ｅＣＣＥ  ａｇｇｒｅｇａｔｉｏｎ  ｎｕｍｂｅｒ毎に独立に第二のＰＤＣＣＨ候補が構成される。ｅＣＣＥ  ａｇｇｒｅｇａｔｉｏｎ  ｎｕｍｂｅｒ毎に構成される第二のＰＤＣＣＨ候補は、それぞれ異なる１つ以上のｅＣＣＥから構成される。ｅＣＣＥ  ａｇｇｒｅｇａｔｉｏｎ  ｎｕｍｂｅｒ毎に、独立に第二のＰＤＣＣＨ候補の数が設定される。ｅＣＣＥ  ａｇｇｒｅｇａｔｉｏｎ  ｎｕｍｂｅｒ毎に構成される第二のＰＤＣＣＨ候補は、番号の連続するｅＣＣＥから構成される。移動局装置５は、ｅＣＣＥ  ａｇｇｒｅｇａｔｉｏｎ  ｎｕｍｂｅｒ毎に設定された数の第二のＰＤＣＣＨ候補に対して第二のＰＤＣＣＨの復号検出を行う。なお、移動局装置５は、自装置宛ての第二のＰＤＣＣＨを検出したと判断した場合、設定された第二のＰＤＣＣＨ候補の一部に対して第二のＰＤＣＣＨの復号検出を行わなくてもよい（停止してもよい）。
【０１１１】
１つの第二のＰＤＣＣＨ領域で構成されるｅＣＣＥの数は、第二のＰＤＣＣＨ領域を構成するＤＬ  ＰＲＢ  ｐａｉｒの数に依存する。例えば、１つのｅＣＣＥが対応するリソースの量（リソースエレメントの数）は、１つのＤＬ  ＰＲＢ  ｐａｉｒのリソースを４つに分割したリソースから、第二のＰＤＣＣＨの信号に用いることができないリソース（下りリンク参照信号、第一のＰＤＣＣＨに用いられるリソースエレメント）を除いたリソースの量とほぼ等しい。例えば、４つのＤＬ  ＰＲＢ  ｐａｉｒから構成される第二のＰＤＣＣＨ領域では、１６個のｅＣＣＥが構成される。なお、本発明の実施形態では、説明の簡略化のため、１つの第二のＰＤＣＣＨ領域は４個のＤＬ  ＰＲＢ  ｐａｉｒから構成され、１つの第二のＰＤＣＣＨ領域で１６個のｅＣＣＥが構成される場合について主に説明するが、本発明がそのような場合に限定されるということではない。例えば、１つの第二のＰＤＣＣＨ領域が、４個とは異なる個数のＤＬ  ＰＲＢ  ｐａｉｒから構成されてもよい。例えば、１つのｅＣＣＥが対応するリソースの量（リソースエレメントの数）が、１つのＤＬ  ＰＲＢ  ｐａｉｒのリソースを４つに分割したリソースから、第二のＰＤＣＣＨの信号に用いることができないリソース（下りリンク参照信号、第一のＰＤＣＣＨに用いられるリソースエレメント）を除いたリソースの量とは異なる量のリソースから構成されてもよく、１つのＤＬ  ＰＲＢ  ｐａｉｒのリソースを２つに分割したリソースから、第二のＰＤＣＣＨの信号に用いることができないリソース（下りリンク参照信号、第一のＰＤＣＣＨに用いられるリソースエレメント）を除いたリソースの量とほぼ等しくてもよい。
【０１１２】
第二のＰＤＣＣＨを構成するリソースのマッピング方法として、２種類の方法が用いられる。説明の便宜上、Ｌｏｃａｌｉｚｅｄ  ｍａｐｐｉｎｇ（第一のマッピング方法）、Ｄｉｓｔｒｉｂｕｔｅｄ  ｍａｐｐｉｎｇ（第二のマッピング方法）と呼称する。Ｌｏｃａｌｉｚｅｄ  ｍａｐｐｉｎｇにより構成されるリソースを用いた第二のＰＤＣＣＨの送信のことを、Ｌｏｃａｌｉｚｅｄ  ｔｒａｎｓｍｉｓｓｉｏｎと呼称する。Ｄｉｓｔｒｉｂｕｔｅｄ  ｍａｐｐｉｎｇにより構成されるリソースを用いた第二のＰＤＣＣＨの送信のことを、Ｄｉｓｔｒｉｂｕｔｅｄ  ｔｒａｎｓｍｉｓｓｉｏｎと呼称する。例えば、Ｌｏｃａｌｉｚｅｄ  ｔｒａｎｓｍｉｓｓｉｏｎには、上述の移動局装置５に適したビームフォーミング処理が適用される。例えば、Ｄｉｓｔｒｉｂｕｔｅｄ  ｔｒａｎｓｍｉｓｓｉｏｎには、上述のランダムなビームフォーミング処理が適用される。Ｌｏｃａｌｉｚｅｄ  ｍａｐｐｉｎｇは、１つのｅＣＣＥが１つのＤＬ  ＰＲＢ  ｐａｉｒ内のリソースにマッピングされる方法である。Ｄｉｓｔｒｉｂｕｔｅｄ  ｍａｐｐｉｎｇは、１つのｅＣＣＥが複数のＤＬ  ＰＲＢ  ｐａｉｒのリソースにマッピングされる方法である。例えば、Ｄｉｓｔｒｉｂｕｔｅｄ  ｍａｐｐｉｎｇでは、１つのｅＣＣＥが、第二のＰＤＣＣＨ領域の４個のＤＬ  ＰＲＢ  ｐａｉｒの、それぞれのＤＬ  ＰＲＢ  ｐａｉｒの一部のリソースにマッピングされる。言い換えると、Ｌｏｃａｌｉｚｅｄ  ｍａｐｐｉｎｇでは、１つのｅＣＣＥが１つのＤＬ  ＰＲＢ  ｐａｉｒ内の物理的なリソースから構成される。Ｄｉｓｔｒｉｂｕｔｅｄ  ｍａｐｐｉｎｇでは、１つのｅＣＣＥが複数のＤＬ  ＰＲＢ  ｐａｉｒの、それぞれのＤＬ  ＰＲＢ  ｐａｉｒ内の一部のリソースをまとめたリソースから構成される。
【０１１３】
図２０は、本発明の実施形態のＬｏｃａｌｉｚｅｄ  ｍａｐｐｉｎｇの一例を示す図である。ここでは、１個の第二のＰＤＣＣＨ領域が４個のＤＬ  ＰＲＢ  ｐａｉｒから構成され、１つのＤＬ  ＰＲＢ  ｐａｉｒ内で４個のｅＣＣＥが構成され、１個の第二のＰＤＣＣＨ領域において１６個のｅＣＣＥ（ｅＣＣＥ１、ｅＣＣＥ２、ｅＣＣＥ３、ｅＣＣＥ４、ｅＣＣＥ５、ｅＣＣＥ６、ｅＣＣＥ７、ｅＣＣＥ８、ｅＣＣＥ９、ｅＣＣＥ１０、ｅＣＣＥ１１、ｅＣＣＥ１２、ｅＣＣＥ１３、ｅＣＣＥ１４、ｅＣＣＥ１５、ｅＣＣＥ１６）が構成される場合について示す。例えば、図２０において、それぞれのＤＬ  ＰＲＢ  ｐａｉｒは、図１８で示すある第二のＰＤＣＣＨ領域を構成するそれぞれのＤＬ  ＰＲＢ  ｐａｉｒと対応する。図２０では、１つの塊（番号の連続する４つのｅＣＣＥからなる塊）（ｅＣＣＥ１とｅＣＣＥ２とｅＣＣＥ３とｅＣＣＥ４とから構成される塊、ｅＣＣＥ５とｅＣＣＥ６とｅＣＣＥ７とｅＣＣＥ８とから構成される塊、ｅＣＣＥ９とｅＣＣＥ１０とｅＣＣＥ１１とｅＣＣＥ１２とから構成される塊、ｅＣＣＥ１３とｅＣＣＥ１４とｅＣＣＥ１５とｅＣＣＥ１６とから構成される塊）が１つのＤＬ  ＰＲＢ  ｐａｉｒのリソースを意味する。なお、図２０では、物理的に、横軸が周波数領域、縦軸が時間領域を意味するのではなく、概念的に１個のＤＬ  ＰＲＢ  ｐａｉｒが４個のリソースに分割され、分割されたリソースから１個のｅＣＣＥが構成されることを示す。なお、図２０において、ＤＬ  ＰＲＢ  ｐａｉｒ内の全てのリソースがｅＣＣＥとして構成されることを意味してはおらず、例えば、ＵＥ−ｓｐｅｃｉｆｉｃ  ＲＳが配置されるリソースはｅＣＣＥを構成するリソースから予め除外されてもよい。Ｌｏｃａｌｉｚｅｄ  ｍａｐｐｉｎｇが適用されて構成される１つのｅＣＣＥを構成する物理リソースについては後述する。
【０１１４】
図２１は、本発明の実施形態のＤｉｓｔｒｉｂｕｔｅｄ  ｍａｐｐｉｎｇの一例を示す図である。ここでは、１個の第二のＰＤＣＣＨ領域が４個のＤＬ  ＰＲＢ  ｐａｉｒ（ＤＬ  ＰＲＢ  ｐａｉｒ  Ｗ、ＤＬ  ＰＲＢ  ｐａｉｒ  Ｘ、ＤＬ  ＰＲＢ  ｐａｉｒ  Ｙ、ＤＬ  ＰＲＢ  ｐａｉｒ  Ｚ）から構成され、１つのＤＬ  ＰＲＢ  ｐａｉｒ内で１６個のｅＲＥＧ（ｅｎｈａｎｃｅｄ  Ｒｅｓｏｕｒｃｅ  Ｅｌｅｍｅｎｔ  Ｇｒｏｕｐ）（ｅＲＥＧ１、ｅＲＥＧ２、ｅＲＥＧ３、ｅＲＥＧ４、ｅＲＥＧ５、ｅＲＥＧ６、ｅＲＥＧ７、ｅＲＥＧ８、ｅＲＥＧ９、ｅＲＥＧ１０、ｅＲＥＧ１１、ｅＲＥＧ１２、ｅＲＥＧ１３、ｅＲＥＧ１４、ｅＲＥＧ１５、ｅＲＥＧ１６）が構成され、１個の第二のＰＤＣＣＨ領域において１６個のｅＣＣＥ（ｅＣＣＥ１、ｅＣＣＥ２、ｅＣＣＥ３、ｅＣＣＥ４、ｅＣＣＥ５、ｅＣＣＥ６、ｅＣＣＥ７、ｅＣＣＥ８、ｅＣＣＥ９、ｅＣＣＥ１０、ｅＣＣＥ１１、ｅＣＣＥ１２、ｅＣＣＥ１３、ｅＣＣＥ１４、ｅＣＣＥ１５、ｅＣＣＥ１６）が構成される場合について示す。ここで、ｅＲＥＧ（第一の要素）とはｅＣＣＥよりもリソースの量が小さい要素であり、１つのｅＣＣＥは複数のｅＲＥＧにより構成される。例えば、１つのｅＣＣＥは４個のｅＲＥＧから構成される。例えば、図２１において、それぞれのＤＬ  ＰＲＢ  ｐａｉｒは、図１８で示すある第二のＰＤＣＣＨ領域を構成するそれぞれのＤＬ  ＰＲＢ  ｐａｉｒと対応する。それぞれのｅＣＣＥは、異なるＤＬ  ＰＲＢ  ｐａｉｒの複数のｅＲＥＧをまとめて構成される。例えば、ｅＣＣＥは、４個のＤＬ  ＰＲＢ  ｐａｉｒの４個のｅＲＥＧであって、それぞれのＤＬ  ＰＲＢ  ｐａｉｒ内で１個のｅＲＥＧをまとめたリソースから構成される。
【０１１５】
図２１において、ｅＣＣＥ１はＤＬ  ＰＲＢ  ｐａｉｒ  ＷのｅＲＥＧ１とＤＬ  ＰＲＢ  ｐａｉｒ  ＸのｅＲＥＧ１とＤＬ  ＰＲＢ  ｐａｉｒ  ＹのｅＲＥＧ１とＤＬ  ＰＲＢ  ｐａｉｒ  ＺのｅＲＥＧ１とから構成され、ｅＣＣＥ２はＤＬ  ＰＲＢ  ｐａｉｒ  ＷのｅＲＥＧ２とＤＬ  ＰＲＢ  ｐａｉｒ  ＸのｅＲＥＧ２とＤＬ  ＰＲＢ  ｐａｉｒ  ＹのｅＲＥＧ２とＤＬ  ＰＲＢ  ｐａｉｒ  ＺのｅＲＥＧ２とから構成され、ｅＣＣＥ３はＤＬ  ＰＲＢ  ｐａｉｒ  ＷのｅＲＥＧ３とＤＬ  ＰＲＢ  ｐａｉｒ  ＸのｅＲＥＧ３とＤＬ  ＰＲＢ  ｐａｉｒ  ＹのｅＲＥＧ３とＤＬ  ＰＲＢ  ｐａｉｒ  ＺのｅＲＥＧ３とから構成され、ｅＣＣＥ４はＤＬ  ＰＲＢ  ｐａｉｒ  ＷのｅＲＥＧ４とＤＬ  ＰＲＢ  ｐａｉｒ  ＸのｅＲＥＧ４とＤＬ  ＰＲＢ  ｐａｉｒ  ＹのｅＲＥＧ４とＤＬ  ＰＲＢ  ｐａｉｒ  ＺのｅＲＥＧ４とから構成され、ｅＣＣＥ５はＤＬ  ＰＲＢ  ｐａｉｒ  ＷのｅＲＥＧ５とＤＬ  ＰＲＢ  ｐａｉｒ  ＸのｅＲＥＧ５とＤＬ  ＰＲＢ  ｐａｉｒ  ＹのｅＲＥＧ５とＤＬ  ＰＲＢ  ｐａｉｒ  ＺのｅＲＥＧ５とから構成され、ｅＣＣＥ６はＤＬ  ＰＲＢ  ｐａｉｒ  ＷのｅＲＥＧ６とＤＬ  ＰＲＢ  ｐａｉｒ  ＸのｅＲＥＧ６とＤＬ  ＰＲＢ  ｐａｉｒ  ＹのｅＲＥＧ６とＤＬ  ＰＲＢ  ｐａｉｒ  ＺのｅＲＥＧ６とから構成され、ｅＣＣＥ７はＤＬ  ＰＲＢ  ｐａｉｒ  ＷのｅＲＥＧ７とＤＬ  ＰＲＢ  ｐａｉｒ  ＸのｅＲＥＧ７とＤＬ  ＰＲＢ  ｐａｉｒ  ＹのｅＲＥＧ７とＤＬ  ＰＲＢ  ｐａｉｒ  ＺのｅＲＥＧ７とから構成され、ｅＣＣＥ８はＤＬ  ＰＲＢ  ｐａｉｒ  ＷのｅＲＥＧ８とＤＬ  ＰＲＢ  ｐａｉｒ  ＸのｅＲＥＧ８とＤＬ  ＰＲＢ  ｐａｉｒ  ＹのｅＲＥＧ８とＤＬ  ＰＲＢ  ｐａｉｒ  ＺのｅＲＥＧ８とから構成され、ｅＣＣＥ９はＤＬ  ＰＲＢ  ｐａｉｒ  ＷのｅＲＥＧ９とＤＬ  ＰＲＢ  ｐａｉｒ  ＸのｅＲＥＧ９とＤＬ  ＰＲＢ  ｐａｉｒ  ＹのｅＲＥＧ９とＤＬ  ＰＲＢ  ｐａｉｒ  ＺのｅＲＥＧ９とから構成され、ｅＣＣＥ１０はＤＬ  ＰＲＢ  ｐａｉｒ  ＷのｅＲＥＧ１０とＤＬ  ＰＲＢ  ｐａｉｒ  ＸのｅＲＥＧ１０とＤＬ  ＰＲＢ  ｐａｉｒ  ＹのｅＲＥＧ１０とＤＬ  ＰＲＢ  ｐａｉｒ  ＺのｅＲＥＧ１０とから構成され、ｅＣＣＥ１１はＤＬ  ＰＲＢ  ｐａｉｒ  ＷのｅＲＥＧ１１とＤＬ  ＰＲＢ  ｐａｉｒ  ＸのｅＲＥＧ１１とＤＬ  ＰＲＢ  ｐａｉｒ  ＹのｅＲＥＧ１１とＤＬ  ＰＲＢ  ｐａｉｒ  ＺのｅＲＥＧ１１とから構成され、ｅＣＣＥ１２はＤＬ  ＰＲＢ  ｐａｉｒ  ＷのｅＲＥＧ１２とＤＬ  ＰＲＢ  ｐａｉｒ  ＸのｅＲＥＧ１２とＤＬ  ＰＲＢ  ｐａｉｒ  ＹのｅＲＥＧ１２とＤＬ  ＰＲＢ  ｐａｉｒ  ＺのｅＲＥＧ１２とから構成され、ｅＣＣＥ１３はＤＬ  ＰＲＢ  ｐａｉｒ  ＷのｅＲＥＧ１３とＤＬ  ＰＲＢ  ｐａｉｒ  ＸのｅＲＥＧ３とＤＬ  ＰＲＢ  ｐａｉｒ  ＹのｅＲＥＧ１３とＤＬ  ＰＲＢ  ｐａｉｒ  ＺのｅＲＥＧ１３とから構成され、ｅＣＣＥ１４はＤＬ  ＰＲＢ  ｐａｉｒ  ＷのｅＲＥＧ１４とＤＬ  ＰＲＢ  ｐａｉｒ  ＸのｅＲＥＧ１４とＤＬ  ＰＲＢ  ｐａｉｒ  ＹのｅＲＥＧ１４とＤＬ  ＰＲＢ  ｐａｉｒ  ＺのｅＲＥＧ１４とから構成され、ｅＣＣＥ１５はＤＬ  ＰＲＢ  ｐａｉｒ  ＷのｅＲＥＧ１５とＤＬ  ＰＲＢ  ｐａｉｒ  ＸのｅＲＥＧ１５とＤＬ  ＰＲＢ  ｐａｉｒ  ＹのｅＲＥＧ１５とＤＬ  ＰＲＢ  ｐａｉｒ  ＺのｅＲＥＧ１５とから構成され、ｅＣＣＥ１６はＤＬ  ＰＲＢ  ｐａｉｒ  ＷのｅＲＥＧ１６とＤＬ  ＰＲＢ  ｐａｉｒ  ＸのｅＲＥＧ１６とＤＬ  ＰＲＢ  ｐａｉｒ  ＹのｅＲＥＧ１６とＤＬ  ＰＲＢ  ｐａｉｒ  ＺのｅＲＥＧ１６とから構成される。
【０１１６】
なお、図２１では、物理的に、横軸が周波数領域、縦軸が時間領域を意味するのではなく、概念的に１個のＤＬ  ＰＲＢ  ｐａｉｒが１６個のリソースに分割され、４個の異なるＤＬ  ＰＲＢ  ｐａｉｒの４個の分割されたリソースから１個のｅＣＣＥが構成されることを示す。なお、図２１において、ＤＬ  ＰＲＢ  ｐａｉｒ内の全てのリソースがｅＲＥＧとして構成されることを意味してはおらず、例えば、ＵＥ−ｓｐｅｃｉｆｉｃ  ＲＳが配置されるリソースはｅＲＥＧを構成するリソースから予め除外されてもよい。Ｄｉｓｔｒｉｂｕｔｅｄ  ｍａｐｐｉｎｇが適用されて構成される１つのｅＲＥＧを構成する物理リソースについては後述する。
【０１１７】
なお、図２１に示すｅＲＥＧを用いて、Ｌｏｃａｌｉｚｅｄ  ｍａｐｐｉｎｇが適用されて構成されるｅＣＣＥが構成されてもよい。Ｌｏｃａｌｉｚｅｄ  ｍａｐｐｉｎｇが適用されて構成されるｅＣＣＥは、１つのＤＬ  ＰＲＢ  ｐａｉｒ内の４個のｅＲＥＧから構成される。例えば、Ｌｏｃａｌｉｚｅｄ  ｍａｐｐｉｎｇが適用されて構成されるｅＣＣＥを構成するｅＲＥＧは番号が連続する。図２０に示すＬｏｃａｌｉｚｅｄ  ｍａｐｐｉｎｇが適用されて構成されるｅＣＣＥ（ｅＣＣＥ１、ｅＣＣＥ２、ｅＣＣＥ３、ｅＣＣＥ４、ｅＣＣＥ５、ｅＣＣＥ６、ｅＣＣＥ７、ｅＣＣＥ８、ｅＣＣＥ９、ｅＣＣＥ１０、ｅＣＣＥ１１、ｅＣＣＥ１２、ｅＣＣＥ１３、ｅＣＣＥ１４、ｅＣＣＥ１５、ｅＣＣＥ１６）に関して、ｅＣＣＥ１は図２１に示すＤＬ  ＰＲＢ  ｐａｉｒ  ＷのｅＲＥＧ１とｅＲＥＧ２とｅＲＥＧ３とｅＲＥＧ４とから構成され、ｅＣＣＥ２は図２１に示すＤＬ  ＰＲＢ  ｐａｉｒ  ＷのｅＲＥＧ５とｅＲＥＧ６とｅＲＥＧ７とｅＲＥＧ８とから構成され、ｅＣＣＥ３は図２１に示すＤＬ  ＰＲＢ  ｐａｉｒ  ＷのｅＲＥＧ９とｅＲＥＧ１０とｅＲＥＧ１１とｅＲＥＧ１２とから構成され、ｅＣＣＥ４は図２１に示すＤＬ  ＰＲＢ  ｐａｉｒ  ＷのｅＲＥＧ１３とｅＲＥＧ１４とｅＲＥＧ１５とｅＲＥＧ１６とから構成され、ｅＣＣＥ５は図２１に示すＤＬ  ＰＲＢ  ｐａｉｒ  ＸのｅＲＥＧ１とｅＲＥＧ２とｅＲＥＧ３とｅＲＥＧ４とから構成され、ｅＣＣＥ６は図２１に示すＤＬ  ＰＲＢ  ｐａｉｒ  ＸのｅＲＥＧ５とｅＲＥＧ６とｅＲＥＧ７とｅＲＥＧ８とから構成され、ｅＣＣＥ７は図２１に示すＤＬ  ＰＲＢ  ｐａｉｒ  ＸのｅＲＥＧ９とｅＲＥＧ１０とｅＲＥＧ１１とｅＲＥＧ１２とから構成され、ｅＣＣＥ８は図２１に示すＤＬ  ＰＲＢ  ｐａｉｒ  ＸのｅＲＥＧ１３とｅＲＥＧ１４とｅＲＥＧ１５とｅＲＥＧ１６とから構成され、ｅＣＣＥ９は図２１に示すＤＬ  ＰＲＢ  ｐａｉｒ  ＹのｅＲＥＧ１とｅＲＥＧ２とｅＲＥＧ３とｅＲＥＧ４とから構成され、ｅＣＣＥ１０は図２１に示すＤＬ  ＰＲＢ  ｐａｉｒ  ＹのｅＲＥＧ５とｅＲＥＧ６とｅＲＥＧ７とｅＲＥＧ８とから構成され、ｅＣＣＥ１１は図２１に示すＤＬ  ＰＲＢ  ｐａｉｒ  ＹのｅＲＥＧ９とｅＲＥＧ１０とｅＲＥＧ１１とｅＲＥＧ１２とから構成され、ｅＣＣＥ１２は図２１に示すＤＬ  ＰＲＢ  ｐａｉｒ  ＹのｅＲＥＧ１３とｅＲＥＧ１４とｅＲＥＧ１５とｅＲＥＧ１６とから構成され、ｅＣＣＥ１３は図２１に示すＤＬ  ＰＲＢ  ｐａｉｒ  ＺのｅＲＥＧ１とｅＲＥＧ２とｅＲＥＧ３とｅＲＥＧ４とから構成され、ｅＣＣＥ１４は図２１に示すＤＬ  ＰＲＢ  ｐａｉｒ  ＺのｅＲＥＧ５とｅＲＥＧ６とｅＲＥＧ７とｅＲＥＧ８とから構成され、ｅＣＣＥ１５は図２１に示すＤＬ  ＰＲＢ  ｐａｉｒ  ＺのｅＲＥＧ９とｅＲＥＧ１０とｅＲＥＧ１１とｅＲＥＧ１２とから構成され、ｅＣＣＥ１６は図２１に示すＤＬ  ＰＲＢ  ｐａｉｒ  ＺのｅＲＥＧ１３とｅＲＥＧ１４とｅＲＥＧ１５とｅＲＥＧ１６とから構成される。以降の説明では、Ｌｏｃａｌｉｚｅｄ  ｍａｐｐｉｎｇが適用されて構成されるｅＣＣＥも複数のｅＲＥＧから構成され、そのｅＲＥＧの定義（どのような物理リソースから構成されるか）が、Ｌｏｃａｌｉｚｅｄ  ｍａｐｐｉｎｇが適用され��構成されるｅＣＣＥの構成に用いられるｅＲＥＧと共通の定義が用いられる場合について説明する。
【０１１８】
図２２は、本発明の実施形態のｅＲＥＧの構成の一例を示す図である。ここでは、１つのＤＬ  ＰＲＢ  ｐａｉｒについて示す。図２２において、１つの升目は１つのＲＥと対応する。この図において、縦軸は時間領域、横軸は周波数領域を表わしている。ここでは、４本のアンテナポート（アンテナポート７、アンテナポート８、アンテナポート９、アンテナポート１０）に対応するＵＥ‐ｓｐｅｃｉｆｉｃ  ＲＳが構成される場合について示す。１つのＤＬ  ＰＲＢ  ｐａｉｒでは、１６８個のＲＥが構成される。４本のアンテナポートに対応するＵＥ‐ｓｐｅｃｉｆｉｃ  ＲＳに対しては２４個のＲＥが構成される。ｅＲＥＧは、１つのＤＬ  ＰＲＢ  ｐａｉｒ内に構成されるＲＥからＵＥ‐ｓｐｅｃｉｆｉｃ  ＲＳに対して構成されるＲＥを除いたＲＥを用いて構成される。ここでは、ｅＲＥＧは、１つのＤＬ  ＰＲＢ  ｐａｉｒ内で１４４個のＲＥを用いて構成される。図２２では、１つのＤＬ  ＰＲＢ  ｐａｉｒで１６個のｅＲＥＧが構成される場合について示す。ここでは、１つのｅＲＥＧは、１４４個のＲＥを１６等分割した、９個のＲＥから構成される。
【０１１９】
１つのｅＲＥＧを構成する９個のＲＥの詳細について説明する。ＤＬ  ＰＲＢ  ｐａｉｒ内において、周波数が最も低いサブキャリアと、時間が最も早いＯＦＤＭシンボルと、から構成されるＲＥから番号付けが始まる。次に、周波数方向のＲＥに対して番号付けが順に行なわれ、そのＯＦＤＭシンボルにおいて周波数が最も高いサブキャリアから構成されるＲＥに対して番号付けが行なわれたら、次のＯＦＤＭシンボルと、周波数が最も低いサブキャリアと、から構成されるＲＥに対して番号付けが続けて行なわれる。上記と同様の処理が、異なるサブキャリアから構成されるＲＥ、異なるＯＦＤＭシンボルから構成される残りのＲＥに対して行われ、時間が最も遅いＯＦＤＭシンボルと、周波数が最も高いサブキャリアとから構成されるＲＥまで番号付けが行われる。ここで、ＵＥ‐ｓｐｅｃｉｆｉｃ  ＲＳに対して構成されるＲＥは飛ばされて、ｅＲＥＧを構成するためのＲＥに対する番号付けが行なわれる。なお、番号は‘１’から始まり、‘２’、‘３’、‘４’、‘５’、‘６’、‘７’．‘８’、‘９’、‘１０’、‘１１’、‘１２’、‘１３’、‘１４’、‘１５’、‘１６’の順で番号付けが行なわれ、‘１６’まで番号付けが行なわれたら、再度‘１’から番号付けが繰り返される。同一の番号が付された９個のＲＥから１つのｅＲＥＧが構成される。例えば、ｅＲＥＧ１は‘１’の番号が付された９個のＲＥから構成され、ｅＲＥＧ２は‘２’の番号が付された９個のＲＥから構成され、ｅＲＥＧ３は‘３’の番号が付された９個のＲＥから構成され、ｅＲＥＧ４は‘４’の番号が付された９個のＲＥから構成され、ｅＲＥＧ５は‘５’の番号が付された９個のＲＥから構成され、ｅＲＥＧ６は‘６’の番号が付された９個のＲＥから構成され、ｅＲＥＧ７は‘７’の番号が付された９個のＲＥから構成され、ｅＲＥＧ８は‘８’の番号が付された９個のＲＥから構成され、ｅＲＥＧ９は‘９’の番号が付された９個のＲＥから構成され、ｅＲＥＧ１０は‘１０’の番号が付された９個のＲＥから構成され、ｅＲＥＧ１１は‘１１’の番号が付された９個のＲＥから構成され、ｅＲＥＧ１２は‘１２’の番号が付された９個のＲＥから構成され、ｅＲＥＧ１３は‘１３’の番号が付された９個のＲＥから構成され、ｅＲＥＧ１４は‘１４’の番号が付された９個のＲＥから構成され、ｅＲＥＧ１５は‘１５’の番号が付された９個のＲＥから構成され、ｅＲＥＧ１６は‘１６’の番号が付された９個のＲＥから構成される。
【０１２０】
図２２のようにｅＲＥＧは構成されるが、他の信号、例えば、ＣＲＳ、第一のＰＤＣＣＨ、ＣＳＩ−ＲＳが配置されるＲＥでは、第二のＰＤＣＣＨの信号は配置されない。よって、ＣＲＳ、第一のＰＤＣＣＨ、ＣＳＩ−ＲＳが配置されるＲＥを除いたｅＲＥＧのリソースで送受信可能なビット数に応じて、第二のＰＤＣＣＨの信号の送受信処理においてレートマッチング処理、デレートマッチング処理が、基地局装置３と移動局装置５で行なわれる。
【０１２１】
図２３は、本発明の実施形態のｅＲＥＧの構成の一例を示す図である。図２２に記載の例と比較して、２本のアンテナポート（アンテナポート７、アンテナポート８）に対応するＵＥ‐ｓｐｅｃｉｆｉｃ  ＲＳが構成されることが異なる。図２３では、全てのｅＲＥＧが同じ数のＲＥから構成されるのではなく、ｅＲＥＧ１、ｅＲＥＧ２、ｅＲＥＧ３、ｅＲＥＧ４、ｅＲＥＧ５、ｅＲＥＧ６、ｅＲＥＧ７、ｅＲＥＧ８、ｅＲＥＧ９、ｅＲＥＧ１０、ｅＲＥＧ１１、ｅＲＥＧ１２のそれぞれは１０個のＲＥから構成され、ｅＲＥＧ１３、ｅＲＥＧ１４、ｅＲＥＧ１５、ｅＲＥＧ１６のそれぞれは９個のＲＥから構成される。
【０１２２】
第二のＰＤＣＣＨ領域に対して、異なるリソースマッピングの方法（Ｌｏｃａｌｉｚｅｄ  ｍａｐｐｉｎｇ、Ｄｉｓｔｒｉｂｕｔｅｄ  ｍａｐｐｉｎｇ）が適用されうる。例えば、Ｌｏｃａｌｉｚｅｄ  ｍａｐｐｉｎｇにより構成されるｅＣＣＥにより構成される第二のＰＤＣＣＨは、Ｌｏｃａｌｉｚｅｄ  ｅＰＤＣＣＨと称す。例えば、Ｄｉｓｔｒｉｂｕｔｅｄ  ｍａｐｐｉｎｇにより構成されるｅＣＣＥにより構成される第二のＰＤＣＣＨは、Ｄｉｓｔｒｂｕｔｅｄ  ｅＰＤＣＣＨと称す。
【０１２３】
例えば、Ｌｏｃａｌｉｚｅｄ  ｅＰＤＣＣＨは、１つのｅＣＣＥ（ｅＣＣＥ  ａｇｇｒｅｇａｔｉｏｎ  １）から構成され、または２つのｅＣＣＥ（ｅＣＣＥ  ａｇｇｒｅｇａｔｉｏｎ  ２）から構成され、または４つのｅＣＣＥ（ｅＣＣＥ  ａｇｇｒｅｇａｔｉｏｎ  ４）から構成される。ｅＣＣＥ  ａｇｇｒｅｇａｔｉｏｎ  ｎｕｍｂｅｒが２以上のＬｏｃａｌｉｚｅｄ  ｅＰＤＣＣＨは、ｅＣＣＥの番号が連続する複数のｅＣＣＥから構成される。ｅＣＣＥ  ａｇｇｒｅｇａｔｉｏｎ  ｎｕｍｂｅｒが２以上のＬｏｃａｌｉｚｅｄ  ｅＰＤＣＣＨは、同じＤＬ  ＰＲＢ  ｐａｉｒ内のリソースから構成される複数のｅＣＣＥから構成される。例えば、図２０において、ｅＣＣＥ  ａｇｇｒｅｇａｔｉｏｎ  ２のＬｏｃａｌｉｚｅｄ  ｅＰＤＣＣＨは、ｅＣＣＥ１とｅＣＣＥ２、またはｅＣＣＥ３とｅＣＣＥ４、またはｅＣＣＥ５とｅＣＣＥ６、またはｅＣＣＥ７とｅＣＣＥ８、またはｅＣＣＥ９とｅＣＣＥ１０、またはｅＣＣＥ１１とｅＣＣＥ１２、またはｅＣＣＥ１３とｅＣＣＥ１４、またはｅＣＣＥ１５とｅＣＣＥ１６から構成される。例えば、図２０において、ｅＣＣＥ  ａｇｇｒｅｇａｔｉｏｎ  ４のＬｏｃａｌｉｚｅｄ  ｅＰＤＣＣＨは、ｅＣＣＥ１とｅＣＣＥ２とｅＣＣＥ３とｅＣＣＥ４と、またはｅＣＣＥ５とｅＣＣＥ６とｅＣＣＥ７とｅＣＣＥ８と、またはｅＣＣＥ９とｅＣＣＥ１０とｅＣＣＥ１１とｅＣＣＥ１２と、またはｅＣＣＥ１３とｅＣＣＥ１４とｅＣＣＥ１５とｅＣＣＥ１６とから構成される。
【０１２４】
例えば、Ｄｉｓｔｒｉｂｕｔｅｄ  ｅＰＤＣＣＨは、１つのｅＣＣＥ（ｅＣＣＥ  ａｇｇｒｅｇａｔｉｏｎ  １）から構成され、または２つのｅＣＣＥ（ｅＣＣＥ  ａｇｇｒｅｇａｔｉｏｎ  ２）から構成され、４つのｅＣＣＥ（ｅＣＣＥ  ａｇｇｒｅｇａｔｉｏｎ  ４）から構成され、または８つのｅＣＣＥ（ｅＣＣＥ  ａｇｇｒｅｇａｔｉｏｎ  ８）から構成される。ｅＣＣＥ  ａｇｇｒｅｇａｔｉｏｎ  ｎｕｍｂｅｒが２以上のＤｉｓｔｒｉｂｕｔｅｄ  ｅＰＤＣＣＨは、ｅＣＣＥの番号が連続する複数のｅＣＣＥから構成される。例えば、図２１において、ｅＣＣＥ  ａｇｇｒｅｇａｔｉｏｎ  ２のＤｉｓｔｒｉｂｕｔｅｄ  ｅＰＤＣＣＨは、ｅＣＣＥ１とｅＣＣＥ２、またはｅＣＣＥ３とｅＣＣＥ４、またはｅＣＣＥ５とｅＣＣＥ６、またはｅＣＣＥ７とｅＣＣＥ８、またはｅＣＣＥ９とｅＣＣＥ１０、またはｅＣＣＥ１１とｅＣＣＥ１２、またはｅＣＣＥ１３とｅＣＣＥ１４、またはｅＣＣＥ１５とｅＣＣＥ１６から構成される。例えば、図２１において、ｅＣＣＥ  ａｇｇｒｅｇａｔｉｏｎ  ４のＤｉｓｔｒｉｂｕｔｅｄ  ｅＰＤＣＣＨは、ｅＣＣＥ１とｅＣＣＥ２とｅＣＣＥ３とｅＣＣＥ４と、またはｅＣＣＥ５とｅＣＣＥ６とｅＣＣＥ７とｅＣＣＥ８と、またはｅＣＣＥ９とｅＣＣＥ１０とｅＣＣＥ１１とｅＣＣＥ１２と、またはｅＣＣＥ１３とｅＣＣＥ１４とｅＣＣＥ１５とｅＣＣＥ１６とから構成される。例えば、図２１において、ｅＣＣＥ  ａｇｇｒｅｇａｔｉｏｎ  ８のＤｉｓｔｒｉｂｕｔｅｄ  ｅＰＤＣＣＨは、ｅＣＣＥ１とｅＣＣＥ２とｅＣＣＥ３とｅＣＣＥ４とｅＣＣＥ５とｅＣＣＥ６とｅＣＣＥ７とｅＣＣＥ８と、またはｅＣＣＥ９とｅＣＣＥ１０とｅＣＣＥ１１とｅＣＣＥ１２とｅＣＣＥ１３とｅＣＣＥ１４とｅＣＣＥ１５とｅＣＣＥ１６とから構成される。
【０１２５】
複数の移動局装置５に対して、共通のＤＬ  ＰＲＢ  ｐａｉｒから構成される第二のＰＤＣＣＨ領域が共通して設定される。その第二のＰＤＣＣＨ領域の異なるｅＣＣＥを用いて、異なる移動局装置５に対して異なる第二のＰＤＣＣＨが送受信される。共通のＤＬ  ＰＲＢ  ｐａｉｒから構成される第二のＰＤＣＣＨ領域が共通して設定されるが、異なるリソースマッピング方法が異なる移動局装置５に対して適用され、その第二のＰＤＣＣＨ領域において異なる移動局装置５に対してＤｉｓｔｒｉｂｕｔｅｄ  ｅＰＤＣＣＨとＬｏｃａｌｉｚｅｄ  ｅＰＤＣＣＨが送受信される場合、Ｄｉｓｔｒｉｂｕｔｅｄ  ｅＰＤＣＣＨが送受信されるｅＲＥＧと、Ｌｏｃａｌｉｚｅｄ  ｅＰＤＣＣＨが送受信されるｅＲＥＧとが異なる。例えば、あるＤＬ  ＰＲＢ  ｐａｉｒ内において、ｅＲＥＧ１とｅＲＥＧ２とｅＲＥＧ３とｅＲＥＧ４とｅＲＥＧ５とｅＲＥＧ６とｅＲＥＧ７とｅＲＥＧ８とが１つ以上のＤｉｓｔｒｉｂｕｔｅｄ  ｅＰＤＣＣＨのリソースとして用いられ、ｅＲＥＧ９とｅＲＥＧ１０とｅＲＥＧ１１とｅＲＥＧ１２とｅＲＥＧ１３とｅＲＥＧ１４とｅＲＥＧ１５とｅＲＥＧ１６とが１つ以上のＬｏｃａｌｉｚｅｄ  ｅＰＤＣＣＨのリソースとして用いられてもよい。移動局装置５の観点からは、構成されたある第二のＰＤＣＣＨ領域に対しては何れかのリソースマッピングの方法が適用されると想定して、第二のＰＤＣＣＨを受信して、復調して、復号する処理を行う。基地局装置３の観点からは、構成したある第二のＰＤＣＣＨ領域に対して何れか１種類のリソースマッピングの方法を適用すると決定して、複数の第二のＰＤＣＣＨを配置して、送信する処理を行ってもよいし、構成したある第二のＰＤＣＣＨ領域に対して両方の２種類のリソースマッピングの方法を適用すると決定して、複数の第二のＰＤＣＣＨを配置して、送信する処理を行ってもよい
【０１２６】
移動局装置５は、基地局装置３より１つ以上の第二のＰＤＣＣＨ領域が構成される。例えば、移動局装置５は、Ｄｉｓｔｒｉｂｕｔｅｄ  ｍａｐｐｉｎｇが適用され、ランダムなビームフォーミング処理が適用される第二のＰＤＣＣＨ領域と、Ｌｏｃａｌｉｚｅｄ  ｍａｐｐｉｎｇが適用され、移動局装置５に対して適したビームフォーミング処理が適用される第二のＰＤＣＣＨ領域との２つの第二のＰＤＣＣＨ領域が構成される。例えば、移動局装置５は、Ｄｉｓｔｒｉｂｕｔｅｄ  ｍａｐｐｉｎｇが適用され、ランダムなビームフォーミング処理が適用される第二のＰＤＣＣＨ領域が２つ構成される。
【０１２７】
移動局装置５は、基地局装置３より構成された第二のＰＤＣＣＨ領域において第二のＰＤＣＣＨを検出する処理（モニタリング）を行うように指定（設定、構成）される。第二のＰＤＣＣＨのモニタリングの指定は、第二のＰＤＣＣＨ領域が移動局装置５に構成されることにより、自動的に（暗黙的に）なされてもよいし、第二のＰＤＣＣＨ領域の構成を示すシグナリングとは異なるシグナリングにより明示的になされてもよい。複数の移動局装置５が、同じ第二のＰＤＣＣＨ領域が基地局装置３より指定されうる。移動局装置５は、第二のＰＤＣＣＨ領域の全てのｅＣＣＥに対して第二のＰＤＣＣＨを検出する処理を行うのではなく、制限されたｅＣＣＥに対して第二のＰＤＣＣＨを検出する処理を行う。例えば、ｅＣＣＥ  ａｇｇｒｅｇａｔｉｏｎ  ｎｕｍｂｅｒ毎に対して、第二のＰＤＣＣＨを検出するｅＰＤＣＣＨ  ｃａｎｄｉｄａｔｅが指定される。
【０１２８】
先ずは、第二のＰＤＣＣＨ領域におけるＬｏｃａｌｉｚｅｄ  ｅＰＤＣＣＨのｅＰＤＣＣＨ  ｃａｎｄｉｄａｔｅの構成について、図２０を用いて説明する。ｅＣＣＥ  ａｇｇｒｅｇａｔｉｏｎ  １のＬｏｃａｌｉｚｅｄ  ｅＰＤＣＣＨのｅＰＤＣＣＨ  ｃａｎｄｉｄａｔｅとして、第二のＰＤＣＣＨ領域には１６個のｅＰＤＣＣＨ  ｃａｎｄｉｄａｔｅ（ｅＰＤＣＣＨ  ｃａｎｄｉｄａｔｅ  １、ｅＰＤＣＣＨ  ｃａｎｄｉｄａｔｅ  ２、ｅＰＤＣＣＨ  ｃａｎｄｉｄａｔｅ  ３、ｅＰＤＣＣＨ  ｃａｎｄｉｄａｔｅ  ４、ｅＰＤＣＣＨ  ｃａｎｄｉｄａｔｅ  ５、ｅＰＤＣＣＨ  ｃａｎｄｉｄａｔｅ  ６、ｅＰＤＣＣＨ  ｃａｎｄｉｄａｔｅ  ７、ｅＰＤＣＣＨ  ｃａｎｄｉｄａｔｅ  ８、ｅＰＤＣＣＨ  ｃａｎｄｉｄａｔｅ  ９、ｅＰＤＣＣＨ  ｃａｎｄｉｄａｔｅ  １０、ｅＰＤＣＣＨ  ｃａｎｄｉｄａｔｅ  １１、ｅＰＤＣＣＨ  ｃａｎｄｉｄａｔｅ  １２、ｅＰＤＣＣＨ  ｃａｎｄｉｄａｔｅ  １３、ｅＰＤＣＣＨ  ｃａｎｄｉｄａｔｅ  １４、ｅＰＤＣＣＨ  ｃａｎｄｉｄａｔｅ  １５、ｅＰＤＣＣＨ  ｃａｎｄｉｄａｔｅ  １６）が構成される。ｅＣＣＥ  ａｇｇｒｅｇａｔｉｏｎ  １において、ｅＰＤＣＣＨ  ｃａｎｄｉｄａｔｅ  １はｅＣＣＥ  １から構成され、ｅＰＤＣＣＨ  ｃａｎｄｉｄａｔｅ  ２はｅＣＣＥ  ２から構成され、ｅＰＤＣＣＨ  ｃａｎｄｉｄａｔｅ  ３はｅＣＣＥ  ３から構成され、ｅＰＤＣＣＨ  ｃａｎｄｉｄａｔｅ  ４はｅＣＣＥ  ４から構成され、ｅＰＤＣＣＨ  ｃａｎｄｉｄａｔｅ  ５はｅＣＣＥ  ５から構成され、ｅＰＤＣＣＨ  ｃａｎｄｉｄａｔｅ  ６はｅＣＣＥ  ６から構成され、ｅＰＤＣＣＨ  ｃａｎｄｉｄａｔｅ  ７はｅＣＣＥ  ７から構成され、ｅＰＤＣＣＨ  ｃａｎｄｉｄａｔｅ  ８はｅＣＣＥ  ８から構成され、ｅＰＤＣＣＨ  ｃａｎｄｉｄａｔｅ  ９はｅＣＣＥ  ９から構成され、ｅＰＤＣＣＨ  ｃａｎｄｉｄａｔｅ  １０はｅＣＣＥ  １０から構成され、ｅＰＤＣＣＨ  ｃａｎｄｉｄａｔｅ  １１はｅＣＣＥ  １１から構成され、ｅＰＤＣＣＨ  ｃａｎｄｉｄａｔｅ  １２はｅＣＣＥ  １２から構成され、ｅＰＤＣＣＨ  ｃａｎｄｉｄａｔｅ  １３はｅＣＣＥ  １３から構成され、ｅＰＤＣＣＨ  ｃａｎｄｉｄａｔｅ  １４はｅＣＣＥ  １４から構成され、ｅＰＤＣＣＨ  ｃａｎｄｉｄａｔｅ  １５はｅＣＣＥ  １５から構成され、ｅＰＤＣＣＨ  ｃａｎｄｉｄａｔｅ  １６はｅＣＣＥ  １６から構成される。
【０１２９】
ｅＣＣＥ  ａｇｇｒｅｇａｔｉｏｎ  ２のＬｏｃａｌｉｚｅｄ  ｅＰＤＣＣＨのｅＰＤＣＣＨ  ｃａｎｄｉｄａｔｅとして、第二のＰＤＣＣＨ領域には８個のｅＰＤＣＣＨ  ｃａｎｄｉｄａｔｅ（ｅＰＤＣＣＨ  ｃａｎｄｉｄａｔｅ  １、ｅＰＤＣＣＨ  ｃａｎｄｉｄａｔｅ  ２、ｅＰＤＣＣＨ  ｃａｎｄｉｄａｔｅ  ３、ｅＰＤＣＣＨ  ｃａｎｄｉｄａｔｅ  ４、ｅＰＤＣＣＨ  ｃａｎｄｉｄａｔｅ  ５、ｅＰＤＣＣＨ  ｃａｎｄｉｄａｔｅ  ６、ｅＰＤＣＣＨ  ｃａｎｄｉｄａｔｅ  ７、ｅＰＤＣＣＨ  ｃａｎｄｉｄａｔｅ  ８）が構成される。ｅＣＣＥ  ａｇｇｒｅｇａｔｉｏｎ  ２において、ｅＰＤＣＣＨ  ｃａｎｄｉｄａｔｅ  １はｅＣＣＥ  １とｅＣＣＥ  ２から構成され、ｅＰＤＣＣＨ  ｃａｎｄｉｄａｔｅ  ２はｅＣＣＥ  ３とｅＣＣＥ  ４から構成され、ｅＰＤＣＣＨ  ｃａｎｄｉｄａｔｅ  ３はｅＣＣＥ  ５とｅＣＣＥ  ６から構成され、ｅＰＤＣＣＨ  ｃａｎｄｉｄａｔｅ  ４はｅＣＣＥ  ７とｅＣＣＥ  ８から構成され、ｅＰＤＣＣＨ  ｃａｎｄｉｄａｔｅ  ５はｅＣＣＥ  ９とｅＣＣＥ  １０から構成され、ｅＰＤＣＣＨ  ｃａｎｄｉｄａｔｅ  ６はｅＣＣＥ  １１とｅＣＣＥ  １２から構成され、ｅＰＤＣＣＨ  ｃａｎｄｉｄａｔｅ  ７はｅＣＣＥ  １３とｅＣＣＥ  １４から構成され、ｅＰＤＣＣＨ  ｃａｎｄｉｄａｔｅ  ８はｅＣＣＥ  １５とｅＣＣＥ  １６から構成される。
【０１３０】
ｅＣＣＥ  ａｇｇｒｅｇａｔｉｏｎ  ４のＬｏｃａｌｉｚｅｄ  ｅＰＤＣＣＨのｅＰＤＣＣＨ  ｃａｎｄｉｄａｔｅとして、第二のＰＤＣＣＨ領域には４個のｅＰＤＣＣＨ  ｃａｎｄｉｄａｔｅ（ｅＰＤＣＣＨ  ｃａｎｄｉｄａｔｅ  １、ｅＰＤＣＣＨ  ｃａｎｄｉｄａｔｅ  ２、ｅＰＤＣＣＨ  ｃａｎｄｉｄａｔｅ  ３、ｅＰＤＣＣＨ  ｃａｎｄｉｄａｔｅ  ４）が構成される。ｅＣＣＥ  ａｇｇｒｅｇａｔｉｏｎ  ４において、ｅＰＤＣＣＨ  ｃａｎｄｉｄａｔｅ  １はｅＣＣＥ  １とｅＣＣＥ  ２とｅＣＣＥ  ３とｅＣＣＥ  ４とから構成され、ｅＰＤＣＣＨ  ｃａｎｄｉｄａｔｅ  ２はｅＣＣＥ  ５とｅＣＣＥ  ６とｅＣＣＥ  ７とｅＣＣＥ  ８とから構成され、ｅＰＤＣＣＨ  ｃａｎｄｉｄａｔｅ  ３はｅＣＣＥ  ９とｅＣＣＥ  １０とｅＣＣＥ  １１とｅＣＣＥ  １２とから構成され、ｅＰＤＣＣＨ  ｃａｎｄｉｄａｔｅ  ４はｅＣＣＥ  １３とｅＣＣＥ  １４とｅＣＣＥ  １５とｅＣＣＥ  １６とから構成される。
【０１３１】
次に、第二のＰＤＣＣＨ領域におけるＤｉｓｔｒｉｂｕｔｅｄ  ｅＰＤＣＣＨのｅＰＤＣＣＨ  ｃａｎｄｉｄａｔｅの構成について、図２１を用いて説明する。ｅＣＣＥ  ａｇｇｒｅｇａｔｉｏｎ  １のＤｉｓｔｒｉｂｕｔｅｄ  ｅＰＤＣＣＨのｅＰＤＣＣＨ  ｃａｎｄｉｄａｔｅとして、第二のＰＤＣＣＨ領域には１６個のｅＰＤＣＣＨ  ｃａｎｄｉｄａｔｅ（ｅＰＤＣＣＨ  ｃａｎｄｉｄａｔｅ  １、ｅＰＤＣＣＨ  ｃａｎｄｉｄａｔｅ  ２、ｅＰＤＣＣＨ  ｃａｎｄｉｄａｔｅ  ３、ｅＰＤＣＣＨ  ｃａｎｄｉｄａｔｅ  ４、ｅＰＤＣＣＨ  ｃａｎｄｉｄａｔｅ  ５、ｅＰＤＣＣＨ  ｃａｎｄｉｄａｔｅ  ６、ｅＰＤＣＣＨ  ｃａｎｄｉｄａｔｅ  ７、ｅＰＤＣＣＨ  ｃａｎｄｉｄａｔｅ  ８、ｅＰＤＣＣＨ  ｃａｎｄｉｄａｔｅ  ９、ｅＰＤＣＣＨ  ｃａｎｄｉｄａｔｅ  １０、ｅＰＤＣＣＨ  ｃａｎｄｉｄａｔｅ  １１、ｅＰＤＣＣＨ  ｃａｎｄｉｄａｔｅ  １２、ｅＰＤＣＣＨ  ｃａｎｄｉｄａｔｅ  １３、ｅＰＤＣＣＨ  ｃａｎｄｉｄａｔｅ  １４、ｅＰＤＣＣＨ  ｃａｎｄｉｄａｔｅ  １５、ｅＰＤＣＣＨ  ｃａｎｄｉｄａｔｅ  １６）が構成される。ｅＣＣＥ  ａｇｇｒｅｇａｔｉｏｎ  １において、ｅＰＤＣＣＨ  ｃａｎｄｉｄａｔｅ  １はｅＣＣＥ  １から構成され、ｅＰＤＣＣＨ  ｃａｎｄｉｄａｔｅ  ２はｅＣＣＥ  ２から構成され、ｅＰＤＣＣＨ  ｃａｎｄｉｄａｔｅ  ３はｅＣＣＥ  ３から構成され、ｅＰＤＣＣＨ  ｃａｎｄｉｄａｔｅ  ４はｅＣＣＥ  ４から構成され、ｅＰＤＣＣＨ  ｃａｎｄｉｄａｔｅ  ５はｅＣＣＥ  ５から構成され、ｅＰＤＣＣＨ  ｃａｎｄｉｄａｔｅ  ６はｅＣＣＥ  ６から構成され、ｅＰＤＣＣＨ  ｃａｎｄｉｄａｔｅ  ７はｅＣＣＥ  ７から構成され、ｅＰＤＣＣＨ  ｃａｎｄｉｄａｔｅ  ８はｅＣＣＥ  ８から構成され、ｅＰＤＣＣＨ  ｃａｎｄｉｄａｔｅ  ９はｅＣＣＥ  ９から構成され、ｅＰＤＣＣＨ  ｃａｎｄｉｄａｔｅ  １０はｅＣＣＥ  １０から構成され、ｅＰＤＣＣＨ  ｃａｎｄｉｄａｔｅ  １１はｅＣＣＥ  １１から構成され、ｅＰＤＣＣＨ  ｃａｎｄｉｄａｔｅ  １２はｅＣＣＥ  １２から構成され、ｅＰＤＣＣＨ  ｃａｎｄｉｄａｔｅ  １３はｅＣＣＥ  １３から構成され、ｅＰＤＣＣＨ  ｃａｎｄｉｄａｔｅ  １４はｅＣＣＥ  １４から構成され、ｅＰＤＣＣＨ  ｃａｎｄｉｄａｔｅ  １５はｅＣＣＥ  １５から構成され、ｅＰＤＣＣＨ  ｃａｎｄｉｄａｔｅ  １６はｅＣＣＥ  １６から構成される。
【０１３２】
ｅＣＣＥ  ａｇｇｒｅｇａｔｉｏｎ  ２のＤｉｓｔｒｉｂｕｔｅｄ  ｅＰＤＣＣＨのｅＰＤＣＣＨ  ｃａｎｄｉｄａｔｅとして、第二のＰＤＣＣＨ領域には８個のｅＰＤＣＣＨ  ｃａｎｄｉｄａｔｅ（ｅＰＤＣＣＨ  ｃａｎｄｉｄａｔｅ  １、ｅＰＤＣＣＨ  ｃａｎｄｉｄａｔｅ  ２、ｅＰＤＣＣＨ  ｃａｎｄｉｄａｔｅ  ３、ｅＰＤＣＣＨ  ｃａｎｄｉｄａｔｅ  ４、ｅＰＤＣＣＨ  ｃａｎｄｉｄａｔｅ  ５、ｅＰＤＣＣＨ  ｃａｎｄｉｄａｔｅ  ６、ｅＰＤＣＣＨ  ｃａｎｄｉｄａｔｅ  ７、ｅＰＤＣＣＨ  ｃａｎｄｉｄａｔｅ  ８）が構成される。ｅＣＣＥ  ａｇｇｒｅｇａｔｉｏｎ  ２において、ｅＰＤＣＣＨ  ｃａｎｄｉｄａｔｅ  １はｅＣＣＥ  １とｅＣＣＥ  ２から構成され、ｅＰＤＣＣＨ  ｃａｎｄｉｄａｔｅ  ２はｅＣＣＥ  ３とｅＣＣＥ  ４から構成され、ｅＰＤＣＣＨ  ｃａｎｄｉｄａｔｅ  ３はｅＣＣＥ  ５とｅＣＣＥ  ６から構成され、ｅＰＤＣＣＨ  ｃａｎｄｉｄａｔｅ  ４はｅＣＣＥ  ７とｅＣＣＥ  ８から構成され、ｅＰＤＣＣＨ  ｃａｎｄｉｄａｔｅ  ５はｅＣＣＥ  ９とｅＣＣＥ  １０から構成され、ｅＰＤＣＣＨ  ｃａｎｄｉｄａｔｅ  ６はｅＣＣＥ  １１とｅＣＣＥ  １２から構成され、ｅＰＤＣＣＨ  ｃａｎｄｉｄａｔｅ  ７はｅＣＣＥ  １３とｅＣＣＥ  １４から構成され、ｅＰＤＣＣＨ  ｃａｎｄｉｄａｔｅ  ８はｅＣＣＥ  １５とｅＣＣＥ  １６から構成される。
【０１３３】
ｅＣＣＥ  ａｇｇｒｅｇａｔｉｏｎ  ４のＤｉｓｔｒｉｂｕｔｅｄ  ｅＰＤＣＣＨのｅＰＤＣＣＨ  ｃａｎｄｉｄａｔｅとして、第二のＰＤＣＣＨ領域には４個のｅＰＤＣＣＨ  ｃａｎｄｉｄａｔｅ（ｅＰＤＣＣＨ  ｃａｎｄｉｄａｔｅ  １、ｅＰＤＣＣＨ  ｃａｎｄｉｄａｔｅ  ２、ｅＰＤＣＣＨ  ｃａｎｄｉｄａｔｅ  ３、ｅＰＤＣＣＨ  ｃａｎｄｉｄａｔｅ  ４）が構成される。ｅＣＣＥ  ａｇｇｒｅｇａｔｉｏｎ  ４において、ｅＰＤＣＣＨ  ｃａｎｄｉｄａｔｅ  １はｅＣＣＥ  １とｅＣＣＥ  ２とｅＣＣＥ  ３とｅＣＣＥ  ４とから構成され、ｅＰＤＣＣＨ  ｃａｎｄｉｄａｔｅ  ２はｅＣＣＥ  ５とｅＣＣＥ  ６とｅＣＣＥ  ７とｅＣＣＥ  ８とから構成され、ｅＰＤＣＣＨ  ｃａｎｄｉｄａｔｅ  ３はｅＣＣＥ  ９とｅＣＣＥ  １０とｅＣＣＥ  １１とｅＣＣＥ  １２とから構成され、ｅＰＤＣＣＨ  ｃａｎｄｉｄａｔｅ  ４はｅＣＣＥ  １３とｅＣＣＥ  １４とｅＣＣＥ  １５とｅＣＣＥ  １６とから構成される。
【０１３４】
ｅＣＣＥ  ａｇｇｒｅｇａｔｉｏｎ  ８のＤｉｓｔｒｉｂｕｔｅｄ  ｅＰＤＣＣＨのｅＰＤＣＣＨ  ｃａｎｄｉｄａｔｅとして、第二のＰＤＣＣＨ領域には２個のｅＰＤＣＣＨ  ｃａｎｄｉｄａｔｅ（ｅＰＤＣＣＨ  ｃａｎｄｉｄａｔｅ  １、ｅＰＤＣＣＨ  ｃａｎｄｉｄａｔｅ  ２）が構成される。ｅＣＣＥ  ａｇｇｒｅｇａｔｉｏｎ  ８において、ｅＰＤＣＣＨ  ｃａｎｄｉｄａｔｅ  １はｅＣＣＥ  １とｅＣＣＥ  ２とｅＣＣＥ  ３とｅＣＣＥ  ４とｅＣＣＥ  ５とｅＣＣＥ  ６とｅＣＣＥ  ７とｅＣＣＥ  ８とから構成され、ｅＰＤＣＣＨ  ｃａｎｄｉｄａｔｅ  ２はｅＣＣＥ  ９とｅＣＣＥ  １０とｅＣＣＥ  １１とｅＣＣＥ  １２とｅＣＣＥ  １３とｅＣＣＥ  １４とｅＣＣＥ  １５とｅＣＣＥ  １６とから構成される。
【０１３５】
例えば、第二のＰＤＣＣＨ領域毎に、何れのｅＰＤＣＣＨ  ｃａｎｄｉｄａｔｅに対して第二のＰＤＣＣＨを検出する処理を行なうかが、ｅＰＤＣＣＨ  ｃａｎｄｉｄａｔｅ毎に１ビットが構成されたビットマップ（ｅＰＤＣＣＨ  ｃａｎｄｉｄａｔｅ  ｂｉｔｍａｐと呼称する）により示される。ビット‘１’が示されるｅＰＤＣＣＨ  ｃａｎｄｉｄａｔｅに対して移動局装置５は第二のＰＤＣＣＨを検出する処理を行い、ビット‘０’が示されるｅＰＤＣＣＨ  ｃａｎｄｉｄａｔｅに対して移動局装置５は第二のＰＤＣＣＨを検出する処理を行なわない。ｅＣＣＥ  ａｇｇｒｅｇａｔｉｏｎ  ｎｕｍｂｅｒ毎にｅＰＤＣＣＨ  ｃａｎｄｉｄａｔｅ  ｂｉｔｍａｐが基地局装置３から移動局装置５に通知される。
【０１３６】
第二のＰＤＣＣＨ領域の構成（指定、設定）を示す情報は、第二のＰＤＣＣＨを用いた通信を開始する前に、基地局装置３と移動局装置５間でやり取りが行われる。例えば、その情報は、ＲＲＣ（Radio Resource Control）シグナリングを用いて行われる。具体的には、移動局装置５は、基地局装置３より第二のＰＤＣＣＨ領域のＤＬ  ＰＲＢ  ｐａｉｒの位置（割り当て）を示す情報を受信する。また、第二のＰＤＣＣＨ領域のそれぞれに対して、ｅＣＣＥのリソースマッピングの種類（Ｌｏｃａｌｉｚｅｄ  ｍａｐｐｉｎｇ、Ｄｉｓｔｒｉｂｕｔｅｄ  ｍａｐｐｉｎｇ）を示す情報が、基地局装置３から移動局装置５に通知される。なお、明示的に第二のＰＤＣＣＨ領域に適用されるリソースマッピングの種類を示す情報ではなく、他の情報が基地局装置３から移動局装置５に通知され、その情報に基づき暗黙的に第二のＰＤＣＣＨのｅＣＣＥのリソースマッピングの種類が移動局装置５で認識される構成でもよい。例えば、各第二のＰＤＣＣＨ領域での第二のＰＤＣＣＨの送信方法を示す情報が基地局装置３から移動局装置５に通知され、移動局装置５に対して適したビームフォーミング処理が適用される送信方法が示された場合はその第二のＰＤＣＣＨ領域のｅＣＣＥのリソースマッピングはＬｏｃａｌｉｚｅｄ  ｍａｐｐｉｎｇであると移動局装置５が認識し、ランダムなビームフォーミング処理が適用される送信方法が示された場合はその第二のＰＤＣＣＨ領域のｅＣＣＥのリソースマッピングはＤｉｓｔｒｉｂｕｅｔｄ  ｍａｐｐｉｎｇであると移動局装置５が認識する。また、デフォルトとして、何れかの第二のＰＤＣＣＨのｅＣＣＥのリソースマッピングが予め第二のＰＤＣＣＨ領域に設定されており、その設定と異なるｅＣＣＥのリソースマッピングが用いられる場合にのみ、その旨を示す情報が基地局装置３から移動局装置５に通知される構成でもよい。また、一部の第二のＰＤＣＣＨ領域では、必ず一方のｅＣＣＥのリソースマッピングの種類、例えばＤｉｓｔｒｉｂｕｔｅｄ  ｍａｐｐｉｎｇが適用されると予め決められていてもよい。
【０１３７】
移動局装置５は、基地局装置３より設定された第二のＰＤＣＣＨ領域内で受信したＵＥ‐ｓｐｅｃｉｆｉｃ  ＲＳを用いて、第二のＰＤＣＣＨの信号の復調を行い、自装置宛ての第二のＰＤＣＣＨを検出する処理を行なう。例えば、移動局装置５は、第二のＰＤＣＣＨの信号の復調を、復調を行なうリソースが属するＤＬ  ＰＲＢ  ｐａｉｒ内のＵＥ‐ｓｐｅｃｉｆｉｃ  ＲＳを用いて行う。ｅＲＥＧは何れかのアンテナポートと予め対応付けが設定されており、移動局装置５は第二のＰＤＣＣＨの信号の復調を、第二のＰＤＣＣＨを構成するｅＲＥＧに基づき判断したアンテナポートのＵＥ‐ｓｐｅｃｉｆｉｃ  ＲＳを用いて行う。なお、Ｌｏｃａｌｉｚｅｄ  ｍａｐｐｉｎｇが適用される第二のＰＤＣＣＨ領域と、Ｄｉｓｔｒｉｂｕｔｅｄ  ｍａｐｐｉｎｇが適用される第二のＰＤＣＣＨ領域とにおいて、ＤＬ  ＰＲＢ  ｐａｉｒ内のｅＲＥＧとアンテナポートとの対応付けに関して異なる対応付けが用いられてもよい。
【０１３８】
以下では、第二のＰＤＣＣＨにマッピングされる制御信号について説明する。第二のＰＤＣＣＨにマッピングされる制御信号は、１つの移動局装置５に対する制御情報（ＤＣＩ）毎に処理され、データ信号と同様に、スクランブル処理、変調処理、レイヤーマッピング処理、プレコーディング処理等が行われうる。ここで、レイヤーマッピング処理とは、第二のＰＤＣＣＨに複数アンテナ送信が適用される場合に行われる、ＭＩＭＯ信号処理の一部を意味する。また、第二のＰＤＣＣＨにマッピングされる制御信号は、ＵＥ−ｓｐｅｃｉｆｉｃ  ＲＳと共に、共通のプレコーディング処理が行われる。そのとき、プレコーディング処理は、移動局装置５単位に好適なプレコーディング重みにより行われることが好ましい。
【０１３９】
また、第二のＰＤＣＣＨが配置されるＤＬ  ＰＲＢ  ｐａｉｒには、基地局装置３によって、ＵＥ−ｓｐｅｃｉｆｉｃ  ＲＳが多重される。移動局装置５は、第二のＰＤＣＣＨの信号を、ＵＥ−ｓｐｅｃｉｆｉｃ  ＲＳによって復調処理を行う。第二のＰＤＣＣＨの復調に用いられるＵＥ−ｓｐｅｃｉｆｉｃ  ＲＳは、その第二のＰＤＣＣＨを構成するｅＲＥＧ、またはｅＣＣＥと対応するアンテナポートのＵＥ−ｓｐｅｃｉｆｉｃ  ＲＳが用いられる。第二のＰＤＣＣＨ領域のｅＲＥＧ、ｅＣＣＥと対応するアンテナポートは、予め設定される。
【０１４０】
例えば、図２０において、Ｌｏｃａｌｉｚｅｄ  ｍａｐｐｉｎｇが適用される第二のＰＤＣＣＨ領域では、ｅＣＣＥ１とｅＣＣＥ５とｅＣＣＥ９とｅＣＣＥ１３とがアンテナポート７と対応し、ｅＣＣＥ２とｅＣＣＥ６とｅＣＣＥ１０とｅＣＣＥ１４とがアンテナポート８と対応し、ｅＣＣＥ３とｅＣＣＥ７とｅＣＣＥ１１とｅＣＣＥ１５とがアンテナポート９と対応し、ｅＣＣＥ４とｅＣＣＥ８とｅＣＣＥ１２とｅＣＣＥ１６とがアンテナポート１０と対応することが予め設定されており、このような設定は、例えば、図２２に示すように、４個のアンテナポートのＵＥ−ｓｐｅｃｉｆｉｃ  ＲＳが第二のＰＤＣＣＨ領域に構成される場合に用いられる。例えば、図２０において、Ｌｏｃａｌｉｚｅｄ  ｍａｐｐｉｎｇが適用される第二のＰＤＣＣＨ領域では、ｅＣＣＥ１とｅＣＣＥ５とｅＣＣＥ９とｅＣＣＥ１３とがアンテナポート７と対応し、ｅＣＣＥ２とｅＣＣＥ６とｅＣＣＥ１０とｅＣＣＥ１４とがアンテナポート７と対応し、ｅＣＣＥ３とｅＣＣＥ７とｅＣＣＥ１１とｅＣＣＥ１５とがアンテナポート８と対応し、ｅＣＣＥ４とｅＣＣＥ８とｅＣＣＥ１２とｅＣＣＥ１６とがアンテナポート８と対応することが予め設定されており、このような設定は、例えば、図２３に示すように、２個のアンテナポートのＵＥ−ｓｐｅｃｉｆｉｃ  ＲＳが第二のＰＤＣＣＨ領域に構成される場合に用いられる。
【０１４１】
例えば、図２１において、Ｄｉｓｔｒｉｂｕｔｅｄ  ｍａｐｐｉｎｇが適用される第二のＰＤＣＣＨ領域では、ｅＣＣＥ１とｅＣＣＥ２とｅＣＣＥ３とｅＣＣＥ４とがアンテナポート７と対応し、ｅＣＣＥ５とｅＣＣＥ６とｅＣＣＥ７とｅＣＣＥ８とがアンテナポート８と対応し、ｅＣＣＥ９とｅＣＣＥ１０とｅＣＣＥ１１とｅＣＣＥ１２とがアンテナポート９と対応し、ｅＣＣＥ１３とｅＣＣＥ１４とｅＣＣＥ１５とｅＣＣＥ１６とがアンテナポート１０と対応することが予め設定されており、このような設定は、例えば、図２２に示すように、４個のアンテナポートのＵＥ−ｓｐｅｃｉｆｉｃ  ＲＳが第二のＰＤＣＣＨ領域に構成される場合に用いられる。例えば、図２１において、Ｄｉｓｔｒｉｂｕｔｅｄ  ｍａｐｐｉｎｇが適用される第二のＰＤＣＣＨ領域では、ｅＣＣＥ１とｅＣＣＥ２とｅＣＣＥ３とｅＣＣＥ４とがアンテナポート７と対応し、ｅＣＣＥ５とｅＣＣＥ６とｅＣＣＥ７とｅＣＣＥ８とがアンテナポート７と対応し、ｅＣＣＥ９とｅＣＣＥ１０とｅＣＣＥ１１とｅＣＣＥ１２とがアンテナポート８と対応し、ｅＣＣＥ１３とｅＣＣＥ１４とｅＣＣＥ１５とｅＣＣＥ１６とがアンテナポート８と対応することが予め設定されており、このような設定は、例えば、図２３に示すように、２個のアンテナポートのＵＥ−ｓｐｅｃｉｆｉｃ  ＲＳが第二のＰＤＣＣＨ領域に構成される場合に用いられる。
【０１４２】
Ｄｉｓｔｒｉｂｕｔｅｄ  ｍａｐｐｉｎｇのｅＣＣＥが図２１に示すようなｅＲＥＧで構成され、図２０に示すＬｏｃａｌｉｚｅｄ  ｍａｐｐｉｎｇのｅＣＣＥに関して、Ｌｏｃａｌｉｚｅｄ  ｍａｐｐｉｎｇのｅＣＣＥ１がＤＬ  ＰＲＢ  ｐａｉｒ  ＷのｅＲＥＧ１とｅＲＥＧ２とｅＲＥＧ３とｅＲＥＧ４とから構成され、Ｌｏｃａｌｉｚｅｄ  ｍａｐｐｉｎｇのｅＣＣＥ２がＤＬ  ＰＲＢ  ｐａｉｒ  ＷのｅＲＥＧ５とｅＲＥＧ６とｅＲＥＧ７とｅＲＥＧ８とから構成され、Ｌｏｃａｌｉｚｅｄ  ｍａｐｐｉｎｇのｅＣＣＥ３がＤＬ  ＰＲＢ  ｐａｉｒ  ＷのｅＲＥＧ９とｅＲＥＧ１０とｅＲＥＧ１１とｅＲＥＧ１２とから構成され、Ｌｏｃａｌｉｚｅｄ  ｍａｐｐｉｎｇのｅＣＣＥ４がＤＬ  ＰＲＢ  ｐａｉｒ  ＷのｅＲＥＧ１３とｅＲＥＧ１４とｅＲＥＧ１５とｅＲＥＧ１６とから構成され、Ｌｏｃａｌｉｚｅｄ  ｍａｐｐｉｎｇのｅＣＣＥ５がＤＬ  ＰＲＢ  ｐａｉｒ  ＸのｅＲＥＧ１とｅＲＥＧ２とｅＲＥＧ３とｅＲＥＧ４とから構成され、Ｌｏｃａｌｉｚｅｄ  ｍａｐｐｉｎｇのｅＣＣＥ６がＤＬ  ＰＲＢ  ｐａｉｒ  ＸのｅＲＥＧ５とｅＲＥＧ６とｅＲＥＧ７とｅＲＥＧ８とから構成され、Ｌｏｃａｌｉｚｅｄ  ｍａｐｐｉｎｇのｅＣＣＥ７がＤＬ  ＰＲＢ  ｐａｉｒ  ＸのｅＲＥＧ９とｅＲＥＧ１０とｅＲＥＧ１１とｅＲＥＧ１２とから構成され、Ｌｏｃａｌｉｚｅｄ  ｍａｐｐｉｎｇのｅＣＣＥ８がＤＬ  ＰＲＢ  ｐａｉｒ  ＸのｅＲＥＧ１３とｅＲＥＧ１４とｅＲＥＧ１５とｅＲＥＧ１６とから構成され、Ｌｏｃａｌｉｚｅｄ  ｍａｐｐｉｎｇのｅＣＣＥ９がＤＬ  ＰＲＢ  ｐａｉｒ  ＹのｅＲＥＧ１とｅＲＥＧ２とｅＲＥＧ３とｅＲＥＧ４とから構成され、Ｌｏｃａｌｉｚｅｄ  ｍａｐｐｉｎｇのｅＣＣＥ１０がＤＬ  ＰＲＢ  ｐａｉｒ  ＹのｅＲＥＧ５とｅＲＥＧ６とｅＲＥＧ７とｅＲＥＧ８とから構成され、Ｌｏｃａｌｉｚｅｄ  ｍａｐｐｉｎｇのｅＣＣＥ１１がＤＬ  ＰＲＢ  ｐａｉｒ  ＹのｅＲＥＧ９とｅＲＥＧ１０とｅＲＥＧ１１とｅＲＥＧ１２とから構成され、Ｌｏｃａｌｉｚｅｄ  ｍａｐｐｉｎｇのｅＣＣＥ１２がＤＬ  ＰＲＢ  ｐａｉｒ  ＹのｅＲＥＧ１３とｅＲＥＧ１４とｅＲＥＧ１５とｅＲＥＧ１６とから構成され、Ｌｏｃａｌｉｚｅｄ  ｍａｐｐｉｎｇのｅＣＣＥ１３がＤＬ  ＰＲＢ  ｐａｉｒ  ＺのｅＲＥＧ１とｅＲＥＧ２とｅＲＥＧ３とｅＲＥＧ４とから構成され、Ｌｏｃａｌｉｚｅｄ  ｍａｐｐｉｎｇのｅＣＣＥ１４がＤＬ  ＰＲＢ  ｐａｉｒ  ＺのｅＲＥＧ５とｅＲＥＧ６とｅＲＥＧ７とｅＲＥＧ８とから構成され、Ｌｏｃａｌｉｚｅｄ  ｍａｐｐｉｎｇのｅＣＣＥ１５がＤＬ  ＰＲＢ  ｐａｉｒ  ＺのｅＲＥＧ９とｅＲＥＧ１０とｅＲＥＧ１１とｅＲＥＧ１２とから構成され、Ｌｏｃａｌｉｚｅｄ  ｍａｐｐｉｎｇのｅＣＣＥ１６がＤＬ  ＰＲＢ  ｐａｉｒ  ＺのｅＲＥＧ１３とｅＲＥＧ１４とｅＲＥＧ１５とｅＲＥＧ１６とから構成される場合は、それぞれのｅＲＥＧとアンテナポートが対応し、移動局装置５は第二のＰＤＣＣＨを構成するｅＲＥＧから復調に用いるＵＥ−ｓｐｅｃｉｆｉｃ  ＲＳのアンテナポートが判断されてもよい。例えば、Ｌｏｃａｌｉｚｅｄ  ｍａｐｐｉｎｇが適用される第二のＰＤＣＣＨ領域においても、Ｄｉｓｔｒｉｂｕｔｅｄ  ｍａｐｐｉｎｇが適用される第二のＰＤＣＣＨ領域においても、ｅＲＥＧ１とｅＲＥＧ２とｅＲＥＧ３とｅＲＥＧ４とがアンテナポート７と対応し、ｅＲＥＧ５とｅＲＥＧ６とｅＲＥＧ７とｅＲＥＧ８とがアンテナポート８と対応し、ｅＲＥＧ９とｅＲＥＧ１０とｅＲＥＧ１１とｅＲＥＧ１２とがアンテナポート９と対応し、ｅＲＥＧ１３とｅＲＥＧ１４とｅＲＥＧ１５とｅＲＥＧ１６とがアンテナポート１０と対応するように、予め設定されており、このような設定は、例えば、図２２に示すように、４個のアンテナポートのＵＥ−ｓｐｅｃｉｆｉｃ  ＲＳが第二のＰＤＣＣＨ領域に構成される場合に用いられる。例えば、Ｌｏｃａｌｉｚｅｄ  ｍａｐｐｉｎｇが適用される第二のＰＤＣＣＨ領域においても、Ｄｉｓｔｒｉｂｕｔｅｄ  ｍａｐｐｉｎｇが適用される第二のＰＤＣＣＨ領域においても、ｅＲＥＧ１とｅＲＥＧ２とｅＲＥＧ３とｅＲＥＧ４とｅＲＥＧ５とｅＲＥＧ６とｅＲＥＧ７とｅＲＥＧ８とがアンテナポート７と対応し、ｅＲＥＧ９とｅＲＥＧ１０とｅＲＥＧ１１とｅＲＥＧ１２とｅＲＥＧ１３とｅＲＥＧ１４とｅＲＥＧ１５とｅＲＥＧ１６とがアンテナポート８と対応するように、予め設定されており、このような設定は、例えば、図２３に示すように、２個のアンテナポートのＵＥ−ｓｐｅｃｉｆｉｃ  ＲＳが第二のＰＤＣＣＨ領域に構成される場合に用いられる。
【０１４３】
なお、ｅＣＣＥ  ａｇｇｒｅｇａｔｉｏｎ  ｎｕｍｂｅｒが２以上では、第二のＰＤＣＣＨに対して１つのアンテナポートのみが用いられるように制御されてもよい。例えば、ｅＣＣＥ  ａｇｇｒｅｇａｔｉｏｎ  ２のＬｏｃａｌｉｚｅｄ  ｅＰＤＣＣＨが図２０に示すｅＣＣＥ１とｅＣＣＥ２から構成され、ｅＣＣＥ１がアンテナポート７、ｅＣＣＥ２がアンテナポート８と対応すると予め設定されている場合に、基地局装置３はアンテナポート７、またはアンテナポート８のみを用いてそのＬｏｃａｌｉｚｅｄ  ｅＰＤＣＣＨの信号とＵＥ−ｓｐｅｃｉｆｉｃ  ＲＳを移動局装置５に送信し、移動局装置５はアンテナポート７、またはアンテナポート８のＵＥ−ｓｐｅｃｉｆｉｃ  ＲＳを用いてそのＬｏｃａｌｉｚｅｄ  ｅＰＤＣＣＨの信号を復調するようにしてもよい。また、ｅＣＣＥ  ａｇｇｒｅｇａｔｉｏｎ  ４では、第二のＰＤＣＣＨに対して２つのアンテナポートのみが用いられるように制御されてもよい。例えば、ｅＣＣＥ  ａｇｇｒｅｇａｔｉｏｎ  ４のＬｏｃａｌｉｚｅｄ  ｅＰＤＣＣＨが図２０に示すｅＣＣＥ１とｅＣＣＥ２とｅＣＣＥ３とｅＣＣＥ４とから構成され、ｅＣＣＥ１がアンテナポート７、ｅＣＣＥ２がアンテナポート８、ｅＣＣＥ３がアンテナポート９、ｅＣＣＥ４がアンテナポート１０と対応すると予め設定されている場合に、基地局装置３はアンテナポート７、またはアンテナポート８のみを用いてそのＬｏｃａｌｉｚｅｄ  ｅＰＤＣＣＨのｅＣＣＥ１とｅＣＣＥ２の信号とＵＥ−ｓｐｅｃｉｆｉｃ  ＲＳを移動局装置５に送信すると共に、アンテナポート９、またはアンテナポート１０のみを用いてそのＬｏｃａｌｉｚｅｄ  ｅＰＤＣＣＨのｅＣＣＥ３とｅＣＣＥ４の信号とＵＥ−ｓｐｅｃｉｆｉｃ  ＲＳを移動局装置５に送信し、移動局装置５はアンテナポート７、またはアンテナポート８のＵＥ−ｓｐｅｃｉｆｉｃ  ＲＳを用いてそのＬｏｃａｌｉｚｅｄ  ｅＰＤＣＣＨのｅＣＣＥ１とｅＣＣＥ２の信号を復調すると共に、アンテナポート９、またはアンテナポート１０のＵＥ−ｓｐｅｃｉｆｉｃ  ＲＳを用いてそのＬｏｃａｌｉｚｅｄ  ｅＰＤＣＣＨのｅＣＣＥ３とｅＣＣＥ４の信号を復調するようにしてもよい。この場合、基地局装置３がｅＣＣＥ１とｅＣＣＥ２の信号の送信に用いるアンテナポートと、ｅＣＣＥ３とｅＣＣＥ４の信号の送信に用いるアンテナポートとを、共通のプリコーディング処理により形成することにより、移動局装置５におけるチャネル推定の特性を向上することができる。Ｌｏｃａｌｉｚｅｄ  ｅＰＤＣＣＨを構成する複数のｅＣＣＥに関して、同一の下りリンクリソースエレメントにＵＥ−ｓｐｅｃｉｆｉｃ  ＲＳが配置される複数のアンテナポートと対応する複数のｅＣＣＥについては何れかのアンテナポートを用いてｅＣＣＥが送信され、異なる下りリンクリソースエレメントにＵＥ−ｓｐｅｃｉｆｉｃ  ＲＳが配置される複数のアンテナポートと対応する複数のｅＣＣＥについてはそれぞれ異なるアンテナポートを用いてｅＣＣＥが送信されるようにしてもよい。
【０１４４】
図２４は、本発明の実施形態に係る移動局装置５の第二のＰＤＣＣＨのモニタリングの一例を説明する図である。図２４では、移動局装置５に対して、２つの第二のＰＤＣＣＨ領域（第二のＰＤＣＣＨ領域１、第二のＰＤＣＣＨ領域２）が構成される場合について説明する。移動局装置５は、各第二のＰＤＣＣＨ領域においてＳｅａｒｃｈ  ｓｐａｃｅが設定される。Ｓｅａｒｃｈ  ｓｐａｃｅとは、移動局装置５が第二のＰＤＣＣＨ領域内で第二のＰＤＣＣＨの復号検出を行なう論理的な領域を意味する。Ｓｅａｒｃｈ  ｓｐａｃｅは、複数の第二のＰＤＣＣＨ候補から構成される。第二のＰＤＣＣＨ候補とは、移動局装置５が第二のＰＤＣＣＨの復号検出を行う対象である。ｅＣＣＥ  ａｇｇｒｅｇａｔｉｏｎ  ｎｕｍｂｅｒ毎に、異なる第二のＰＤＣＣＨ候補は異なるｅＣＣＥ（１つのｅＣＣＥ、複数のｅＣＣＥを含む）から構成される。
【０１４５】
複数の第二のＰＤＣＣＨ領域が構成される移動局装置５には、複数のＳｅａｒｃｈ  ｓｐａｃｅ（第一のＳｅａｒｃｈ  ｓｐａｃｅ、第二のＳｅａｒｃｈ  ｓｐａｃｅ）が設定される。例えば、移動局装置５に構成される複数の第二のＰＤＣＣＨ領域の一部の第二のＰＤＣＣＨ領域にはＤｉｓｔｒｉｂｕｔｅｄ  ｍａｐｐｉｎｇが適用され、異なる一部の第二のＰＤＣＣＨ領域にはＬｏｃａｌｉｚｅｄ  ｍａｐｐｉｎｇが適用される。
【０１４６】
第一のＳｅａｒｃｈ  ｓｐａｃｅの第二のＰＤＣＣＨ候補の数は、第二のＳｅａｒｃｈ  ｓｐａｃｅの第二のＰＤＣＣＨの候補の数と異なってもよい。また、あるｅＣＣＥ集合数では、第一のＳｅａｒｃｈ  ｓｐａｃｅの第二のＰＤＣＣＨ候補の数と第二のＳｅａｒｃｈ  ｓｐａｃｅの第二のＰＤＣＣＨ候補の数とが同じで、異なるｅＣＣＥ集合数では、第一のＳｅａｒｃｈ  ｓｐａｃｅの第二のＰＤＣＣＨ候補の数と第二のＳｅａｒｃｈ  ｓｐａｃｅの第二のＰＤＣＣＨ候補の数とが異なってもよい。また、あるｅＣＣＥ集合数では、第一のＳｅａｒｃｈ  ｓｐａｃｅの第二のＰＤＣＣＨ候補の数が第二のＳｅａｒｃｈ  ｓｐａｃｅの第二のＰＤＣＣＨ候補の数より多く、異なるｅＣＣＥ集合数では、第一のＳｅａｒｃｈ  ｓｐａｃｅの第二のＰＤＣＣＨ候補の数が第二のＳｅａｒｃｈ  ｓｐａｃｅの第二のＰＤＣＣＨ候補の数より少なくてもよい。また、あるｅＣＣＥ集合数の第二のＰＤＣＣＨ候補が、一方の第二のＰＤＣＣＨ領域のＳｅａｒｃｈ  ｓｐａｃｅには設定され、異なる一方の第二のＰＤＣＣＨ領域のＳｅａｒｃｈ  ｓｐａｃｅには設定されなくてもよい。また、移動局装置５に構成される第二のＰＤＣＣＨ領域の数に応じて、１つの第二のＰＤＣＣＨ領域内のＳｅａｒｃｈ  ｓｐａｃｅの第二のＰＤＣＣＨ候補数を変動させてもよい。例えば、移動局装置５に構成される第二のＰＤＣＣＨ領域の数が増えるにつれ、１つの第二のＰＤＣＣＨ領域内のＳｅａｒｃｈ  ｓｐａｃｅの第二のＰＤＣＣＨ候補数を少なくしてもよい。
【０１４７】
通信システム１において、図１５に示すように、ＡＣＫ／ＮＡＣＫの送受信用のＰＵＣＣＨ（以降、ＡＣＫ／ＮＡＣＫ  ＰＵＣＣＨと呼称する）リソースが複数用意される。用意されたＡＣＫ／ＮＡＣＫ  ＰＵＣＣＨのリソースにおいて、ＡＣＫ／ＮＡＣＫ  ＰＵＣＣＨのリソースを構成するＵＬ  ＰＲＢ  ｐａｉｒが上りリンクシステム帯域において比較的端にあるＡＣＫ／ＮＡＣＫ  ＰＵＣＣＨのリソースは、ＰＤＳＣＨのリソース割り当てのためにＰＤＣＣＨが基本的に用いられないスケジューリング（パーシステントスケジューリング、セミパーシステントスケジューリング；Ｓｅｍｉ−Ｐｅｒｓｉｓｔｅｎｔ  ｓｃｈｅｄｕｌｉｎｇ：ＳＰＳ）のＰＤＳＣＨに対するＡＣＫ／ＮＡＣＫ（以降、ＳＰＳ  ＡＣＫ／ＮＡＣＫと呼称する）の送受信のために用いられる。ＳＰＳでは、基地局装置３がある移動局装置５に対するＰＤＳＣＨを配置して送信するかもしれないＤＬ  ＰＲＢ  ｐａｉｒを基地局装置３が移動局装置５に予め通知し、移動局装置５は通知されたＤＬ  ＰＲＢ  ｐａｉｒでＰＤＳＣＨの復調、復号を行なって、ＣＲＣをチェックし、自装置宛てのＰＤＳＣＨが送信されたかどうかを認識し、自装置宛てのＰＤＳＣＨであると判断した場合は、検出したデータを用いる。ＳＰＳでは、周波数領域のリソースとして１つ以上のＤＬ  ＰＲＢ  ｐａｉｒが移動局装置５に予め通知されるだけでなく、どの下りリンクサブフレームでＰＤＳＣＨが配置されるかもしれないということが示されるために、時間領域のリソースとして下りリンクサブフレームの周期が移動局装置５に予め通知される。このように、ＳＰＳでは、ＰＤＳＣＨが実際に割り当てられることが第一のＰＤＣＣＨにより示されず、第一のＰＤＣＣＨが用いられない。第一のＰＤＣＣＨが用いられず、ＣＣＥ  ｉｎｄｅｘに応じてＡＣＫ／ＮＡＣＫ  ＰＵＣＣＨのリソースが暗示的に示され、割り当てられる方法を用いることができないため、基地局装置３はＳＰＳのＰＤＳＣＨに対して用いるＰＵＣＣＨのリソースを移動局装置５に対してシグナリングを用いて明示的に通知する。
【０１４８】
ＰＤＳＣＨのリソース割り当てのためにＰＤＣＣＨが基本的に用いられるスケジューリング（ダイナミックスケジューリング）のＰＤＳＣＨに対するＡＣＫ／ＮＡＣＫ  ＰＵＣＣＨのリソースは、ＳＰＳ  ＡＣＫ／ＮＡＣＫのために割り当てられたＡＣＫ／ＮＡＣＫ  ＰＵＣＣＨのリソースに連続したＡＣＫ／ＮＡＣＫ  ＰＵＣＣＨのリソースが用いられることが、上りリンクのリソースの有効活用の観点から望ましい。ＳＰＳを用いる移動局装置５の数は一定ではなく、変動するため、ダイナミックスケジューリングのＰＤＳＣＨに対するＡＣＫ／ＮＡＣＫ  ＰＵＣＣＨのリソースが、上りリンクシステム帯域の全体でのＡＣＫ／ＮＡＣＫ  ＰＵＣＣＨリソースの何れのリソースから開始さるか（用いられ始める）が基地局装置３において制御できることが望ましい。なお、ダイナミックスケジューリングでは、ＰＤＳＣＨが実際に割り当てられることが第一のＰＤＣＣＨにより示され、その第一のＰＤＣＣＨに用いられる１つ以上のＣＣＥのＣＣＥ  ｉｎｄｅｘに応じてＡＣＫ／ＮＡＣＫ  ＰＵＣＣＨのリソースが暗黙的に移動局装置５に割り当てられる。以降、ダイナミックスケジューリングのＰＤＳＣＨに対するＡＣＫ／ＮＡＣＫを、Ｄｙｎａｍｉｃ  ＡＣＫ／ＮＡＣＫと呼称する。
【０１４９】
上記の要望を実現するために、ＣＣＥ  ｉｎｄｅｘが何れのＡＣＫ／ＮＡＣＫ  ＰＵＣＣＨのリソースから対応付けが開始されるかを示す情報が基地局装置３から移動局装置５に通知される。本発明の実施形態では、ＰＤＳＣＨのリソース割り当てのために第二のＰＤＣＣＨが基本的に用いられるダイナミックスケジューリングにおいて、その第二のＰＤＣＣＨに用いられる１つ以上のｅＣＣＥのｅＣＣＥ  ｉｎｄｅｘに応じてＡＣＫ／ＮＡＣＫ  ＰＵＣＣＨのリソースが暗黙的に移動局装置５に割り当てられる。本発明の実施形態は、移動局装置５に構成される複数の第二のＰＤＣＣＨ領域のそれぞれに対して、第二のＰＤＣＣＨ領域のｅＣＣＥ  ｉｎｄｅｘが何れのＡＣＫ／ＮＡＣＫ  ＰＵＣＣＨのリソースから対応付けが開始されるかを基地局装置３が設定し、基地局装置３はその情報を移動局装置５にＲＲＣシグナリングを用いて通知し、移動局装置５は受信したその情報に基づき、構成されたそれぞれの第二のＰＤＣＣＨ領域のｅＣＣＥ  ｉｎｄｅｘが何れのＡＣＫ／ＮＡＣＫ  ＰＵＣＣＨのリソースから対応付けが開始されるかを認識し、基地局装置３と移動局装置５とでＡＣＫ／ＮＡＣＫ  ＰＵＣＣＨの送受信を行なうことを特徴とする。ｅＣＣＥとの対応付けが開始されるＡＣＫ／ＮＡＣＫ  ＰＵＣＣＨのリソースを示す情報は、ｅＣＣＥとの対応付けが開始されるＡＣＫ／ＮＡＣＫ  ＰＵＣＣＨのリソースのＰＵＣＣＨ  ｒｅｓｏｕｒｃｅ  ｉｎｄｅｘと、上りリンクシステム帯域のＡＣＫ／ＮＡＣＫ  ＰＵＣＣＨのリソースの最初の番号のＰＵＣＣＨ  ｒｅｓｏｕｒｃｅ  ｉｎｄｅｘとの差を示すオフセット（以降、ＰＵＣＣＨリソースオフセットと呼称する）が用いられる。
【０１５０】
第二のＰＤＣＣＨを構成するｅＣＣＥから暗黙的に（暗示的に）ＡＣＫ／ＮＡＣＫ  ＰＵＣＣＨのリソースが割り当てられる方法について説明する。第二のＰＤＣＣＨ領域のｅＣＣＥとＡＣＫ／ＮＡＣＫ  ＰＵＣＣＨのリソースは予め決められた規則に基づいて対応付けられる。ｅＣＣＥの識別番号（ｅＣＣＥ  ｉｎｄｅｘ）とＡＣＫ／ＮＡＣＫ  ＰＵＣＣＨのリソースの識別番号（ＰＵＣＣＨ  ｒｅｓｏｕｒｃｅ  ｉｎｄｅｘ）が予め対応付けられ、ｅＣＣＥ  ｉｎｄｅｘに対してＰＵＣＣＨリソースオフセットを加算した値のＰＵＣＣＨ  ｒｅｓｏｕｒｃｅ  ｉｎｄｅｘが対応付けられる。例えば、移動局装置５は、自装置宛てのＤＣＩを検出した第二のＰＤＣＣＨに用いられるｅＣＣＥの中で最も番号の小さいｅＣＣＥと対応するＡＣＫ／ＮＡＣＫ  ＰＵＣＣＨのリソースを用いて、その第二のＰＤＣＣＨによってリソースの割り当てが示されたＰＤＳＣＨのデータに対するＡＣＫ／ＮＡＣＫ（ＡＣＫ／ＮＡＣＫの情報を変調した信号）を送信する。基地局装置３は、ｅＣＣＥとＡＣＫ／ＮＡＣＫ  ＰＵＣＣＨのリソースとの対応付けを移動局装置５と同様に認識しており、移動局装置５に割り当てるＡＣＫ／ＮＡＣＫ  ＰＵＣＣＨのリソースを考慮して第二のＰＤＣＣＨに用いるｅＣＣＥを割り当てる。つまり、移動局装置５は、自装置宛てのＤＣＩを検出した第二のＰＤＣＣＨに用いられるｅＣＣＥに基づき、自装置に割り当てられたＡＣＫ／ＮＡＣＫ  ＰＵＣＣＨのリソースを認識する。
【０１５１】
図２５は、本発明の実施形態のＡＣＫ／ＮＡＣＫ  ＰＵＣＣＨのリソースと第二のＰＤＣＣＨ領域のｅＣＣＥとの対応付けを概念的に説明する図である。ここでは、基地局装置３が通信システム１内で３つの第二のＰＤＣＣＨ領域（第二のＰＤＣＣＨ領域１、第二のＰＤＣＣＨ領域２、第二のＰＤＣＣＨ領域３）を構成する場合について説明する。上りリンクシステム帯域のＡＣＫ／ＮＡＣＫ  ＰＵＣＣＨのリソースの中でＰＵＣＣＨ  ｒｅｓｏｕｒｃｅ  ｉｎｄｅｘが前半部分のリソースは、ＳＰＳ  ＡＣＫ／ＮＡＣＫ用に用いられる。ＳＰＳ  ＡＣＫ／ＮＡＣＫ用のＰＵＣＣＨのリソースの以降の番号のリソースが、Ｄｙｎａｍｉｃ  ＡＣＫ／ＮＡＣＫ用に用いられる。ＳＰＳ  ＡＣＫ／ＮＡＣＫ用のＰＵＣＣＨのリソースの次の番号のリソースから、第二のＰＤＣＣＨ領域１のｅＣＣＥと対応付けが開始される。第二のＰＤＣＣＨ領域１のｅＣＣＥと対応付けが開始されるＰＵＣＣＨ  ｒｅｓｏｕｒｃｅ  ｉｎｄｅｘは、上りリンクシステム帯域のＡＣＫ／ＮＡＣＫ  ＰＵＣＣＨのリソースの最初の番号のＰＵＣＣＨ  ｒｅｓｏｕｒｃｅ  ｉｎｄｅｘに対してＯｆｆｓｅｔ  Ｘ１を加算した値である。次に、第二のＰＤＣＣＨ領域１のｅＣＣＥ  ｉｎｄｅｘが最後の番号のｅＣＣＥと対応するＡＣＫ／ＮＡＣＫ  ＰＵＣＣＨのリソースの次の番号のリソースから、第二のＰＤＣＣＨ領域２のｅＣＣＥと対応付けが開始される。第二のＰＤＣＣＨ領域２のｅＣＣＥと対応付けが開始されるＰＵＣＣＨ  ｒｅｓｏｕｒｃｅ  ｉｎｄｅｘは、上りリンクシステム帯域のＡＣＫ／ＮＡＣＫ  ＰＵＣＣＨのリソースの最初の番号のＰＵＣＣＨ  ｒｅｓｏｕｒｃｅ  ｉｎｄｅｘに対してＯｆｆｓｅｔ  Ｘ２を加算した値である。次に、第二のＰＤＣＣＨ領域２のｅＣＣＥ  ｉｎｄｅｘが最後の番号のｅＣＣＥと対応するＡＣＫ／ＮＡＣＫ  ＰＵＣＣＨのリソースの次の番号のリソースから、第二のＰＤＣＣＨ領域３のｅＣＣＥと対応付けが開始される。第二のＰＤＣＣＨ領域３のｅＣＣＥと対応付けが開始されるＰＵＣＣＨ  ｒｅｓｏｕｒｃｅ  ｉｎｄｅｘは、上りリンクシステム帯域のＡＣＫ／ＮＡＣＫ  ＰＵＣＣＨのリソースの最初の番号のＰＵＣＣＨ  ｒｅｓｏｕｒｃｅ  ｉｎｄｅｘに対してＯｆｆｓｅｔ  Ｘ３を加算した値である。なお、Ｏｆｆｓｅｔ  Ｘ１、Ｏｆｆｓｅｔ  Ｘ２、Ｏｆｆｓｅｔ  Ｘ３については、Ｏｆｆｓｅｔ  Ｘ１＜Ｏｆｆｓｅｔ  Ｘ２＜Ｏｆｆｓｅｔ  Ｘ３の関係にある。
【０１５２】
基地局装置３は、移動局装置５に構成する第二のＰＤＣＣＨ領域毎にＰＵＣＣＨリソースオフセットを設定し、設定した第二のＰＤＣＣＨ領域毎のＰＵＣＣＨリソースオフセットを移動局装置５に通知する。移動局装置５は、自装置に構成された第二のＰＤＣＣＨ領域毎のＰＵＣＣＨリソースオフセットを基地局装置３から通知され、それぞれの第二のＰＤＣＣＨ領域のｅＣＣＥと対応するＡＣＫ／ＮＡＣＫ  ＰＵＣＣＨのリソースを認識する。例えば、第二のＰＤＣＣＨ領域１と第二のＰＤＣＣＨ領域２を構成された移動局装置５は、第二のＰＤＣＣＨ領域１に用いられるＰＵＣＣＨリソースオフセットとしてＯｆｆｓｅｔ  Ｘ１が通知され、第二のＰＤＣＣＨ領域２に用いられるＰＵＣＣＨリソースオフセットとしてＯｆｆｓｅｔ  Ｘ２が通知される。例えば、第二のＰＤＣＣＨ領域１と第二のＰＤＣＣＨ領域３を構成された移動局装置５は、第二のＰＤＣＣＨ領域１に用いられるＰＵＣＣＨリソースオフセットとしてＯｆｆｓｅｔ  Ｘ１が通知され、第二のＰＤＣＣＨ領域３に用いられるＰＵＣＣＨリソースオフセットとしてＯｆｆｓｅｔ  Ｘ３が通知される。なお、オフセットはＲＲＣシグナリングを用いて基地局装置３から移動局装置５に通知される。
【０１５３】
上記の様に、第二のＰＤＣＣＨ領域毎にＰＵＣＣＨリソースオフセットを設定して用いることにより、異なる第二のＰＤＣＣＨ領域のｅＣＣＥに対して異なるＡＣＫ／ＮＡＣＫ  ＰＵＣＣＨのリソースを用いることができ、異なる第二のＰＤＣＣＨ領域の第二のＰＤＣＣＨでＰＤＳＣＨが割り当てられた異なる移動局装置が同じＡＣＫ／ＮＡＣＫ  ＰＵＣＣＨのリソースを用いることを回避することができ、つまり上りリンクの信号が移動局装置５間で衝突することを回避することができる。また、基地局装置３は、複数の移動局装置５に対して構成する第二のＰＤＣＣＨ領域の数に応じて、上りリンクシステム帯域で用意するＤｙｎａｍｉｃ  ＡＣＫ／ＮＡＣＫ用のＡＣＫ／ＮＡＣＫ  ＰＵＣＣＨのリソースを適切に制御することができ、上りリンクシステム帯域のＡＣＫ／ＮＡＣＫ  ＰＵＣＣＨに関するオーバヘッドの増大を回避することができる。物理的に構成されるＤＬ  ＰＲＢ  ｐａｉｒに応じて、そのＤＬ  ＰＲＢ  ｐａｉｒにより構成される第二のＰＤＣＣＨ領域のｅＣＣＥが予め決められており、全ての可能性のあるＤＬ  ＰＲＢ  ｐａｉｒから構成される第二のＰＤＣＣＨ領域のｅＣＣＥに対して異なるＡＣＫ／ＮＡＣＫ  ＰＵＣＣＨのリソースを用意すると、ＡＣＫ／ＮＡＣＫの信号が移動局装置５間で衝突することは回避されるが、上りリンクシステム帯域のＡＣＫ／ＮＡＣＫ  ＰＵＣＣＨに関するオーバヘッドが著しく増大してしまう。本発明の実施形態は、上りリンクのオーバヘッドの増大を回避しつつ、ＡＣＫ／ＮＡＣＫの信号が移動局装置５間で衝突することを回避することができる。
【０１５４】
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部（第二の受信処理部）１０１、無線リソース制御部（第二の無線リソース制御部）１０３、制御部（第二の制御部）１０５、および、送信処理部（第二の送信処理部）１０７を含んで構成される。
【０１５５】
受信処理部１０１は、制御部１０５の指示に従い、受信アンテナ１０９により移動局装置５から受信した、ＰＵＣＣＨ、ＰＵＳＣＨの受信信号をＵＬ  ＲＳを用いて復調し、復号して、制御情報、情報データを抽出する。受信処理部１０１は、自装置が移動局装置５にＰＵＣＣＨのリソースを割り当てた上りリンクサブフレーム、ＵＬ  ＰＲＢに対してＵＣＩを抽出する処理を行なう。受信処理部１０１は、何れの上りリンクサブフレーム、何れのＵＬ  ＰＲＢに対してどのような処理を行なうかを制御部１０５から指示される。例えば、受信処理部１０１は、ＡＣＫ／ＮＡＣＫ用のＰＵＣＣＨ（ＰＵＣＣＨ  ｆｏｒｍａｔ  １ａ、ＰＵＣＣＨ  ｆｏｒｍａｔ  １ｂ）の信号に対して時間領域での符号系列の乗算と合成、周波数領域での符号系列の乗算と合成を行う検出処理を制御部１０５から指示される。また、受信処理部１０１は、ＰＵＣＣＨからＵＣＩを検出する処理に用いる周波数領域の符号系列および／または時間領域の符号系列を制御部１０５から指示される。受信処理部１０１は、抽出したＵＣＩを制御部１０５に出力し、情報データを上位層に出力する。受信処理部１０１の詳細については、後述する。
【０１５６】
また、受信処理部１０１は、制御部１０５の指示に従い、受信アンテナ１０９により移動局装置５から受信したＰＲＡＣＨの受信信号から、プリアンブル系列を検出（受信）する。また、受信処理部１０１は、プリアンブル系列の検出と共に、到来タイミング（受信タイミング）の推定も行う。受信処理部１０１は、自装置がＰＲＡＣＨのリソースを割り当てた上りリンクサブフレーム、ＵＬ  ＰＲＢ  ｐａｉｒに対してプリアンブル系列を検出する処理を行う。受信処理部１０１は、推定した到来タイミングに関する情報を制御部１０５に出力する。
【０１５７】
また、受信処理部１０１は、移動局装置５から受信したＳＲＳを用いて１個以上のＵＬ  ＰＲＢ（ＵＬ  ＰＲＢ  ｐａｉｒ）のチャネル品質を測定する。また、受信処理部１０１は、移動局装置５から受信したＳＲＳを用いて上りリンクの同期ずれを検出（算出、測定）する。受信処理部１０１は、何れの上りリンクサブフレーム、何れのＵＬ  ＰＲＢ（ＵＬ  ＰＲＢ  ｐａｉｒ）に対してどのような処理を行うかを制御部１０５から指示される。受信処理部１０１は、測定したチャネル品質、検出した上りリンクの同期ずれに関する情報を制御部１０５に出力する。受信処理部１０１の詳細については、後述する。
【０１５８】
無線リソース制御部１０３は、ＰＤＣＣＨ（第一のＰＤＣＣＨ、第二のＰＤＣＣＨ）に対するリソースの割り当て、ＰＵＣＣＨに対するリソースの割り当て、ＰＤＳＣＨに対するＤＬ  ＰＲＢ  ｐａｉｒの割り当て、ＰＵＳＣＨに対するＵＬ  ＰＲＢ  ｐａｉｒの割り当て、ＰＲＡＣＨに対するリソースの割り当て、ＳＲＳに対するリソースの割り当て、各種チャネルの変調方式・符号化率・送信電力制御値・プリコーディング処理に用いる位相回転量（重み付け値）、ＵＥ−ｓｐｅｃｉｆｉｃ  ＲＳのプリコーディング処理に用いる位相回転量（重み付け値）などを設定する。なお、無線リソース制御部１０３は、ＰＵＣＣＨに対する周波数領域の符号系列、時間領域の符号系列なども設定する。また、無線リソース制御部１０３は、複数の第二のＰＤＣＣＨ領域を設定し、それぞれの第二のＰＤＣＣＨ領域に用いるＤＬ  ＰＲＢ  ｐａｉｒを設定する。また、無線リソース制御部１０３は、それぞれの移動局装置５に対するそれぞれの第二のＰＤＣＣＨ領域のｅＣＣＥのリソースマッピングの方法を設定する。また、無線リソース制御部１０３は、第二のＰＤＣＣＨ領域のそれぞれにＰＵＣＣＨリソースオフセットを設定する。無線リソース制御部１０３で設定された情報の一部は送信処理部１０７を介して移動局装置５に通知され、例えば第二のＰＤＣＣＨ領域のＤＬ  ＰＲＢ  ｐａｉｒを示す情報、第二のＰＤＣＣＨ領域のｅＣＣＥのリソースマッピングの方法を示す情報、第二のＰＤＣＣＨ領域毎のＰＵＣＣＨリソースオフセットを示す情報が移動局装置５に通知される。
【０１５９】
また、無線リソース制御部１０３は、受信処理部１０１においてＰＵＣＣＨを用いて取得され、制御部１０５を介して入力されたＵＣＩに基づいてＰＤＳＣＨの無線リソースの割り当てなどを設定する。例えば、無線リソース制御部１０３は、ＰＵＣＣＨを用いて取得されたＡＣＫ／ＮＡＣＫが入力された場合、ＡＣＫ／ＮＡＣＫでＮＡＣＫが示されたＰＤＳＣＨのリソースの割り当てを移動局装置５に対して行なう。
【０１６０】
無線リソース制御部１０３は、各種制御信号を制御部１０５に出力する。例えば、制御信号は、第二のＰＤＣＣＨのリソースマッピングの方法を示す制御信号、ＡＣＫ／ＮＡＣＫ  ＰＵＣＣＨのリソースを示す制御信号、第二のＰＤＣＣＨのリソースの割り当てを示す制御信号、プリコーディング処理に用いる位相回転量を示す制御信号などである。
【０１６１】
制御部１０５は、無線リソース制御部１０３から入力された制御信号に基づき、ＰＤＳＣＨに対するＤＬ  ＰＲＢ  ｐａｉｒの割り当て、ＰＤＣＣＨに対するリソースの割り当て、ＰＤＳＣＨに対する変調方式の設定、ＰＤＳＣＨおよびＰＤＣＣＨに対する符号化率（第二のＰＤＣＣＨのｅＣＣＥ  ａｇｇｒｅｇａｔｉｏｎ  ｎｕｍｂｅｒ）の設定、第二のＰＤＣＣＨ領域のＵＥ−ｓｐｅｃｉｆｉｃ  ＲＳの設定、ｅＣＣＥの信号を送信するアンテナポートの設定、ＰＤＳＣＨおよびＰＤＣＣＨおよびＵＥ−ｓｐｅｃｉｆｉｃ  ＲＳに対するプリコーディング処理の設定などの制御を送信処理部１０７に対して行なう。また、制御部１０５は、無線リソース制御部１０３から入力された制御信号に基づき、ＰＤＣＣＨを用いて送信されるＤＣＩを生成し、送信処理部１０７に出力する。ＰＤＣＣＨを用いて送信されるＤＣＩは、下りリンクアサインメント、上りリンクグラントなどである。また、制御部１０５は、第二のＰＤＣＣＨ領域を示す情報、第二のＰＤＣＣＨ領域のｅＣＣＥのリソースマッピングの方法を示す情報、第二のＰＤＣＣＨ領域毎のＰＵＣＣＨリソースオフセットを示す情報、などを、送信処理部１０７を介して、移動局装置５にＰＤＳＣＨを用いて送信するように制御を行なう。
【０１６２】
制御部１０５は、無線リソース制御部１０３から入力された制御信号に基づき、ＰＵＳＣＨに対するＵＬ  ＰＲＢ  ｐａｉｒの割り当て、ＰＵＣＣＨに対するリソースの割り当て、ＰＵＳＣＨおよびＰＵＣＣＨの変調方式の設定、ＰＵＳＣＨの符号化率の設定、ＰＵＣＣＨに対する検出処理、ＰＵＣＣＨに対する符号系列の設定、ＰＲＡＣＨに対するリソースの割り当て、ＳＲＳに対するリソースの割り当てなどの制御を受信処理部１０１に対して行なう。例えば、制御部１０５は、第二のＰＤＣＣＨによりリソース割り当てが示されたＰＤＳＣＨに対するＡＣＫ／ＮＡＣＫを取得するために、受信処理を行なうＡＣＫ／ＮＡＣＫ  ＰＵＣＣＨリソースの設定を受信処理部１０１に対して行う。また、制御部１０５は、移動局装置５によってＰＵＣＣＨを用いて送信されたＵＣＩが受信処理部１０１より入力され、入力されたＵＣＩを無線リソース制御部１０３に出力する。
【０１６３】
また、制御部１０５は、受信処理部１０１より、検出されたプリアンブル系列の到来タイミングを示す情報、受信されたＳＲＳから検出された上りリンクの同期ずれを示す情報が入力され、上りリンクの送信タイミングの調整値（TA: Timing Advance、Timing Adjustment、Timing Alignment）（TA value）を算出する。算出された上りリンクの送信タイミングの調整値を示す情報（TA command）は、送信処理部１０７を介して移動局装置５に通知される。
【０１６４】
送信処理部１０７は、制御部１０５から入力された制御信号に基づき、ＰＤＣＣＨ、ＰＤＳＣＨを用いて送信する信号を生成して、送信アンテナ１１１を介して送信する。送信処理部１０７は、無線リソース制御部１０３から入力された、第二のＰＤＣＣＨ領域を示す情報、第二のＰＤＣＣＨ領域のｅＣＣＥのリソースマッピングの方法を示す情報、第二のＰＤＣＣＨ領域毎のＰＵＣＣＨリソースオフセットを示す情報、上位層から入力された情報データ等を、ＰＤＳＣＨを用いて移動局装置５に対して送信し、制御部１０５から入力されたＤＣＩをＰＤＣＣＨ（第一のＰＤＣＣＨ、第二のＰＤＣＣＨ）を用いて移動局装置５に対して送信する。また、送信処理部１０７は、ＣＲＳ、ＵＥ−ｓｐｅｃｉｆｉｃ  ＲＳ、ＣＳＩ−ＲＳを送信する。なお、説明の簡略化のため、以降、情報データは数種の制御に関する情報を含むものとする。送信処理部１０７の詳細については、後述する。
【０１６５】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の物理下りリンク共用チャネル処理部２０１−１〜２０１−Ｍ（以下、物理下りリンク共用チャネル処理部２０１−１〜２０１−Ｍを合わせて物理下りリンク共用チャネル処理部２０１と表す）、複数の物理下りリンク制御チャネル処理部２０３−１〜２０３−Ｍ（以下、物理下りリンク制御チャネル処理部２０３−１〜２０３−Ｍを合わせて物理下りリンク制御チャネル処理部２０３と表す）、下りリンクパイロットチャネル処理部２０５、プリコーディング処理部２３１、多重部２０７、ＩＦＦＴ（Inverse Fast Fourier Transform; 高速逆フーリエ変換）部２０９、ＧＩ（Guard Interval; ガードインターバル）挿入部２１１、Ｄ／Ａ（Digital/Analog converter; ディジタルアナログ変換）部２１３、送信ＲＦ（Radio Frequency; 無線周波数）部２１５、および、送信アンテナ１１１を含んで構成される。なお、各物理下りリンク共用チャネル処理部２０１、各物理下りリンク制御チャネル処理部２０３は、それぞれ、同様の構成および機能を有するので、その一つを代表して説明する。なお、説明の簡略化のため、送信アンテナ１１１は、複数の送信アンテナをまとめたものとする。
【０１６６】
また、この図に示すように、物理下りリンク共用チャネル処理部２０１は、それぞれ、ターボ符号部２１９、データ変調部２２１およびプリコーディング処理部２２９を備える。また、この図に示すように、物理下りリンク制御チャネル処理部２０３は、畳み込み符号部２２３、ＱＰＳＫ変調部２２５およびプリコーディング処理部２２７を備える。物理下りリンク共用チャネル処理部２０１は、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ（四位相偏移変調; Quadrature Phase Shift Keying）、１６ＱＡＭ（16値直交振幅変調; 16 Quadrature Amplitude Modulation）、６４ＱＡＭ（64値直交振幅変調; 64 Quadrature Amplitude Modulation）のような変調方式で変調し、変調シンボルの信号系列を生成する。データ変調部２２１は、生成した信号系列を、プリコーディング処理部２２９に出力する。プリコーディング処理部２２９は、データ変調部２２１から入力された信号に対してプリコーディング処理（ビームフォーミング処理）を行い、多重部２０７に出力する。ここで、プリコーディング処理は、移動局装置５が効率よく受信できるように（例えば、受信電力が最大になるように、干渉が最小になるように）、生成する信号に対して位相回転などを行うことが好ましい。なお、プリコーディング処理部２２９は、データ変調部２２１から入力された信号に対してプリコーディング処理を行わない場合は、データ変調部２２１から入力された信号をそのまま多重部２０７に出力する。
【０１６７】
物理下りリンク制御チャネル処理部２０３は、制御部１０５から入力されたＤＣＩを、ＯＦＤＭ方式で伝送するためのベースバンド信号処理を行なう。畳み込み符号部２２３は、制御部１０５から入力された符号化率に基づき、ＤＣＩの誤り耐性を高めるための畳み込み符号化を行なう。ここで、ＤＣＩはビット単位で制御される。なお、第二のＰＤＣＣＨで送信されるＤＣＩの符号化率は、設定されたｅＣＣＥ  ａｇｇｒｅｇａｔｉｏｎ  ｎｕｍｂｅｒと関連する。また、畳み込み符号部２２３は、制御部１０５から入力された符号化率に基づき、畳み込み符号化の処理を行なったビットに対して出力ビットの数を調整するためにレートマッチングも行なう。畳み込み符号部２２３は、符号化したＤＣＩをＱＰＳＫ変調部２２５に出力する。ＱＰＳＫ変調部２２５は、畳み込み符号部２２３が符号化したＤＣＩを、ＱＰＳＫ変調方式で変調し、変調した変調シンボルの信号系列を、プリコーディング処理部２２７に出力する。プリコーディング処理部２２７は、ＱＰＳＫ変調部２２５から入力された信号に対してプリコーディング処理を行い、多重部２０７に出力する。なお、プリコーディング処理部２２７は、ＱＰＳＫ変調部２２５から入力された信号に対してプリコーディング処理を行わず、多重部２０７に出力することができる。
【０１６８】
下りリンクパイロットチャネル処理部２０５は、移動局装置５において既知の信号である下りリンク参照信号（ＣＲＳ、ＵＥ−ｓｐｅｃｉｆｉｃ  ＲＳ、ＣＳＩ−ＲＳ）を生成し、プリコーディング処理部２３１に出力する。プリコーディング処理部２３１は、下りリンクパイロットチャネル処理部２０５より入力されたＣＲＳ、ＣＳＩ−ＲＳに対してはプリコーディング処理を行わず、多重部２０７に出力する。プリコーディング処理部２３１は、下りリンクパイロットチャネル処理部２０５より入力されたＵＥ−ｓｐｅｃｉｆｉｃ  ＲＳに対してプリコーディング処理を行ない、多重部２０７に出力する。例えば、プリコーディング処理部２３１は、移動局装置５に適したビームフォーミング処理のプリコーディング処理をＵＥ−ｓｐｅｃｉｆｉｃ  ＲＳに対して行なう。例えば、プリコーディング処理部２３１は、ランダムなビームフォーミング処理のプリコーディング処理をＵＥ−ｓｐｅｃｉｆｉｃ  ＲＳに対して行なう。プリコーディング処理部２３１は、プリコーディング処理部２２９においてＰＤＳＣＨに行われる処理、および／またはプリコーディング処理部２２７において第二のＰＤＣＣＨに行なわれる処理と同様の処理をＵＥ−ｓｐｅｃｉｆｉｃ  ＲＳに対して行なう。より詳細には、プリコーディング処理部２３１は、ｅＣＣＥの信号に対してプリコーディング処理を実行し、そのｅＣＣＥとアンテナポートが対応したＵＥ−ｓｐｅｃｉｆｉｃ  ＲＳに対しても同様のプリコーディング処理を実行する。そのため、移動局装置５においてプリコーディング処理が適用された第二のＰＤＣＣＨの信号を復調するに際し、ＵＥ−ｓｐｅｃｉｆｉｃ  ＲＳは、下りリンクにおける伝搬路（伝送路）の変動とプレコーディング処理部２２７による位相回転があわさった等化チャネルの推定に用いられることができる。すなわち、基地局装置３は、移動局装置５に対して、プレコーディング処理部２２７によるプレコーディング処理の情報（位相回転量）を通知する必要が無く、移動局装置５はプレコーディング処理された信号を復調することができる。
【０１６９】
多重部２０７は、下りリンクパイロットチャネル処理部２０５から入力された信号と、物理下りリンク共用チャネル処理部２０１各々から入力された信号と、物理下りリンク制御チャネル処理部２０３各々から入力された信号とを、制御部１０５からの指示に従って、下りリンクサブフレームに多重する。無線リソース制御部１０３によって設定されたＰＤＳＣＨに対するＤＬ  ＰＲＢ  ｐａｉｒの割り当て、ＰＤＣＣＨ（第一のＰＤＣＣＨ、第二のＰＤＣＣＨ）に対するリソースの割り当て、第二のＰＤＣＣＨのｅＣＣＥのリソースマッピングの方法に関する制御信号が制御部１０５に入力され、その制御信号に基づき、制御部１０５は多重部２０７の処理を制御する。例えば、多重部２０７は、無線リソース制御部１０３によって設定されたｅＣＣＥ  ａｇｇｒｅｇａｔｉｏｎ  ｎｕｍｂｅｒで第二のＰＤＣＣＨの信号を下りリンクのリソースに多重する。多重部２０７は、多重化した信号を、ＩＦＦＴ部２０９に出力する。
【０１７０】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するＯＦＤＭシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【０１７１】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital converter; アナログディジタル変換）部３０３、シンボルタイミング検出部３０９、ＧＩ除去部３１１、ＦＦＴ部３１３、サブキャリアデマッピング部３１５、伝搬路推定部３１７、ＰＵＳＣＨ用の伝搬路等化部３１９、ＰＵＣＣＨ用の伝搬路等化部３２１、ＩＤＦＴ部３２３、データ復調部３２５、ターボ復号部３２７、物理上りリンク制御チャネル検出部３２９、プリアンブル検出部３３１、およびＳＲＳ処理部３３３を含んで構成される。
【０１７２】
受信ＲＦ部３０１は、受信アンテナ１０９で受信された信号を、適切に増幅し、中間周波数に変換し（ダウンコンバート）、不要な周波数成分を除去し、信号レベルが適切に維持されるように増幅レベルを制御し、受信された信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号をシンボルタイミング検出部３０９およびＧＩ除去部３１１に出力する。
【０１７３】
シンボルタイミング検出部３０９は、Ａ／Ｄ部３０３より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、Ａ／Ｄ部３０３より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部のポイント数と等しい。
【０１７４】
サブキャリアデマッピング部３１５は、制御部１０５から入力された制御信号に基づき、ＦＦＴ部３１３が復調した信号を、ＤＭ  ＲＳと、ＳＲＳと、ＰＵＳＣＨの信号と、ＰＵＣＣＨの信号とに分離する。サブキャリアデマッピング部３１５は、分離したＤＭ  ＲＳを伝搬路推定部３１７に出力し、分離したＳＲＳをＳＲＳ処理部３３３に出力し、分離したＰＵＳＣＨの信号をＰＵＳＣＨ用の伝搬路等化部３１９に出力し、分離したＰＵＣＣＨの信号をＰＵＣＣＨ用の伝搬路等化部３２１に出力する。
【０１７５】
伝搬路推定部３１７は、サブキャリアデマッピング部３１５が分離したＤＭ  ＲＳと既知の信号を用いて伝搬路の変動を推定する。伝搬路推定部３１７は、推定した伝搬路推定値を、ＰＵＳＣＨ用の伝搬路等化部３１９と、ＰＵＣＣＨ用の伝搬路等化部３２１に出力する。ＰＵＳＣＨ用の伝搬路等化部３１９は、サブキャリアデマッピング部３１５が分離したＰＵＳＣＨの信号の振幅および位相を、伝搬路推定部３１７から入力された伝搬路推定値に基づいて等化する。ここで、等化とは、信号が無線通信中に受けた伝搬路の変動を元に戻す処理のことを表す。ＰＵＳＣＨ用の伝搬路等化部３１９は、調整した信号をＩＤＦＴ部３２３に出力する。
【０１７６】
ＩＤＦＴ部３２３は、ＰＵＳＣＨ用の伝搬路等化部３１９から入力された信号を離散逆フーリエ変換し、データ復調部３２５に出力する。データ復調部３２５は、ＩＤＦＴ部３２３が変換したＰＵＳＣＨの信号の復調を行ない、復調したＰＵＳＣＨの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調されたＰＵＳＣＨの信号から、情報データを復号する。符号化率は、制御部１０５より入力される。
【０１７７】
ＰＵＣＣＨ用の伝搬路等化部３２１は、サブキャリアデマッピング部３１５で分離されたＰＵＣＣＨの信号の振幅および位相を、伝搬路推定部３１７から入力された伝搬路推定値に基づいて等化する。ＰＵＣＣＨ用の伝搬路等化部３２１は、等化した信号を物理上りリンク制御チャネル検出部３２９に出力する。
【０１７８】
物理上りリンク制御チャネル検出部３２９は、ＰＵＣＣＨ用の伝搬路等化部３２１から入力された信号を復調、復号し、ＵＣＩを検出する。物理上りリンク制御チャネル検出部３２９は、周波数領域、および／または時間領域で符号多重された信号を分離する処理を行なう。物理上りリンク制御チャネル検出部３２９は、送信側で用いられた符号系列を用いて周波数領域、および／または時間領域で符号多重されたＰＵＣＣＨの信号からＡＣＫ／ＮＡＣＫ、ＳＲ、ＣＱＩを検出するための処理を行う。具体的には、物理上りリンク制御チャネル検出部３２９は、周波数領域での符号系列を用いた検出処理、つまり周波数領域で符号多重された信号を分離する処理として、ＰＵＣＣＨのサブキャリア毎の信号に対して符号系列の各符号を乗算した後、各符号を乗算した信号を合成する。具体的には、物理上りリンク制御チャネル検出部３２９は、時間領域での符号系列を用いた検出処理、つまり時間領域での符号多重された信号を分離する処理として、ＰＵＣＣＨのＳＣ−ＦＤＭＡシンボル毎の信号に対して符号系列の各符号を乗算した後、各符号を乗算した信号を合成する。なお、物理上りリンク制御チャネル検出部３２９は、制御部１０５からの制御信号に基づき、ＰＵＣＣＨの信号に対する検出処理を設定する。
【０１７９】
ＳＲＳ処理部３３３は、サブキャリアデマッピング部３１５から入力されたＳＲＳを用いて、チャネル品質を測定し、ＵＬ  ＰＲＢ（ＵＬ  ＰＲＢ  ｐａｉｒ）のチャネル品質の測定結果を制御部１０５に出力する。ＳＲＳ処理部３３３は、どの上りリンクサブフレーム、どのＵＬ  ＰＲＢ（ＵＬ  ＰＲＢ  ｐａｉｒ）の信号に対して移動局装置５のチャネル品質の測定を行うかが制御部１０５より指示される。また、ＳＲＳ処理部３３３は、サブキャリアデマッピング部３１５から入力されたＳＲＳを用いて、上りリンクの同期ずれを検出し、上りリンクの同期ずれを示す情報（同期ずれ情報）を制御部１０５に出力する。なお、ＳＲＳ処理部３３３は、時間領域の受信信号から上りリンクの同期ずれを検出する処理を行うようにしてもよい。具体的な処理は、後述するプリアンブル検出部３３１で行われる処理と同等の処理を行うようにしてもよい。
【０１８０】
プリアンブル検出部３３１は、Ａ／Ｄ部３０３より入力された信号に基づいて、ＰＲＡＣＨに相当する受信信号に対して送信されたプリアンブルを検出（受信）する処理を行う。具体的には、プリアンブル検出部３３１は、ガードタイム内の様々なタイミングの受信信号に対して、送信される可能性のある、各プリアンブル系列を用いて生成したレプリカの信号との相関処理を行う。例えば、プリアンブル検出部３３１は、相関値が予め設定された閾値よりも高かった場合、相関処理に用いられたレプリカの信号の生成に用いられたプリアンブル系列と同一の信号が、移動局装置５より送信されたと判断する。そして、プリアンブル検出部３３１は、最も相関値の高いタイミングをプリアンブル系列の到来タイミングと判断する。そして、プリアンブル検出部３３１は、検出したプリアンブル系列を示す情報と、到来タイミングを示す情報を少なくとも含むプリアンブル検出情報を生成し、制御部１０５に出力する。
【０１８１】
制御部１０５は、基地局装置３が、移動局装置５にＰＤＣＣＨを用いて送信した制御情報（ＤＣＩ）、及びＰＤＳＣＨを用いて送信した制御情報（ＲＲＣシグナリング）に基づいて、サブキャリアデマッピング部３１５、データ復調部３２５、ターボ復号部３２７、伝搬路推定部３１７、および物理上りリンク制御チャネル検出部３２９の制御を行なう。また、制御部１０５は、基地局装置３が移動局装置５に送信した制御情報に基づき、各移動局装置５が送信した（送信した可能性のある）ＰＲＡＣＨ、ＰＵＳＣＨ、ＰＵＣＣＨ、ＳＲＳがどのリソース（上りリンクサブフレーム、ＵＬ  ＰＲＢ（ＵＬ  ＰＲＢ  ｐａｉｒ）、周波数領域の符号系列、時間領域の符号系列）により構成されているかを把握している。
【０１８２】
＜移動局装置５の全体構成＞
以下、図４、図５、図６を用いて、本実施形態に係る移動局装置５の構成について説明する。図４は、本発明の実施形態に係る移動局装置５の構成を示す概略ブロック図である。この図に示すように、移動局装置５は、受信処理部（第一の受信処理部）４０１、無線リソース制御部（第一の無線リソース制御部）４０３、制御部（第一の制御部）４０５、送信処理部（第一の送信処理部）４０７を含んで構成される。
【０１８３】
受信処理部４０１は、基地局装置３から信号を受信し、制御部４０５の指示に従い、受信信号を復調、復号する。受信処理部４０１は、自装置宛てのＰＤＣＣＨ（第一のＰＤＣＣＨ、第二のＰＤＣＣＨ）の信号を検出した場合は、ＰＤＣＣＨの信号を復号して取得したＤＣＩを制御部４０５に出力する。例えば、受信処理部４０１は、基地局装置３から指定された第二のＰＤＣＣＨ領域内のＳｅａｒｃｈ  Ｓｐａｃｅにおいて自装置宛ての第二のＰＤＣＣＨを検出する処理を行う。例えば、受信処理部４０１は、ｅＣＣＥ  ａｇｇｒｅｇａｔｉｏｎ  ｎｕｍｂｅｒの候補に対してＳｅａｒｃｈ  ｓｐａｃｅを設定して、自装置宛ての第二のＰＤＣＣＨを検出する処理を行う。例えば、受信処理部４０１は、基地局装置３から指定された第二のＰＤＣＣＨ領域内のＵＥ−ｓｐｅｃｉｆｉｃ  ＲＳを用いて伝搬路の推定を行い、第二のＰＤＣＣＨの信号の復調を行ない、自装置宛ての制御情報を含む信号を検出する処理を行う。例えば、受信処理部４０１は、検出処理を行なうｅＰＤＣＣＨ  ｃａｎｄｉｄａｔｅを構成するｅＣＣＥ、またはｅＲＥＧと対応するアンテナポートのＵＥ−ｓｐｅｃｉｆｉｃ  ＲＳを用いて第二のＰＤＣＣＨの信号の復調を行う。
【０１８４】
また、受信処理部４０１は、ＰＤＣＣＨに含まれるＤＣＩを制御部４０５に出力した後の制御部４０５の指示に基づき、自装置宛てのＰＤＳＣＨを復号して得た情報データを、制御部４０５を介して上位層に出力する。ＰＤＣＣＨに含まれるＤＣＩの中で下りリンクアサインメントがＰＤＳＣＨのリソースの割り当てを示す情報を含む。また、受信処理部４０１は、ＰＤＳＣＨを復号して得た基地局装置３の無線リソース制御部１０３で生成された制御情報を制御部４０５に出力し、また制御部４０５を介して自装置の無線リソース制御部４０３に出力する。例えば、基地局装置３の無線リソース制御部１０３で生成された制御情報は、第二のＰＤＣＣＨ領域のＤＬ  ＰＲＢ  ｐａｉｒを示す情報、第二のＰＤＣＣＨ領域のｅＣＣＥのリソースマッピングの方法を示す情報、第二のＰＤＣＣＨ領域毎のＰＵＣＣＨリソースオフセットを示す情報を含む。
【０１８５】
また、受信処理部４０１は、第二のＰＤＣＣＨを検出した、第二のＰＤＣＣＨ領域を示す情報、検出した第二のＰＤＣＣＨを構成するｅＣＣＥを示す情報を制御部４０５に出力する。
【０１８６】
また、受信処理部４０１は、ＰＤＳＣＨに含まれる巡回冗長検査（Cyclic Redundancy Check: CRC）符号を制御部４０５に出力する。基地局装置３の説明では省略したが、基地局装置３の送信処理部１０７は情報データからＣＲＣ符号を生成し、情報データとＣＲＣ符号をＰＤＳＣＨで送信する。ＣＲＣ符号は、ＰＤＳＣＨに含まれるデータが誤っているか、誤っていないかを判断するために使われる。例えば、移動局装置５において予め決められた生成多項式を用いてデータから生成された情報と、基地局装置３において生成され、ＰＤＳＣＨで送信されたＣＲＣ符号とが同じ場合はデータが誤っていないと判断され、移動局装置５において予め決められた生成多項式を用いてデータから生成された情報と、基地局装置３において生成され、ＰＤＳＣＨで送信されたＣＲＣ符号とが異なる場合はデータが誤っていると判断される。
【０１８７】
また、受信処理部４０１は、下りリンクの受信品質（RSRP: Reference Signal Received Power; 参照信号受信電力）を測定し、測定結果を制御部４０５に出力する。受信処理部４０１は、制御部４０５からの指示に基づき、ＣＲＳ、またはＣＳＩ−ＲＳからＲＳＲＰを測定（計算）する。受信処理部４０１の詳細については後述する。
【０１８８】
制御部４０５は、ＰＤＳＣＨを用いて基地局装置３から送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、制御部４０５は、無線リソース制御部４０３からの指示に基づき、受信処理部４０１、送信処理部４０７を制御する。例えば、制御部４０５は、無線リソース制御部４０３から指示された第二のＰＤＣＣＨ領域のＤＬ  ＰＲＢ  ｐａｉｒ内の信号に対して第二のＰＤＣＣＨを検出する処理を行なうように受信処理部４０１を制御する。例えば、制御部４０５は、無線リソース制御部４０３から指示された第二のＰＤＣＣＨ領域のｅＣＣＥのリソースマッピングの方法を示す情報に基づき、第二のＰＤＣＣＨ領域のｅＣＣＥのリソースのデマッピングを行なうように受信処理部４０１を制御する。ここで、第二のＰＤＣＣＨ領域のｅＣＣＥのリソースのデマッピングとは、例えば、図２０、図２１に示すように、第二のＰＤＣＣＨ領域内の信号から検出処理を行う第二のＰＤＣＣＨ候補を構成（形成、構築、作成）する処理のことを意味する。また、制御部４０５は、第二のＰＤＣＣＨ領域内で第二のＰＤＣＣＨを検出する処理を実行する領域を受信処理部４０１に対して制御する。具体的には、制御部４０５は、それぞれの第二のＰＤＣＣＨ領域に対して、Ｓｅａｒｃｈ  ｓｐａｃｅを設定するｅＣＣＥ  ａｇｇｒｅｇａｔｉｏｎ  ｎｕｍｂｅｒ、第二のＰＤＣＣＨ領域内で第二のＰＤＣＣＨを検出する処理を実行する第二のＰＤＣＣＨ候補を、それぞれのｅＣＣＥ  ａｇｇｒｅｇａｔｉｏｎ  ｎｕｍｂｅｒ毎に受信処理部４０１に指示（設定）する。また、制御部４０５は、各ｅＣＣＥの信号の復調に対応するアンテナポートのＵＥ−ｓｐｅｃｉｆｉｃ  ＲＳを用いるように受信処理部４０１を制御する。
【０１８９】
制御部４０５は、無線リソース制御部４０３からの指示に基づき、第二のＰＤＣＣＨ領域のそれぞれに対してＰＵＣＣＨリソースオフセットを設定する。制御部４０５は、受信処理部４０１から入力された、第二のＰＤＣＣＨが検出された第二のＰＤＣＣＨ領域を示す情報、ｅＣＣＥを示す情報（ｅＣＣＥ  ｉｎｄｅｘ）と、設定された第二のＰＤＣＣＨ領域毎のＰＵＣＣＨリソースオフセットに基づき、第二のＰＤＣＣＨによりリソース割り当てがなされたＰＤＳＣＨに対するＡＣＫ／ＮＡＣＫを送信するためのＡＣＫ／ＮＡＣＫ  ＰＵＣＣＨのリソース（ＰＵＣＣＨ  ｒｅｓｏｕｒｃｅ  ｉｎｄｅｘ）を判断および選択し、送信処理部４０７を制御する。
【０１９０】
また、制御部４０５は、ＰＤＣＣＨを用いて基地局装置３から送信され、受信処理部４０１より入力されたＤＣＩに基づいて、受信処理部４０１、送信処理部４０７を制御する。具体的には、制御部４０５は検出された下りリンクアサインメントに主に基づき受信処理部４０１を制御し、検出された上りリンクグラントに主に基づき送信処理部４０７を制御する。また、制御部４０５は下りリンクアサインメントに含まれるＰＵＣＣＨの送信電力制御コマンドを示す制御情報に基づき送信処理部４０７を制御する。制御部４０５は、受信処理部４０１より入力されたデータから予め決められた生成多項式を用いて生成した情報と、受信処理部４０１より入力されたＣＲＣ符号とを比較し、データが誤っているか否かを判断し、ＡＣＫ／ＮＡＣＫを生成する。生成されたＡＣＫ／ＮＡＣＫは、送信処理部４０７から送信される。また、制御部４０５は、無線リソース制御部４０３からの指示に基づき、ＳＲ、ＣＱＩを生成する。また、制御部４０５は、基地局装置３から通知された上りリンクの送信タイミングの調整値等に基づいて、送信処理部４０７の信号の送信タイミングを制御する。また、制御部４０５は、受信処理部４０１より入力された下りリンクの受信品質（ＲＳＲＰ）を示す情報を送信するように、送信処理部４０７を制御する。
【０１９１】
無線リソース制御部４０３は、基地局装置３の無線リソース制御部１０３で生成され、基地局装置３より通知された制御情報を記憶して保持すると共に、制御部４０５を介して受信処理部４０１、送信処理部４０７の制御を行なう。つまり、無線リソース制御部４０３は、各種パラメータなどを保持するメモリの機能を備える。例えば、無線リソース制御部４０３は、第二のＰＤＣＣＨ領域のＤＬ  ＰＲＢ  ｐａｉｒに関する情報、第二のＰＤＣＣＨ領域のｅＣＣＥのリソースマッピングの方法に関する情報、第二のＰＤＣＣＨ領域毎のＰＵＣＣＨリソースオフセットに関する情報を保持し、各種制御信号を制御部４０５に出力する。無線リソース制御部４０３は、ＰＵＳＣＨ、ＰＵＣＣＨ、ＳＲＳ、ＰＲＡＣＨの送信電力に関連するパラメータを保持し、基地局装置３より通知されたパラメータを用いるように制御信号を制御部４０５に出力する。
【０１９２】
無線リソース制御部４０３は、ＰＵＣＣＨ、ＰＵＳＣＨ、ＳＲＳ、ＰＲＡＣＨなどの送信電力に関連するパラメータの値を設定する。無線リソース制御部４０３において設定された送信電力の値は、制御部４０５により送信処理部４０７に対して出力される。なお、ＰＵＣＣＨと同じＵＬ  ＰＲＢ内のリソースより構成されるＤＭ  ＲＳは、ＰＵＣＣＨと同じ送信電力制御が行なわれる。なお、ＰＵＳＣＨと同じＵＬ  ＰＲＢのリソースより構成されるＤＭ  ＲＳは、ＰＵＳＣＨと同じ送信電力制御が行なわれる。無線リソース制御部４０３は、ＰＵＳＣＨに対して、ＰＵＳＣＨに割り当てられるＵＬ  ＰＲＢ  ｐａｉｒの数に基づくパラメータ、予め基地局装置３より通知されたセル固有、および移動局装置固有のパラメータ、ＰＵＳＣＨに用いられる変調方式に基づくパラメータ、推定されたパスロスの値に基づくパラメータ、基地局装置３より通知された送信電力制御コマンドに基づくパラメータなどの値を設定する。無線リソース制御部４０３は、ＰＵＣＣＨに対して、ＰＵＣＣＨの信号構成に基づくパラメータ、予め基地局装置３より通知されたセル固有、および移動局装置固有のパラメータ、推定されたパスロスの値に基づくパラメータ、通知された送信電力制御コマンドに基づくパラメータなどの値を設定する。
【０１９３】
なお、送信電力に関連するパラメータとして、セル固有、および移動局装置固有のパラメータはＰＤＳＣＨを用いて基地局装置３より通知され、送信電力制御コマンドはＰＤＣＣＨを用いて基地局装置３より通知される。ＰＵＳＣＨに対する送信電力制御コマンドは上りリンクグラントに含まれ、ＰＵＣＣＨに対する送信電力制御コマンドは下りリンクアサインメントに含まれる。なお、基地局装置３より通知された、送信電力に関連する各種パラメータは無線リソース制御部４０３において適宜記憶され、記憶された値が制御部４０５に入力される。
【０１９４】
送信処理部４０７は、制御部４０５の指示に従い、情報データ、ＵＣＩを符号化および変調した信号をＰＵＳＣＨ、ＰＵＣＣＨのリソースを用いて、基地局装置３に送信アンテナ４１１を介して送信する。また、送信処理部４０７は、制御部４０５の指示に従い、ＰＵＳＣＨ、ＰＵＣＣＨ、ＳＲＳ、ＤＭ  ＲＳ、ＰＲＡＣＨの送信電力を設定する。送信処理部４０７の詳細については後述する。
【０１９５】
＜移動局装置５の受信処理部４０１＞
以下、移動局装置５の受信処理部４０１の詳細について説明する。図５は、本発明の実施形態に係る移動局装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、ＰＤＳＣＨ用の伝搬路補償部５１５、物理下りリンク共用チャネル復号部５１７、ＰＤＣＣＨ用の伝搬路補償部５１９、物理下りリンク制御チャネル復号部５２１、下りリンク受信品質測定部５３１、およびＰＤＣＣＨデマッピング部５３３を含んで構成される。また、この図に示すように、物理下りリンク共用チャネル復号部５１７は、データ復調部５２３、および、ターボ復号部５２５、を備える。また、この図に示すように、物理下りリンク制御チャネル復号部５２１は、ＱＰＳＫ復調部５２７、および、ビタビデコーダ部５２９、を備える。
【０１９６】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【０１９７】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１９８】
多重分離部５１１は、制御部４０５から入力された制御信号に基づき、ＦＦＴ部５０９が復調した信号を、ＰＤＣＣＨ（第一のＰＤＣＣＨ、第二のＰＤＣＣＨ）の信号と、ＰＤＳＣＨの信号とに分離する。多重分離部５１１は、分離したＰＤＳＣＨの信号を、ＰＤＳＣＨ用の伝搬路補償部５１５に出力し、また、分離したＰＤＣＣＨの信号を、ＰＤＣＣＨ用の伝搬路補償部５１９に出力する。例えば、多重分離部５１１は、自装置に指定された第二のＰＤＣＣＨ領域の第二のＰＤＣＣＨの信号をＰＤＣＣＨ用の伝搬路補償部５１９に出力する。また、多重分離部５１１は、下りリンク参照信号が配置される下りリンクリソースエレメントを分離し、下りリンク参照信号（ＣＲＳ、ＵＥ−ｓｐｅｃｉｆｉｃ  ＲＳ）を、伝搬路推定部５１３に出力する。例えば、多重分離部５１１は、自装置に指定された第二のＰＤＣＣＨ領域のＵＥ−ｓｐｅｃｉｆｉｃ  ＲＳを伝搬路推定部５１３に出力する。また、多重分離部５１１は、下りリンク参照信号（ＣＲＳ、ＣＳＩ‐ＲＳ）を下りリンク受信品質測定部５３１に出力する。
【０１９９】
伝搬路推定部５１３は、多重分離部５１１が分離した下りリンク参照信号と既知の信号とを用いて伝搬路の変動を推定し、伝搬路の変動を補償するように、振幅および位相を調整するための伝搬路補償値を、ＰＤＳＣＨ用の伝搬路補償部５１５と、ＰＤＣＣＨ用の伝搬路補償部５１９に出力する。伝搬路推定部５１３は、ＣＲＳとＵＥ−ｓｐｅｃｉｆｉｃ  ＲＳをそれぞれ用いて独立に伝搬路の変動を推定し、伝搬路補償値を出力する。例えば、伝搬路推定部５１３は、自装置に指定された第二のＰＤＣＣＨ領域内の複数のＤＬ  ＰＲＢ  ｐａｉｒに配置されたＵＥ−ｓｐｅｃｉｆｉｃ  ＲＳを用いて推定した伝搬路推定値から伝搬路補償値を生成し、ＰＤＣＣＨ用の伝搬路補償部５１９に出力する。なお、伝搬路推定部５１３は、制御部４０５から指定された１つ以上のアンテナポート毎のＵＥ−ｓｐｅｃｉｆｉｃ  ＲＳを用いて、伝搬路推定および伝搬路補償値の生成を行う。例えば、伝搬路推定部５１３は、自装置に割り当てられ、ＰＤＳＣＨに割り当てられた複数のＤＬ  ＰＲＢ  ｐａｉｒに配置されたＵＥ−ｓｐｅｃｉｆｉｃ  ＲＳを用いて推定した伝搬路推定値から伝搬路補償値を生成し、ＰＤＳＣＨ用の伝搬路補償部５１５に出力する。例えば、伝搬路推定部５１３は、ＣＲＳを用いて推定した伝搬路推定値から伝搬路補償値を生成し、ＰＤＣＣＨ用の伝搬路補償部５１９に出力する。例えば、伝搬路推定部５１３は、ＣＲＳを用いて推定した伝搬路推定値から伝搬路補償値を生成し、ＰＤＳＣＨ用の伝搬路補償部５１５に出力する。
【０２００】
ＰＤＳＣＨ用の伝搬路補償部５１５は、多重分離部５１１が分離したＰＤＳＣＨの信号の振幅および位相を、伝搬路推定部５１３から入力された伝搬路補償値に従って調整する。例えば、ＰＤＳＣＨ用の伝搬路補償部５１５は、あるＰＤＳＣＨの信号に対して伝搬路推定部５１３でＵＥ−ｓｐｅｃｉｆｉｃ  ＲＳに基づいて生成された伝搬路補償値に従って調整し、異なるＰＤＳＣＨの信号に対して伝搬路推定部５１３でＣＲＳに基づいて生成された伝搬路補償値に従って調整する。ＰＤＳＣＨ用の伝搬路補償部５１５は、伝搬路を調整した信号を物理下りリンク共用チャネル復号部５１７のデータ復調部５２３に出力する。
【０２０１】
物理下りリンク共用チャネル復号部５１７は、制御部４０５からの指示に基づき、ＰＤＳＣＨの復調、復号を行ない、情報データを検出する。データ復調部５２３は、伝搬路補償部５１５から入力されたＰＤＳＣＨの信号の復調を行ない、復調したＰＤＳＣＨの信号をターボ復号部５２５に出力する。この復調は、基地局装置３のデータ変調部２２１で用いられる変調方式に対応した復調である。ターボ復号部５２５は、データ復調部５２３から入力され、復調されたＰＤＳＣＨの信号から情報データを復号し、制御部４０５を介して上位層に出力する。なお、ＰＤＳＣＨを用いて送信された、基地局装置３の無線リソース制御部１０３で生成された制御情報等も制御部４０５に出力され、制御部４０５を介して無線リソース制御部４０３にも出力される。なお、ＰＤＳＣＨに含まれるＣＲＣ符号も制御部４０５に出力される。
【０２０２】
ＰＤＣＣＨ用の伝搬路補償部５１９は、多重分離部５１１が分離したＰＤＣＣＨの信号の振幅および位相を、伝搬路推定部５１３から入力された伝搬路補償値に従って調整する。例えば、ＰＤＣＣＨ用の伝搬路補償部５１９は、第二のＰＤＣＣＨの信号に対して伝搬路推定部５１３でＵＥ−ｓｐｅｃｉｆｉｃ  ＲＳに基づいて生成された伝搬路補償値に従って調整し、第一のＰＤＣＣＨの信号に対して伝搬路推定部５１３でＣＲＳに基づいて生成された伝搬路補償値に従って調整する。例えば、ＰＤＣＣＨ用の伝搬路補償部５１９は、ｅＣＣＥの信号を、そのｅＣＣＥと対応するアンテナポートのＵＥ−ｓｐｅｃｉｆｉｃ  ＲＳに基づいて生成された伝搬路補償値に従って調整する。例えば、ＰＤＣＣＨ用の伝搬路補償部５１９は、ｅＣＣＥの信号を、そのｅＣＣＥを構成するｅＲＥＧと対応するアンテナポートのＵＥ−ｓｐｅｃｉｆｉｃ  ＲＳに基づいて生成された伝搬路補償値に従って調整する。ＰＤＣＣＨ用の伝搬路補償部５１９は、調整した信号をＰＤＣＣＨデマッピング部５３３に出力する。
【０２０３】
ＰＤＣＣＨデマッピング部５３３は、ＰＤＣＣＨ用の伝搬路補償部５１９より入力された信号に対して、第一のＰＤＣＣＨ用のデマッピング、または第二のＰＤＣＣＨ用のデマッピングを行う。更に、ＰＤＣＣＨデマッピング部５３３は、ＰＤＣＣＨ用の伝搬路補償部５１９より入力された第二のＰＤＣＣＨの信号に対して、Ｌｏｃａｌｉｚｅｄ  ｍａｐｐｉｎｇに対するデマッピング、またはＤｉｓｔｒｉｂｕｔｅｄ  ｍａｐｐｉｎｇに対するデマッピングを行う。ＰＤＣＣＨデマッピング部５３３は、入力された第一のＰＤＣＣＨの信号に対して、物理下りリンク制御チャネル復号部５２１において、図１６に示すＣＣＥ単位で処理が行われるように、図１７を用いて説明したように、入力された第一のＰＤＣＣＨの信号をＣＣＥ単位の信号に変換する。ＰＤＣＣＨデマッピング部５３３は、入力された第二のＰＤＣＣＨの信号に対して、物理下りリンク制御チャネル復号部５２１において、図１９に示すｅＣＣＥ単位で処理が行われるように、入力された第二のＰＤＣＣＨの信号をｅＣＣＥ単位の信号に変換する。ＰＤＣＣＨデマッピング部５３３は、入力された、Ｌｏｃａｌｉｚｅｄ  ｍａｐｐｉｎｇが適用される第二のＰＤＣＣＨ領域の第二のＰＤＣＣＨの信号を、図２０を用いて説明したように、ｅＣＣＥ単位の信号に変換する。ＰＤＣＣＨデマッピング部５３３は、入力された、Ｄｉｓｔｒｉｂｕｔｅｄ  ｍａｐｐｉｎｇが適用される第二のＰＤＣＣＨ領域の第二のＰＤＣＣＨの信号を、図２１を用いて説明したように、ｅＣＣＥ単位の信号に変換する。ＰＤＣＣＨデマッピング部５３３は、変換した信号を物理下りリンク制御チャネル復号部５２１のＱＰＳＫ復調部５２７に出力する。
【０２０４】
物理下りリンク制御チャネル復号部５２１は、以下のように、ＰＤＣＣＨ用の伝搬路補償部５１９から入力された信号を復調、復号し、制御データを検出する。ＱＰＳＫ復調部５２７は、ＰＤＣＣＨの信号に対してＱＰＳＫ復調を行ない、ビタビデコーダ部５２９に出力する。ビタビデコーダ部５２９は、ＱＰＳＫ復調部５２７が復調した信号を復号し、復号したＤＣＩを制御部４０５に出力する。ここで、この信号はビット単位で表現され、ビタビデコーダ部５２９は、入力ビットに対してビタビデコーディング処理を行なうビットの数を調整するためにレートデマッチングも行なう。なお、物理下りリンク制御チャネル復号部５２１は、検出した制御データを制御部４０５に出力する際、その制御データを検出した第二のＰＤＣＣＨの領域を示す情報、ｅＣＣＥを示す情報も制御部４０５に出力する。
【０２０５】
先ず、第一のＰＤＣＣＨに対する検出処理について説明する。移動局装置５は、複数のＣＣＥ  ａｇｇｒｅｇａｔｉｏｎ  ｎｕｍｂｅｒを想定して、自装置宛てのＤＣＩを検出する処理を行なう。移動局装置５は、想定するＣＣＥ  ａｇｇｒｅｇａｔｉｏｎ  ｎｕｍｂｅｒ（符号化率）毎に異なる復号処理を第一のＰＤＣＣＨの信号に対して行ない、ＤＣＩと一緒に第一のＰＤＣＣＨに付加されるＣＲＣ符号に誤りが検出されなかった第一のＰＤＣＣＨに含まれるＤＣＩを取得する。このような処理をブラインドデコーディングと称す。なお、移動局装置５は、下りリンクシステム帯域の全てのＣＣＥ（ＲＥＧ）の信号（受信信号）に対して第一のＰＤＣＣＨを想定したブラインドデコーディングを行なうのではなく、一部のＣＣＥに対してのみブラインドデコーディングを行なう。ブラインドデコーディングが行なわれる一部のＣＣＥ（ＣＣＥｓ）をＳｅａｒｃｈ  ｓｐａｃｅ（第一のＰＤＣＣＨ用のＳｅａｒｃｈ  ｓｐａｃｅ）と呼称する。また、ＣＣＥ  ａｇｇｒｅｇａｔｉｏｎ  ｎｕｍｂｅｒ毎に異なるＳｅａｒｃｈ  ｓｐａｃｅ（第一のＰＤＣＣＨ用のＳｅａｒｃｈ  ｓｐａｃｅ）が定義される。本発明の実施形態の通信システム１では、第一のＰＤＣＣＨに対して、それぞれ異なるＳｅａｒｃｈ  ｓｐａｃｅ（第一のＰＤＣＣＨ用のＳｅａｒｃｈ  ｓｐａｃｅ）が移動局装置５において設定される。ここで、各移動局装置５の第一のＰＤＣＣＨに対するＳｅａｒｃｈ  ｓｐａｃｅ（第一のＰＤＣＣＨ用のＳｅａｒｃｈ  ｓｐａｃｅ）は、全く異なるＣＣＥ（ＣＣＥｓ）により構成されてもよいし、全く同じＣＣＥ（ＣＣＥｓ）により構成されてもよいし、一部が重複するＣＣＥ（ＣＣＥｓ）により構成されてもよい。
【０２０６】
次に、第二のＰＤＣＣＨに対する検出処理について説明する。移動局装置５は、複数のｅＣＣＥ  ａｇｇｒｅｇａｔｉｏｎ  ｎｕｍｂｅｒを想定して、自装置宛てのＤＣＩを検出する処理を行なう。移動局装置５は、想定するｅＣＣＥ  ａｇｇｒｅｇａｔｉｏｎ  ｎｕｍｂｅｒ（符号化率）毎に異なる復号処理を第二のＰＤＣＣＨの信号に対して行ない、ＤＣＩと一緒に第二のＰＤＣＣＨに付加されるＣＲＣ符号に誤りが検出されなかった第二のＰＤＣＣＨに含まれるＤＣＩを取得する。このような処理をブラインドデコーディングと称す。なお、移動局装置５は、基地局装置３から構成された第二のＰＤＣＣＨ領域の全てのｅＣＣＥの信号（受信信号）に対して第二のＰＤＣＣＨを想定したブラインドデコーディングを行なうのではなく、一部のｅＣＣＥに対してのみブラインドデコーディングを行なってもよい。ブラインドデコーディングが行なわれる一部のｅＣＣＥ（ｅＣＣＥｓ）をＳｅａｒｃｈ  ｓｐａｃｅ（第二のＰＤＣＣＨ用のＳｅａｒｃｈ  ｓｐａｃｅ）と呼称する。また、ｅＣＣＥ  ａｇｇｒｅｇａｔｉｏｎ  ｎｕｍｂｅｒ毎に異なるＳｅａｒｃｈ  ｓｐａｃｅ（第二のＰＤＣＣＨ用のＳｅａｒｃｈ  ｓｐａｃｅ）が定義される。複数の第二のＰＤＣＣＨ領域が構成された移動局装置５は、それぞれの構成された第二のＰＤＣＣＨ領域にＳｅａｒｃｈ  ｓｐａｃｅが設定（構成、定義）される。例えば、移動局装置５は、Ｄｉｓｔｒｉｂｕｔｅｄ  ｍａｐｐｉｎｇが適用される第二のＰＤＣＣＨ領域と、Ｌｏｃａｌｉｚｅｄ  ｍａｐｐｉｎｇが適用される第二のＰＤＣＣＨ領域とのそれぞれに対して、Ｓｅａｒｃｈ  ｓｐａｃｅが設定される。複数の第二のＰＤＣＣＨ領域が構成された移動局装置５は、ある下りリンクサブフレームにおいて同時に複数のＳｅａｒｃｈ  ｓｐａｃｅが設定される。
【０２０７】
本発明の実施形態の通信システム１では、第二のＰＤＣＣＨに対して、複数の異なるＳｅａｒｃｈ  ｓｐａｃｅ（第二のＰＤＣＣＨ用のＳｅａｒｃｈ  ｓｐａｃｅ）が移動局装置５において設定される。ここで、同じ第二のＰＤＣＣＨ領域が構成された各移動局装置５の第二のＰＤＣＣＨに対するＳｅａｒｃｈ  ｓｐａｃｅ（第二のＰＤＣＣＨ用のＳｅａｒｃｈ  ｓｐａｃｅ）は、全く異なるｅＣＣＥ（ｅＣＣＥｓ）により構成されてもよいし、全く同じｅＣＣＥ（ｅＣＣＥｓ）により構成されてもよいし、一部が重複するｅＣＣＥ（ｅＣＣＥｓ）により構成されてもよい。
【０２０８】
複数の第二のＰＤＣＣＨ領域が構成された移動局装置５は、各第二のＰＤＣＣＨ領域においてＳｅａｒｃｈ  ｓｐａｃｅ（第二のＰＤＣＣＨ用のＳｅａｒｃｈ  ｓｐａｃｅ）が設定される。Ｓｅａｒｃｈ  ｓｐａｃｅ（第二のＰＤＣＣＨ用のＳｅａｒｃｈ  ｓｐａｃｅ）とは、移動局装置５が第二のＰＤＣＣＨ領域内で第二のＰＤＣＣＨの復号検出を行なう論理的な領域を意味する。Ｓｅａｒｃｈ  ｓｐａｃｅ（第二のＰＤＣＣＨ用のＳｅａｒｃｈ  ｓｐａｃｅ）は、複数の第二のＰＤＣＣＨ候補から構成される。第二のＰＤＣＣＨ候補とは、移動局装置５が第二のＰＤＣＣＨの復号検出を行う対象である。ｅＣＣＥ  ａｇｇｒｅｇａｔｉｏｎ  ｎｕｍｂｅｒ毎に、異なる第二のＰＤＣＣＨ候補は異なるｅＣＣＥ（１つのｅＣＣＥ、複数のｅＣＣＥｓを含む）から構成される。例えば、基地局装置３がＲＲＣシグナリングを用いて、Ｓｅａｒｃｈ  ｓｐａｃｅ（第二のＰＤＣＣＨ用のＳｅａｒｃｈ  ｓｐａｃｅ）に用いられるｅＣＣＥ、または第二のＰＤＣＣＨ候補を移動局装置５に通知する。
【０２０９】
複数の第二のＰＤＣＣＨ領域のそれぞれのＳｅａｒｃｈ  ｓｐａｃｅでは、第二のＰＤＣＣＨの候補の数が異なってもよい。また、あるｅＣＣＥ集合数では、それぞれの第二のＰＤＣＣＨ領域のＳｅａｒｃｈ  ｓｐａｃｅの第二のＰＤＣＣＨ候補の数が同じで、異なるｅＣＣＥ集合数では、それぞれの第二のＰＤＣＣＨ領域のＳｅａｒｃｈ  ｓｐａｃｅの第二のＰＤＣＣＨ候補の数が異なってもよい。また、あるｅＣＣＥ集合数の第二のＰＤＣＣＨ候補が、一方の第二のＰＤＣＣＨ領域のＳｅａｒｃｈ  ｓｐａｃｅには設定され、異なる一方の第二のＰＤＣＣＨ領域のＳｅａｒｃｈ  ｓｐａｃｅには設定されなくてもよい。また、移動局装置５に構成される第二のＰＤＣＣＨ領域の数に応じて、１つの第二のＰＤＣＣＨ領域内のＳｅａｒｃｈ  ｓｐａｃｅの第二のＰＤＣＣＨ候補数が変わってもよい。
【０２１０】
なお、制御部４０５は、ビタビデコーダ部５２９より入力されたＤＣＩが誤りなく、自装置宛てのＤＣＩかを判定し、誤りなく、自装置宛てのＤＣＩと判定した場合、ＤＣＩに基づいて多重分離部５１１、データ復調部５２３、ターボ復号部５２５、および送信処理部４０７、を制御する。例えば、制御部４０５は、ＤＣＩが下りリンクアサインメントである場合、受信処理部４０１にＰＤＳＣＨの信号を復号するように制御する。なお、ＰＤＣＣＨにおいてもＰＤＳＣＨと同様にＣＲＣ符号が含まれており、制御部４０５はＣＲＣ符号を用いてＰＤＣＣＨのＤＣＩが誤っているか否かを判断する。
【０２１１】
下りリンク受信品質測定部５３１は、下りリンク参照信号（ＣＲＳ、ＣＳＩ‐ＲＳ）を用いてセルの下りリンクの受信品質（ＲＳＲＰ）を測定し、測定した下りリンクの受信品質情報を制御部４０５に出力する。また、下りリンク受信品質測定部５３１は、移動局装置５において基地局装置３に通知するＣＱＩの生成のための、瞬時的なチャネル品質の測定も行う。下りリンク受信品質測定部５３１は、測定したＲＳＲＰ等の情報を制御部４０５に出力する。
【０２１２】
＜移動局装置５の送信処理部４０７＞
図６は、本発明の実施形態に係る移動局装置５の送信処理部４０７の構成を示す概略ブロック図である。この図に示すように、送信処理部４０７は、ターボ符号部６１１、データ変調部６１３、ＤＦＴ部６１５、上りリンクパイロットチャネル処理部６１７、物理上りリンク制御チャネル処理部６１９、サブキャリアマッピング部６２１、ＩＦＦＴ部６２３、ＧＩ挿入部６２５、送信電力調整部６２７、ランダムアクセスチャネル処理部６２９、Ｄ／Ａ部６０５、送信ＲＦ部６０７、および、送信アンテナ４１１を含んで構成される。送信処理部４０７は、情報データ、ＵＣＩに対して符号化、変調を行ない、ＰＵＳＣＨ、ＰＵＣＣＨを用いて送信する信号を生成し、ＰＵＳＣＨ、ＰＵＣＣＨの送信電力を調整する。送信処理部４０７は、ＰＲＡＣＨを用いて送信する信号を生成し、ＰＲＡＣＨの送信電力を調整する。送信処理部４０７は、ＤＭ  ＲＳ、ＳＲＳを生成し、ＤＭ  ＲＳ、ＳＲＳの送信電力を調整する。
【０２１３】
ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。ＤＦＴ部６１５は、データ変調部６１３が出力した信号を離散フーリエ変換し、サブキャリアマッピング部６２１に出力する。
【０２１４】
物理上りリンク制御チャネル処理部６１９は、制御部４０５から入力されたＵＣＩを伝送するためのベースバンド信号処理を行なう。物理上りリンク制御チャネル処理部６１９に入力されるＵＣＩは、ＡＣＫ／ＮＡＣＫ、ＳＲ、ＣＱＩである。物理上りリンク制御チャネル処理部６１９は、ベースバンド信号処理を行ない、生成した信号をサブキャリアマッピング部６２１に出力する。物理上りリンク制御チャネル処理部６１９は、ＵＣＩの情報ビットを符号化して信号を生成する。
【０２１５】
また、物理上りリンク制御チャネル処理部６１９は、ＵＣＩから生成される信号に対して周波数領域の符号多重および／または時間領域の符号多重に関連する信号処理を行なう。例えば、物理上りリンク制御チャネル処理部６１９は、ＡＣＫ／ＮＡＣＫから生成される信号に用いるＵＬ  ＰＲＢ  ｐａｉｒ、周波数領域の符号系列、時間領域の符号系列が制御部４０５から指示される。対して物理上りリンク制御チャネル処理部６１９は、ＡＣＫ／ＮＡＣＫの情報ビット、またはＳＲの情報ビット、またはＣＱＩの情報ビットから生成されるＰＵＣＣＨの信号に対して周波数領域の符号多重を実現するために制御部４０５から指示された符号系列を乗算する。物理上りリンク制御チャネル処理部６１９は、ＡＣＫ／ＮＡＣＫの情報ビット、またはＳＲの情報ビットから生成されるＰＵＣＣＨの信号に対して時間領域の符号多重を実現するために制御部４０５から指示された符号系列を乗算する。
【０２１６】
上りリンクパイロットチャネル処理部６１７は、基地局装置３において既知の信号であるＳＲＳ、ＤＭ  ＲＳを制御部４０５からの指示に基づき生成し、サブキャリアマッピング部６２１に出力する。
【０２１７】
サブキャリアマッピング部６２１は、上りリンクパイロットチャネル処理部６１７から入力された信号と、ＤＦＴ部６１５から入力された信号と、物理上りリンク制御チャネル処理部６１９から入力された信号とを、制御部４０５からの指示に従ってサブキャリアに配置し、ＩＦＦＴ部６２３に出力する。
【０２１８】
ＩＦＦＴ部６２３は、サブキャリアマッピング部６２１が出力した信号を高速逆フーリエ変換し、ＧＩ挿入部６２５に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、ＰＵＳＣＨを用いて送信する信号に対してＤＦＴ−Ｓｐｒｅａｄ−ＯＦＤＭ方式の変調を行なう。ＧＩ挿入部６２５は、ＩＦＦＴ部６２３から入力された信号に、ガードインターバルを付加し、送信電力調整部６２７に出力する。
【０２１９】
ランダムアクセスチャネル処理部６２９は、制御部４０５から指示されたプリアンブル系列を用いて、ＰＲＡＣＨで送信する信号を生成し、生成した信号を送信電力調整部６２７に出力する。
【０２２０】
送信電力調整部６２７は、ＧＩ挿入部６２５から入力された信号、またはランダムアクセスチャネル処理部６２９から入力された信号に対して、制御部４０５からの制御信号に基づき送信電力を調整してＤ／Ａ部６０５に出力する。なお、送信電力調整部６２７では、ＰＵＳＣＨ、ＰＵＣＣＨ、ＤＭ  ＲＳ、ＳＲＳ、ＰＲＡＣＨの平均送信電力が上りリンクサブフレーム毎に制御される。
【０２２１】
Ｄ／Ａ部６０５は、送信電力調整部６２７から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。
【０２２２】
図７は、本発明の実施形態に係る移動局装置５の第二のＰＤＣＣＨ領域毎のＰＵＣＣＨリソースオフセットの設定に関わる処理の一例を示すフローチャートである。移動局装置５は、基地局装置３から、ＲＲＣシグナリングを用いて、第二のＰＤＣＣＨ領域毎のＰＵＣＣＨリソースオフセットを示す情報を受信する（ステップＳ１０１）。次に、移動局装置５は、基地局装置３から受信した情報に基づき、第二のＰＤＣＣＨ領域毎にＰＵＣＣＨリソースオフセットを設定する（ステップＳ１０２）。
【０２２３】
図８は、本発明の実施形態に係る基地局装置３の第二のＰＤＣＣＨ領域毎のＰＵＣＣＨリソースオフセットの設定に関わる処理の一例を示すフローチャートである。基地局装置３は、セル内の第二のＰＤＣＣＨ領域の数等に基づき、第二のＰＤＣＣＨ領域毎にＰＵＣＣＨリソースオフセットを設定する（ステップＴ１０１）。次に、基地局装置３は、移動局装置５毎に、第二のＰＤＣＣＨ領域毎のＰＵＣＣＨリソースオフセットを示す情報を送信するように設定する（ステップＴ１０２）。
【０２２４】
以上のように、本発明の実施形態では、通信システム１において、下りリンク制御チャネル（第二のＰＤＣＣＨ）（ｅＰＤＣＣＨ）が配置される可能性のある領域である下りリンク制御チャネル領域（第二のＰＤＣＣＨ領域）（ｅＰＤＣＣＨ  ｒｅｇｉｏｎ）（ｅＰＤＣＣＨ  ｓｅｔ）として複数の物理リソースブロックペア（ＤＬ  ＰＲＢ  ｐａｉｒ）が構成され、１つの物理リソースブロックペア（ＤＬ  ＰＲＢ  ｐａｉｒ）を複数個（例えば、１６個）に分割したリソースから第一の要素（ｅＲＥＧ）が構成され、１つの物理リソースブロックペア（ＤＬ  ＰＲＢ  ｐａｉｒ）内の複数（例えば、４個）の第一の要素（ｅＲＥＧ）の集合（Ｌｏｃａｌｉｚｅｄ  ｍａｐｐｉｎｇのｅＣＣＥ）、または複数（例えば、４個）の物理リソースブロックペア（ＤＬ  ＰＲＢ  ｐａｉｒ）内の複数（例えば、４個）の第一の要素（ｅＲＥＧ）の集合（Ｄｉｓｔｒｉｂｕｔｅｄ  ｍａｐｐｉｎｇのｅＣＣＥ）から第二の要素（ｅＣＣＥ）が構成され、下りリンク制御チャネル（第二のＰＤＣＣＨ）は１個以上の第二の要素（ｅＣＣＥ）の集合（例えば、１個、２個、４個、８個の集合）から構成され、上りリンク制御チャネル（ＰＵＣＣＨ）のリソースが第二の要素（ｅＣＣＥ）のそれぞれと対応し、基地局装置３は複数の下りリンク制御チャネル領域（第二のＰＤＣＣＨ領域）を設定し、基地局装置３は下りリンク制御チャネル領域（第二のＰＤＣＣＨ領域）の第二の要素（ｅＣＣＥ）と対応付けが開始される上りリンク制御チャネルのリソース（ＰＵＣＣＨリソースオフセット）をそれぞれの下りリンク制御チャネル領域（第二のＰＤＣＣＨ領域）に対して設定し、基地局装置３は設定した情報を移動局装置５に対して送信し、移動局装置５は基地局装置３より受信した情報に基づき複数の下りリンク制御チャネル領域（第二のＰＤＣＣＨ領域）を設定し、移動局装置５は基地局装置３より受信した情報に基づき下りリンク制御チャネル領域（第二のＰＤＣＣＨ領域）の第二の要素（ｅＣＣＥ）と対応付けが開始される上りリンク制御チャネルのリソース（ＰＵＣＣＨリソースオフセット）を設定したそれぞれの下りリンク制御チャネル領域（第二のＰＤＣＣＨ領域）に対して設定する。移動局装置５は、下りリンク共用チャネル（ＰＤＳＣＨ）のリソース割り当ての情報を含む下りリンク制御チャネル（第二のＰＤＣＣＨ）を構成する１つ以上の第二の要素（ｅＣＣＥ）の識別番号（ｅＣＣＥ  ｉｎｄｅｘ）と、下りリンク制御チャネル（第二のＰＤＣＣＨ）が検出された下りリンク制御チャネル領域（第二のＰＤＣＣＨ領域）の第二の要素（ｅＣＣＥ）と対応付けが開始される上りリンク制御チャネル（ＰＵＣＣＨ）のリソース（ＰＵＣＣＨリソースオフセット）とに基づき、受信した下りリンク共用チャネル（ＰＤＳＣＨ）のデータ（トランスポートブロック）に対する受信確認応答（ＡＣＫ／ＮＡＣＫ）の送信に用いる上りリンク制御チャネル（ＰＵＣＣＨ）のリソースの識別番号（ＰＵＣＣＨ  ｒｅｓｏｕｒｃｅ  ｉｎｄｅｘ）を判断する。
【０２２５】
これにより、第二のＰＤＣＣＨ領域毎にＰＵＣＣＨリソースオフセットを設定して用いることができ、異なる第二のＰＤＣＣＨ領域のｅＣＣＥに対して異なるＡＣＫ／ＮＡＣＫ  ＰＵＣＣＨのリソースを用いることができ、異なる第二のＰＤＣＣＨ領域の第二のＰＤＣＣＨでＰＤＳＣＨが割り当てられた異なる移動局装置が同じＡＣＫ／ＮＡＣＫ  ＰＵＣＣＨのリソースを用いることを回避することができ、つまり上りリンクの信号が移動局装置５間で衝突することを回避することができる。また、基地局装置３は、複数の移動局装置５に対して構成する第二のＰＤＣＣＨ領域の数に応じて、上りリンクシステム帯域で用意するＤｙｎａｍｉｃ  ＡＣＫ／ＮＡＣＫ用のＡＣＫ／ＮＡＣＫ  ＰＵＣＣＨのリソースを適切に制御することができ、上りリンクシステム帯域のＡＣＫ／ＮＡＣＫ  ＰＵＣＣＨに関するオーバヘッドの増大を回避することができる。物理的に構成されるＤＬ  ＰＲＢ  ｐａｉｒに応じて、そのＤＬ  ＰＲＢ  ｐａｉｒにより構成される第二のＰＤＣＣＨ領域のｅＣＣＥが予め決められており、全ての可能性のあるＤＬ  ＰＲＢ  ｐａｉｒから構成される第二のＰＤＣＣＨ領域のｅＣＣＥに対して異なるＡＣＫ／ＮＡＣＫ  ＰＵＣＣＨのリソースを用意すると、ＡＣＫ／ＮＡＣＫの信号が移動局装置５間で衝突することは回避されるが、上りリンクシステム帯域のＡＣＫ／ＮＡＣＫ  ＰＵＣＣＨに関するオーバヘッドが著しく増大してしまう。本発明の実施形態を用いることにより、上りリンクのオーバヘッドの増大を回避しつつ、ＡＣＫ／ＮＡＣＫの信号が移動局装置５間で衝突することを回避することができる。
【０２２６】
なお、本発明の実施形態では、第二のＰＤＣＣＨ領域毎のＰＵＣＣＨリソースオフセットを示す情報が、ＲＲＣシグナリングを用いて直接的に明示的に基地局装置３から移動局装置５に通知される構成について示したが、その他の情報に第二のＰＤＣＣＨ領域毎のＰＵＣＣＨリソースオフセットが関連付けられ、移動局装置５においてその他の情報に基づいて第二のＰＤＣＣＨ領域毎のＰＵＣＣＨリソースオフセットが判断される構成でもよい。例えば、第二のＰＤＣＣＨ領域に番号が付与され、その第二のＰＤＣＣＨ領域の番号にＰＵＣＣＨリソースオフセットが関連付けられ、移動局装置５において第二のＰＤＣＣＨ領域の番号に基づいて第二のＰＤＣＣＨ領域に対するＰＵＣＣＨリソースオフセットが判断される。ここで、第二のＰＤＣＣＨ領域の番号は、基地局装置３が管轄するエリア内で共通の番号が用いられる。例えば、図２５に示すように、下りリンクシステム帯域に３つの第二のＰＤＣＣＨ領域（第二のＰＤＣＣＨ領域１、第二のＰＤＣＣＨ領域２、第二のＰＤＣＣＨ領域３）が構成される場合、それぞれの第二のＰＤＣＣＨ領域に対して連番が付与され、第二のＰＤＣＣＨ領域１には番号＃０が付与され、第二のＰＤＣＣＨ領域２には番号＃１が付与され、第二のＰＤＣＣＨ領域３には番号＃２が付与される。基地局装置３は、移動局装置５に第二のＰＤＣＣＨ領域を構成する場合、付与した第二のＰＤＣＣＨ領域の番号をＲＲＣシグナリングを用いて移動局装置５に通知する。
【０２２７】
移動局装置５は、付与された第二のＰＤＣＣＨ領域の番号に基づき、その第二のＰＤＣＣＨ領域の番号が付与された第二のＰＤＣＣＨ領域に対するＰＵＣＣＨリソースオフセットを算出する。ここで、移動局装置５は、１つの第二のＰＤＣＣＨ領域が予め決められた個数のｅＣＣＥを構成し、それぞれのｅＣＣＥに対してＰＵＣＣＨリソースが予約されると想定して、第二のＰＤＣＣＨ領域に対するＰＵＣＣＨリソースオフセットを算出する。例えば、移動局装置５は、１つの第二のＰＤＣＣＨ領域が１６個のｅＣＣＥを構成し、その第二のＰＤＣＣＨ領域に対して１６個のＰＵＣＣＨリソースが予約されると想定する。移動局装置５は、付与された第二のＰＤＣＣＨ領域の番号より小さい番号の第二のＰＤＣＣＨ領域が下りリンクシステム帯域の何れかのＤＬ  ＰＲＢ  ｐａｉｒにより構成されると認識し、それらの第二のＰＤＣＣＨ領域に対してＰＵＣＣＨリソースが予約されると認識する。ここで、第二のＰＤＣＣＨ領域の番号が＃０の第二のＰＤＣＣＨ領域からＤｙｎａｍｉｃ  ＡＣＫ／ＮＡＣＫ用の最初のＡＣＫ／ＮＡＣＫ  ＰＵＣＣＨのリソースが対応付けられると規定されている。つまり、図２５において、第二のＰＤＣＣＨ領域の番号が＃０の第二のＰＤＣＣＨ領域１に対してはＰＵＣＣＨリソースオフセットとしてＯｆｆｓｅｔ  Ｘ１が用いられ、そのように移動局装置５でＰＵＣＣＨリソースオフセットが認識される。第二のＰＤＣＣＨ領域の番号が＃１の第二のＰＤＣＣＨ領域２に用いられるＰＵＣＣＨリソースオフセットであるＯｆｆｓｅｔ  Ｘ２は、Ｏｆｆｓｅｔ  Ｘ１に第二のＰＤＣＣＨ領域１に対して予約されるＡＣＫ／ＮＡＣＫ  ＰＵＣＣＨのリソースの数である１６を加算することにより求められる（Ｏｆｆｓｅｔ  Ｘ１＋１６）。第二のＰＤＣＣＨ領域の番号が＃２の第二のＰＤＣＣＨ領域３に用いられるＰＵＣＣＨリソースオフセットであるＯｆｆｓｅｔ  Ｘ３は、Ｏｆｆｓｅｔ  Ｘ１に第二のＰＤＣＣＨ領域１に対して予約されるＡＣＫ／ＮＡＣＫ  ＰＵＣＣＨのリソースの数である１６と、第二のＰＤＣＣＨ領域２に対して予約されるＡＣＫ／ＮＡＣＫ  ＰＵＣＣＨのリソースの数である１６とを加算することにより求められる（Ｏｆｆｓｅｔ  Ｘ１＋１６×２）。つまり、第二のＰＤＣＣＨ領域の番号に１６（１つの第二のＰＤＣＣＨ領域に対して予約されるＡＣＫ／ＮＡＣＫ  ＰＵＣＣＨのリソースの個数）を乗算した値をＯｆｆｓｅｔ  Ｘ１に加算することにより（Ｏｆｆｓｅｔ  Ｘ１＋１６×第二のＰＤＣＣＨ領域＃）、その第二のＰＤＣＣＨ領域の番号の第二のＰＤＣＣＨ領域に対するＰＵＣＣＨリソースオフセットが算出される。なお、例えば、第二のＰＤＣＣＨ領域の番号が“１”から始まる場合は、（Ｏｆｆｓｅｔ  Ｘ１＋１６×（第二のＰＤＣＣＨ領域＃−１））というように算出式を調整することにより、本願を用いることが可能となる。
【０２２８】
上記のような構成の場合、本発明の通信システムは、下りリンク制御チャネルが配置される可能性のある領域である下りリンク制御チャネル領域として複数の物理リソースブロックペアが構成され、１つの前記物理リソースブロックペアを複数個に分割したリソースから第一の要素が構成され、１つの前記物理リソースブロックペア内の複数の前記第一の要素の集合、または複数の前記物理リソースブロックペア内の複数の前記第一の要素の集合から第二の要素が構成され、下りリンク制御チャネルは１個以上の前記第二の要素の集合から構成され、上りリンク制御チャネルのリソースが前記第二の要素のそれぞれと対応し、複数の移動局装置および前記複数の移動局装置と前記下りリンク制御チャネルと前記上りリンク制御チャネルを用いて通信を行う基地局装置から構成される通信システムであって、前記基地局装置は、複数の下りリンク制御チャネル領域を設定し、下りリンク制御チャネル領域の第二の要素と対応付けが開始される上りリンク制御チャネルのリソースをそれぞれの前記下りリンク制御チャネル領域に対して設定し、設定した下りリンク制御チャネル領域の第二の要素と対応付けが開始される上りリンク制御チャネルのリソースに関する情報を下りリンク制御チャネル領域の番号に対応付ける第二の無線リソース制御部と、前記第二の無線リソース制御部で設定された情報を前記移動局装置に対して送信する第二の送信処理部と、を有し、前記移動局装置は、前記基地局装置より受信した前記第二の無線リソース制御部で設定された情報に基づき、複数の下りリンク制御チャネル領域を設定する第一の無線リソース制御部と、前記基地局装置より受信した前記下りリンク制御チャネル領域の番号に基づき、下りリンク制御チャネル領域の第二の要素と対応付けが開始される上りリンク制御チャネルのリソースを前記第一の無線リソース制御部で設定されたそれぞれの前記下りリンク制御チャネル領域に対して設定する第一の制御部と、を有することを特徴とする。
【０２２９】
なお、本発明の実施形態では、説明の簡略化のため、第二のＰＤＣＣＨが配置される可能性があるリソースの領域を第二のＰＤＣＣＨ領域と定義したが、異なる文言（例えば、ｅＰＤＣＣＨ  ｓｅｔ）で定義されても、類似した意味を持つのであれば、本発明を適用できることは明らかである。
【０２３０】
また、移動局装置５とは、移動する端末に限らず、固定端末に移動局装置５の機能を実装することなどにより本発明を実現しても良い。
【０２３１】
以上説明した本発明の特徴的な手段は、集積回路に機能を実装し、制御することによっても実現することができる。すなわち、本発明の集積回路は、下りリンク制御チャネルが配置される可能性のある領域である下りリンク制御チャネル領域として複数の物理リソースブロックペアが構成され、１つの前記物理リソースブロックペアを複数個に分割したリソースから第一の要素が構成され、１つの前記物理リソースブロックペア内の複数の前記第一の要素の集合、または複数の前記物理リソースブロックペア内の複数の前記第一の要素の集合から第二の要素が構成され、下りリンク制御チャネルは１個以上の前記第二の要素の集合から構成され、上りリンク制御チャネルのリソースが前記第二の要素のそれぞれと対応し、基地局装置と前記下りリンク制御チャネルと前記上りリンク制御チャネルを用いて通信を行う移動局装置に実装される集積回路であって、複数の下りリンク制御チャネル領域を示す情報と、それぞれの前記下りリンク制御チャネル領域に対して下りリンク制御チャネル領域の第二の要素と対応付けが開始される上りリンク制御チャネルのリソースを示す情報と、を前記基地局装置より受信する第一の受信処理部と、前記第一の受信処理部で受信された情報に基づき、複数の下りリンク制御チャネル領域を設定する第一の無線リソース制御部と、前記第一の受信処理部で受信された情報に基づき、下りリンク制御チャネル領域の第二の要素と対応付けが開始される上りリンク制御チャネルのリソースを前記第一の無線リソース制御部で設定されたそれぞれの前記下りリンク制御チャネル領域に対して設定する第一の制御部と、を有することを特徴とする。
【０２３２】
また、本発明の集積回路において、前記上りリンク制御チャネルは、受信確認応答の送受信に用いられ、前記受信確認応答は前記下りリンク制御チャネルによりリソース割り当ての情報が示された下りリンク共用チャネルのデータに対する受信確認応答であることを特徴とする。
【０２３３】
また、本発明の集積回路において、前記第一の制御部は、前記下りリンク共用チャネルのリソース割り当ての情報を含む前記下りリンク制御チャネルを構成する１つ以上の前記第二の要素の識別番号と、前記下りリンク制御チャネルが検出された下りリンク制御チャネル領域の第二の要素と対応付けが開始される上りリンク制御チャネルのリソースとに基づき、前記受信確認応答の送信に用いる上りリンク制御チャネルのリソースの識別番号を判断することを特徴とする。
【０２３４】
また、本発明の集積回路は、下りリンク制御チャネルが配置される可能性のある領域である下りリンク制御チャネル領域として複数の物理リソースブロックペアが構成され、１つの前記物理リソースブロックペアを複数個に分割したリソースから第一の要素が構成され、１つの前記物理リソースブロックペア内の複数の前記第一の要素の集合、または複数の前記物理リソースブロックペア内の複数の前記第一の要素の集合から第二の要素が構成され、下りリンク制御チャネルは１個以上の前記第二の要素の集合から構成され、上りリンク制御チャネルのリソースが前記第二の要素のそれぞれと対応し、複数の移動局装置と前記下りリンク制御チャネルと前記上りリンク制御チャネルを用いて通信を行う基地局装置に実装される集積回路であって、複数の下りリンク制御チャネル領域を設定し、下りリンク制御チャネル領域の第二の要素と対応付けが開始される上りリンク制御チャネルのリソースをそれぞれの前記下りリンク制御チャネル領域に対して設定する第二の無線リソース制御部と、前記第二の無線リソース制御部で設定された情報を前記移動局装置に対して送信する第二の送信処理部と、を有することを特徴とする。
【０２３５】
本発明の実施形態に記載の動作をプログラムで実現してもよい。本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２３６】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。移動局装置５および基地局装置３の各機能ブロックは、複数の回路により実現してもよい。
【０２３７】
情報及び信号が、種々の異なるあらゆる技術及び方法を用いて示され得る。例えば上記説明を通して参照され得るチップ、シンボル、ビット、信号、情報、コマンド、命令、及びデータは、電圧、電流、電磁波、磁場または磁性粒子、光学場または光粒子、またはこれらの組み合わせによって示され得る。
【０２３８】
本明細書の開示に関連して述べられた種々の例示的な論理ブロック、処理部、及びアルゴリズムステップが、電子的なハードウェア、コンピュータソフトウェア、または両者の組み合わせとして実装され得る。ハードウェアとソフトウェアとのこの同義性を明瞭に示すために、種々の例示的な要素、ブロック、モジュール、回路、及びステップが、概してその機能性に関して述べられてきた。そのような機能性がハードウェアとして実装されるかソフトウェアとして実装されるかは、個々のアプリケーション、及びシステム全体に課された設計の制約に依存する。当業者は、各具体的なアプリケーションにつき種々の方法で、述べられた機能性を実装し得るが、そのような実装の決定は、この開示の範囲から逸脱するものとして解釈されるべきではない。
【０２３９】
本明細書の開示に関連して述べられた種々の例示的な論理ブロック、処理部は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０２４０】
本明細書の開示に関連して述べられた方法またはアルゴリズムのステップは、ハードウェア、プロセッサによって実行されるソフトウェアモジュール、またはこれら２つを組み合わせたものによって、直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本分野で既知のあらゆる形態の記録媒体内に存在し得る。典型的な記録媒体は、プロセッサが情報を記録媒体から読み出すことが出来、また記録媒体に情報を書き込むことが出来るように、プロセッサに結合され得る。別の方法では、記録媒体はプロセッサに一体化されても良い。プロセッサと記録媒体は、ＡＳＩＣ内にあっても良い。ＡＳＩＣは、移動局装置（ユーザ端末）内にあり得る。あるいは、プロセッサ及び記録媒体は、ディスクリート要素として移動局装置５内にあっても良い。
【０２４１】
１つまたはそれ以上の典型的なデザインにおいて、述べられた機能は、ハードウェア、ソフトウェア、ファームウェア、またはこれらを組み合わせたもので実装され得る。もしソフトウェアによって実装されるのであれば、機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。記録媒体は、汎用または特殊用途のコンピュータによってアクセスされることが可能な市販のいずれの媒体であって良い。一例であってこれに限定するものではないものとして、このようなコンピュータ読み取り可能な媒体は、ＲＡＭ、ＲＯＭ、ＥＥＰＲＯＭ、ＣＤＲＯＭまたはその他の光ディスク媒体、磁気ディスク媒体またはその他の磁気記録媒体、または汎用または特殊用途のコンピュータまたは汎用または特殊用途のプロセッサによりアクセス可能とされ且つ命令またはデータ構造の形で所望のプログラムコード手段を持ち運びまたは保持するために使用可能な媒体を含むことが出来る。また、あらゆる接続が、適切にコンピュータ読み取り可能な媒体と呼ばれる。例えば、もしソフトウェアが同軸ケーブル、光ファイバケーブル、ツイストペア、デジタル加入者回線（ＤＳＬ）、または赤外、無線、またマイクロ波のような無線技術を用いて、ウェブサイト、サーバ、またはその他の遠隔ソースから送信される場合には、これらの同軸ケーブル、光ファイバケーブル、ツイストペア、ＤＳＬ、または赤外、無線、またマイクロ波のような無線技術が、媒体の定義に含まれる。本明細書で使用されるディスク（ｄｉｓｋ、ｄｉｓｃ）は、コンパクトディスク（ＣＤ）、レーザーディスク（登録商標）、光学ディスク、デジタルバーサタイルディスク（ＤＶＤ）、フロッピー（登録商標）ディスク、ブルーレイディスク、を含み、ディスク（ｄｉｓｋ）は、一般的に、磁気的にデータを再生する一方で、ディスク（ｄｉｓｃ）はレーザによって光学的にデータを再生する。上記のものを組み合わせたものもまた、コンピュータ読み取り可能な媒体に含まれるべきである。
【０２４２】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０２４３】
３  基地局装置
４（Ａ〜Ｃ）  ＲＲＨ
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１  物理下りリンク共用チャネル処理部
２０３  物理下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
２２７  プリコーディング処理部（ＰＤＣＣＨ用）
２２９  プリコーディング処理部（ＰＤＳＣＨ用）
２３１  プリコーディング処理部（下りリンクパイロットチャネル用）
３０１  受信ＲＦ部
３０３  Ａ／Ｄ部
３０９  シンボルタイミング検出部
３１１  ＧＩ除去部
３１３  ＦＦＴ部
３１５  サブキャリアデマッピング部
３１７  伝搬路推定部
３１９  伝搬路等化部（ＰＵＳＣＨ用）
３２１  伝搬路等化部（ＰＵＣＣＨ用）
３２３  ＩＤＦＴ部
３２５  データ復調部
３２７  ターボ復号部
３２９  物理上りリンク制御チャネル検出部
３３１  プリアンブル検出部
３３３  ＳＲＳ処理部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  伝搬路補償部（ＰＤＳＣＨ用）
５１７  物理下りリンク共用チャネル復号部
５１９  伝搬路補償部（ＰＤＣＣＨ用）
５２１  物理下りリンク制御チャネル復号部
５２３  データ復調部
５２５  ターボ復号部
５２７  ＱＰＳＫ復調部
５２９  ビタビデコーダ部
５３１  下りリンク受信品質測定部
５３３  ＰＤＣＣＨデマッピング部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  物理上りリンク制御チャネル処理部
６２１  サブキャリアマッピング部
６２３  ＩＦＦＴ部
６２５  ＧＩ挿入部
６２７  送信電力調整部
６２９  ランダムアクセスチャネル処理部
【図１】
0005990793.tif 000002
【図２】
0005990793.tif 000003
【図３】
0005990793.tif 000004
【図４】
0005990793.tif 000005
【図５】
0005990793.tif 000006
【図６】
0005990793.tif 000007
【図７】
0005990793.tif 000008
【図８】
0005990793.tif 000009
【図９】
0005990793.tif 000010
【図１０】
0005990793.tif 000011
【図１１】
0005990793.tif 000012
【図１２】
0005990793.tif 000013
【図１３】
0005990793.tif 000014
【図１４】
0005990793.tif 000015
【図１５】
0005990793.tif 000016
【図１６】
0005990793.tif 000017
【図１７】
0005990793.tif 000018
【図１８】
0005990793.tif 000019
【図１９】
0005990793.tif 000020
【図２０】
0005990793.tif 000021
【図２１】
0005990793.tif 000022
【図２２】
0005990793.tif 000023
【図２３】
0005990793.tif 000024
【図２４】
0005990793.tif 000025
【図２５】
0005990793.tif 000026